(57)【特許請求の範囲】
【請求項１】
支持対象に対して開閉可能に支持された開閉体と、当該開閉体の背面側又は後方に設けられ外部電源から供給される電力に基づいて動作する電気機器と、を備えている遊技機において、
複数段階の待機状態が予め設定され、前記外部電源からの電力供給が行われている状況及び電力供給が遮断されている状況のいずれにおいても前記開閉体の開閉操作に応じて動作し、閉鎖状態にある前記開閉体が開放操作された場合に前記待機状態が当該操作前の待機状態から変更され、開放状態にある前記開閉体が閉鎖操作された場合に前記待機状態が当該操作前の待機状態から変更され、前記開閉体が開閉操作された場合であっても開放操作に基づいて前記待機状態が当該操作前の待機状態から変更され且つ閉鎖操作に基づいて当該操作前の待機状態から変更されることにより前記待機状態が当該開閉操作前の待機状態から変更される監視手段と、
前記外部電源からの電力供給が遮断された場合における前記監視手段の待機状態を記憶し、自身に電力が供給されている間は当該記憶を保持する記憶手段と、
前記外部電源からの電力供給が遮断されている状況において前記記憶手段に電力を供給する電断時用電源手段と、
前記外部電源からの電力供給が行われている状況において前記監視手段の待機状態を把握する把握手段と、
前記外部電源からの電力供給が開始された場合に、前記記憶手段に記憶されている待機状態と前記把握手段により把握された待機状態とを比較することにより、前記外部電源からの電力供給が遮断されている状況で前記開閉体が開放操作されたか否かを特定する第１特定手段と、
前記第１特定手段による特定の結果に基づいて、前記開閉体が開放された旨の報知を行う報知手段と、
前記報知手段による報知が行なわれる場合に、前記記憶手段に記憶されている待機状態を更新する更新手段と、
前記外部電源からの電力供給が開始された後に前記記憶手段に記憶されている待機状態と前記把握手段により把握された待機状態とを比較することにより、前記外部電源からの電力供給が行われている状況において前記開閉体が開放されているか否かを特定する第２特定手段と
を備えていることを特徴とする遊技機。
【発明の詳細な説明】
【技術分野】
【０００１】
本発明は、遊技機に関するものである。
【背景技術】
【０００２】
パチンコ機等の遊技機には、外枠に対して開閉可能に取り付けられた本体枠と、本体枠に対して開閉可能に取り付けられた前面扉とを備えているものがある。遊技機には、外枠に対する本体枠の開放や本体枠に対する前面扉の開放を検知する開放スイッチが設けられている。前面扉や本体枠が開放された場合には、それらの開放が開放スイッチにより検知され、その検知結果が遊技機の制御装置等に入力される。制御装置では、開放スイッチからの検知結果に基づいて前面扉や本体枠が開放されたと判断した場合、例えばスピーカ部やランプ部を用いてその旨の報知などを実行する（例えば、特許文献１参照）。これにより、遊技機に対する不正行為を抑制することが可能となっている。
【先行技術文献】
【特許文献】
【０００４】
【特許文献１】特開２００２−３２０７４４号公報
【発明の概要】
【発明が解決しようとする課題】
【０００５】
しかしながら、遊技機においては、防犯機能を向上する上で未だ改善の余地がある。
【０００６】
なお、上記問題は、パチンコ機に限って発生するものではなく、前面扉や本体枠などの開閉体を有する他の遊技機にも同様に発生するものである。
【０００７】
本発明は、上記例示した事情等に鑑みてなされたものであり、防犯機能を好適に向上させることができる遊技機を提供することを目的とするものである。
【課題を解決するための手段】
【０００８】
本発明は、
支持対象に対して開閉可能に支持された開閉体と、当該開閉体の背面側又は後方に設けられ外部電源から供給される電力に基づいて動作する電気機器と、を備えている遊技機において、
複数段階の待機状態が予め設定され、前記外部電源からの電力供給が行われている状況及び電力供給が遮断されている状況のいずれにおいても前記開閉体の開閉操作に応じて動作し、閉鎖状態にある前記開閉体が開放操作された場合に前記待機状態が当該操作前の待機状態から変更され、開放状態にある前記開閉体が閉鎖操作された場合に前記待機状態が当該操作前の待機状態から変更され、前記開閉体が開閉操作された場合であっても開放操作に基づいて前記待機状態が当該操作前の待機状態から変更され且つ閉鎖操作に基づいて当該操作前の待機状態から変更されることにより前記待機状態が当該開閉操作前の待機状態から変更される監視手段と、
前記外部電源からの電力供給が遮断された場合における前記監視手段の待機状態を記憶し、自身に電力が供給されている間は当該記憶を保持する記憶手段と、
前記外部電源からの電力供給が遮断されている状況において前記記憶手段に電力を供給する電断時用電源手段と、
前記外部電源からの電力供給が行われている状況において前記監視手段の待機状態を把握する把握手段と、
前記外部電源からの電力供給が開始された場合に、前記記憶手段に記憶されている待機状態と前記把握手段により把握された待機状態とを比較することにより、前記外部電源からの電力供給が遮断されている状況で前記開閉体が開放操作されたか否かを特定する第１特定手段と、
前記第１特定手段による特定の結果に基づいて、前記開閉体が開放された旨の報知を行う報知手段と、
前記報知手段による報知が行なわれる場合に、前記記憶手段に記憶されている待機状態を更新する更新手段と、
前記外部電源からの電力供給が開始された後に前記記憶手段に記憶されている待機状態と前記把握手段により把握された待機状態とを比較することにより、前記外部電源からの電力供給が行われている状況において前記開閉体が開放されているか否かを特定する第２特定手段と
を備えていることを特徴とする。
【発明の効果】
【０００９】
本発明によれば、防犯機能を好適に向上させることが可能となる。
【図面の簡単な説明】
【００１０】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】第１監視装置を説明するための説明図である。
【図１５】第２監視装置を説明するための説明図である。
【図１６】監視装置の構成を示す斜視図である。
【図１７】監視装置の構成を示す分解斜視図である。
【図１８】監視装置の構成を示す断面図である。
【図１９】（ａ）蓋用ケース体の構成を示す側面図、（ｂ）プッシャの構成を示す側面図、（ｃ）回転子の構成を示す側面図、（ｄ）円盤の構成を示す側面図、（ｅ）回転軸体の構成を示す側面図である。
【図２０】プッシャの移動に連動した円盤の回転動作を説明するための説明図である。
【図２１】蓋用ケース体の筒状領域、プッシャの開放部側及び回転子の大径部を展開して示す説明図である。
【図２２】検知装置の構成を示す平面図である。
【図２３】（ａ）円盤の構成を示す平面図、（ｂ）（ａ）のＡ―Ａ線断面図である。
【図２４】円盤によって電気的に導通される金属端子の組合せと当該円盤の待機位置との関係について説明するための説明図である。
【図２５】円盤によって電気的に導通される金属端子の組合せと当該円盤の待機位置との関係について説明するための説明図である。
【図２６】検知装置からの検知信号パターンの切り替わりタイミングを説明するための説明図である。
【図２７】パチンコ機の電気的構成を示すブロック図である。
【図２８】主制御装置のＣＰＵによるＮＭＩ割込み処理を示すフローチャートである。
【図２９】タイマ割込み処理を示すフローチャートである。
【図３０】メイン処理を示すフローチャートである。
【図３１】通常処理を示すフローチャートである。
【図３２】前扉枠及び遊技機主部の開放の監視に関する電気的構成を示すブロック図である。
【図３３】前扉枠開放監視処理を示すフローチャートである。
【図３４】電断時更新処理を示すフローチャートである。
【図３５】前扉枠更新処理を示すフローチャートである。
【図３６】第２の実施形態における監視装置を説明するための説明図である。
【図３７】第３の実施形態におけるスロットマシンを説明するための斜視図である。
【図３８】第４の実施形態における前扉枠開放監視処理を示すフローチャートである。
【図３９】第５の実施形態における監視装置の構成を示す斜視図である。
【図４０】円盤によって電気的に導通される金属端子の組合せと当該円盤の待機位置との関係について説明するための説明図である。
【図４１】検知装置からの検知信号パターンの切り替わりタイミングを説明するための説明図である。
【図４２】前扉枠及び遊技機主部の開放の監視に関する電気的構成を示すブロック図である。
【図４３】タイマ割込み処理を示すフローチャートである。
【図４４】前扉枠開放監視処理を示すフローチャートである。
【図４５】メイン処理を示すフローチャートである。
【図４６】第６の実施形態における前扉枠開放監視処理を示すフローチャートである。
【図４７】第７の実施形態におけるパチンコ機を示す正面図である。
【図４８】第７の実施形態におけるパチンコ機の主要な構成を展開して示す斜視図である。
【図４９】第７の実施形態におけるパチンコ機の主要な構成を展開して示す斜視図である。
【図５０】第７の実施形態におけるパチンコ機の構成を示す背面図である。
【図５１】前扉枠の構成を示す背面図である。
【図５２】本体枠の構成を示す正面図である。
【図５３】遊技盤の構成を示す正面図である。
【図５４】本体枠の構成を示す背面図である。
【図５５】遊技盤の背面構成を示す斜視図である。
【図５６】遊技盤から主制御装置ユニットを取り外した状態を示す背面図である。
【図５７】主制御装置ユニットの構成を示す斜視図である。
【図５８】裏パックユニットの構成を示す正面図である。
【図５９】裏パックユニットの分解斜視図である。
【図６０】第１監視装置を前方から見た分解斜視図である。
【図６１】第１監視装置を後方から見た分解斜視図である。
【図６２】（ａ）は図５４のＡ―Ａ線部分断面図、（ｂ）は図５４のＢ―Ｂ線部分断面図である。
【図６３】監視装置の動作を説明する説明図である。
【図６４】図５４のＣ―Ｃ線部分断面図である。
【図６５】パチンコ機の電気的構成を示すブロック図である。
【図６６】主制御装置のＣＰＵによるＮＭＩ割込み処理を示すフローチャートである。
【図６７】タイマ割込み処理を示すフローチャートである。
【図６８】メイン処理を示すフローチャートである。
【図６９】通常処理を示すフローチャートである。
【図７０】前扉枠及び遊技機主部の開放の監視に関する電気的構成を示すブロック図である。
【図７１】前扉枠開放監視処理を示すフローチャートである。
【図７２】監視装置の変形例を示す概略図である。
【図７３】別の監視装置を説明するための説明図である。
【発明を実施するための形態】
【００１１】
はじめに、本実施の形態から抽出され得る発明を、必要に応じて効果等を示しつつ説明する。
なお、下記の手段群に記載された発明は、「遊技機の一種であるパチンコ機は、外枠に対して開閉可能に取り付けられた本体枠と、本体枠に対して開閉可能に取り付けられた前面扉とを備えている。また、パチンコ機には、制御装置が設けられているとともに、外枠に対する本体枠の開放や本体枠に対する前面扉の開放を検知する開放スイッチが設けられている。そして、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。ここで、パチンコ機においては、前面扉を開放し、本体枠の前面側に設けられた遊技領域に対して不正を行う行為が想定される。また、本体枠を開放し、本体枠の背面側に搭載された制御装置に対して不正を行う行為が想定される。これに対して、パチンコ機の電源が投入されている状況では、上記のとおり、前面扉や本体枠の開放が制御装置において把握され、それに対して報知処理などが実行されるため、遊技ホールの管理者等は上記不正行為に対処することができる。」という背景技術について、「しかしながら、遊技ホールでは通常、パチンコ機の継続的な通電に起因した遊技部品等の劣化を抑制したり省エネルギ化を実現したりするために、閉店後にはパチンコ機の電源を遮断している。パチンコ機の電源遮断後には、制御装置への電力の供給が停止され、前面扉や本体枠が開放されたことを制御装置にて把握することができず、それに伴って上記のような報知処理などは実行されない。したがって、従来のパチンコ機では、電源遮断中における上記不正行為に対処することができなかった。なお、上記問題は、パチンコ機に限って発生するものではなく、前面扉や本体枠などの開閉体を有する他の遊技機にも同様に発生するものである。」という発明が解決しようとする課題をもってなされたものである。
【００１２】
手段１．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても前記開閉体の開閉操作に応じて動作し、前記開閉体が開閉操作された場合には前記待機状態が当該開閉操作前の状態から変更される監視手段（監視装置２５０，４２０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記開閉体が開放操作されたか否かを特定する第１特定手段（ＣＰＵ３１１におけるステップＳ３１５及びステップＳ３１６の処理を実行する機能等、ＣＰＵ４３１におけるステップＳ１１１５及びステップＳ１１１６の処理を実行する機能等）と、
前記外部電源からの電力供給が行われている状況において、前記開閉体が開放操作されたか否かを前記監視手段の前記動作に基づいて特定する第２特定手段（ＣＰＵ３１１におけるステップＳ５０１及びステップＳ５０２の処理を実行する機能等、ＣＰＵ４３１におけるステップＳ１００１，ステップＳ１００２，ステップＳ１００４の処理を実行する機能等）と、
を備えていることを特徴とする遊技機。
【００１３】
手段１の遊技機では、外部電源から供給された電力に基づいて電気機器が動作することで、遊技が進行することとなる。
【００１４】
当該構成において、複数段階の待機状態を有する監視手段が設けられており、外部電源からの電力供給の遮断中であっても開閉体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で開閉体が開放操作されたか否かが特定される。これにより、電力供給が遮断されている状況において開閉体が不正に開閉操作されていた場合にはその事実を把握することが可能となり、それに対して対処することが可能となる。
【００１５】
また、外部電源からの電力供給が行われている状況において開閉体が開放された場合には、それが監視手段を介して特定される。つまり、監視手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【００１６】
なお、「前記開閉体が開閉操作された場合には前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。
【００１７】
手段２．手段１において、前記外部電源からの電力供給が遮断された場合における前記監視手段の待機状態を記憶するとともに、自身に電力が供給されている間は記憶した情報の保持を可能とする記憶手段（ＲＡＭ３１３の前扉枠用格納エリア３１３ａ，本体枠用格納エリア３１３ｂ、ＲＡＭ４３３の前扉枠用格納エリア４４１，本体枠用格納エリア４４２）と、
前記外部電源からの電力供給が遮断されている状況において前記記憶手段に電力を供給する電断時用電源手段（データ記憶保持用コンデンサ３２１ｃ）と、
前記外部電源からの電力供給が行われている状況において前記監視手段の待機状態を把握する把握手段（ＣＰＵ３１１におけるステップＳ２０１の処理を実行する機能又はステップＳ３１４の処理を実行する機能、ＣＰＵ４３１におけるステップＳ９０１の処理を実行する機能又はステップＳ１１１４の処理を実行する機能等）と、
をさらに備えており、
前記第１特定手段は、前記外部電源からの電力供給が開始された場合に、前記記憶手段に記憶されている待機状態と前記把握手段により把握された待機状態とを比較することにより、前記外部電源からの電力供給が遮断されている状況で前記開閉体が開放操作されたか否かを特定することを特徴とする遊技機。
【００１８】
手段２によれば、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較され、外部電源からの電力供給が遮断されている状況で開閉体が開放操作されたか否かが特定される。これにより、電力供給が遮断されている状況において開閉体が不正に開放操作されていた場合にはその事実を把握することが可能となり、それに対して対処することが可能となる。
【００１９】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００２０】
手段３．手段１又は２において、前記監視手段は、前記支持対象に対して前記開閉体が閉鎖されている場合に第１位置に待機し、前記支持対象に対して前記開閉体が開放された場合に前記第１位置から第２位置に移動する移動体（プッシャ２６６等）を備えており、当該移動体の移動に基づいて前記待機状態が変更されるものであり、
前記第２特定手段は、前記移動体が前記第１位置から前記第２位置に移動したことに基づいて前記開閉体が開放操作されたことを特定することを特徴とする遊技機。
【００２１】
手段３によれば、外部電源からの電力供給が行われている状況において開閉体が開放操作されたか否かの特定を、監視手段の構成を利用して行うことが可能となる。
【００２２】
手段４．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても前記開閉体の開閉操作に応じて動作し、前記開閉体が開閉操作された場合には前記待機状態が当該開閉操作前の状態から変更される監視手段（監視装置２５０，４２０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記開閉体が開放操作されたか否かを特定する第１特定手段（ＣＰＵ３１１におけるステップＳ３１５及びステップＳ３１６の処理を実行する機能等、ＣＰＵ４３１におけるステップＳ１１１５及びステップＳ１１１６の処理を実行する機能等）と、
前記外部電源からの電力供給が行われている状況において前記開閉体が開放操作されたか否かを前記監視手段の待機状態に基づいて特定する第２特定手段（ＣＰＵ３１１におけるステップＳ５０１及びステップＳ５０２の処理を実行する機能等、ＣＰＵ４３１におけるステップＳ１００１，ステップＳ１００２，ステップＳ１００４の処理を実行する機能等）と、
を備えていることを特徴とする遊技機。
【００２３】
手段４の遊技機では、外部電源から供給された電力に基づいて電気機器が動作することで、遊技が進行することとなる。
【００２４】
当該構成において、複数段階の待機状態を有する監視手段が設けられており、外部電源からの電力供給の遮断中であっても開閉体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で開閉体が開放操作されたか否かが特定される。これにより、電力供給が遮断されている状況において開閉体が不正に開放操作されていた場合にはその事実を把握することが可能となり、それに対して対処することが可能となる。
【００２５】
また、外部電源からの電力供給が行われている状況において開閉体が開放操作された場合には、それが監視手段の待機状態に基づいて特定される。つまり、監視手段は、外部電源からの電力供給が遮断されている状況及び電力供給が行われている状況のいずれにおいても、開閉体の開放操作を監視する機能を有することとなり、それぞれの機能を別で設ける構成に比して、遊技機の部品点数の削減が図られる。
【００２６】
また、外部電源からの電力供給が行われている状況における開閉体の開放操作の監視を、外部電源からの電力供給が遮断されている状況における開閉体の開放操作を監視するための監視手段の構成を利用して行うことが可能となる。よって、外部電源からの電力供給が行われている状況における監視専用の構成を監視手段に付与する場合に比べ、監視手段の構成の簡素化を図りつつ上記優れた効果を得ることができる。
【００２７】
なお、「前記開閉体が開閉操作された場合には前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。
【００２８】
手段５．手段４において、前記外部電源からの電力供給が遮断された場合における前記監視手段の待機状態を記憶するとともに、自身に電力が供給されている間は記憶した情報の保持を可能とする記憶手段（ＲＡＭ３１３の前扉枠用格納エリア３１３ａ，本体枠用格納エリア３１３ｂ、ＲＡＭ４３３の前扉枠用格納エリア４４１，本体枠用格納エリア４４２）と、
前記外部電源からの電力供給が遮断されている状況において前記記憶手段に電力を供給する電断時用電源手段（データ記憶保持用コンデンサ３２１ｃ）と、
前記外部電源からの電力供給が行われている状況において前記監視手段の待機状態を把握する把握手段（ＣＰＵ３１１におけるステップＳ２０１の処理を実行する機能又はステップＳ３１４の処理を実行する機能、ＣＰＵ４３１におけるステップＳ９０１の処理を実行する機能又はステップＳ１１１４の処理を実行する機能等）と、
をさらに備えており、
前記第１特定手段は、前記外部電源からの電力供給が開始された場合に、前記記憶手段に記憶されている待機状態と前記把握手段により把握された待機状態とを比較することにより、前記外部電源からの電力供給が遮断されている状況で前記開閉体が開放操作されたか否かを特定することを特徴とする遊技機。
【００２９】
手段５によれば、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較され、外部電源からの電力供給が遮断されている状況で開閉体が開放操作されたか否かが特定される。これにより、電力供給が遮断されている状況において開閉体が不正に開放操作されていた場合にはその事実を把握することが可能となり、それに対して対処することが可能となる。
【００３０】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００３１】
手段６．手段５において、前記記憶手段は、前記外部電源からの電力供給が行われている状況においてはその供給されている電力に基づいて記憶した情報の保持を可能とするものであり、
前記外部電源からの電力供給が行われている状況で、少なくとも前記監視手段の待機状態が変更された場合に、その変更された待機状態に前記記憶手段の記憶内容を更新する更新手段（ＣＰＵ３１１におけるステップＳ５０４の処理を実行する機能、ＣＰＵ４３１におけるステップＳ１２１０の処理を実行する機能等）をさらに備えていることを特徴とする遊技機。
【００３２】
手段６によれば、外部電源からの電力供給が行われている状況において監視手段の待機状態が変更されると、記憶手段の記憶内容がその変更された待機状態に更新される。遊技機において外部電源からの電力供給が遮断されるタイミングは不規則であり、監視手段がいずれの待機状態の場合に電力供給が遮断されるかは予め特定することはできない。この場合に、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００３３】
手段７．手段６において、前記監視手段から前記待機状態の情報を入力する入力手段（ＣＰＵ３１１の入力ポート等）をさらに備えており、
前記把握手段は前記入力手段にて入力した待機状態の情報を繰り返し確認することで前記待機状態を把握するものであり、
前記更新手段は、少なくとも前記把握手段により把握された待機状態が前記記憶手段に記憶されている待機状態と異なっている場合に、当該記憶手段の記憶内容を前記把握手段により把握された待機状態の情報に更新することを特徴とする遊技機。
【００３４】
手段７によれば、監視手段の待機状態が繰り返し確認され、少なくとも確認された待機状態が記憶手段に記憶されている待機状態と異なっている場合には、記憶手段の記憶内容がその確認された待機状態に更新される。これにより、上記手段６の作用効果を得ることができる。
【００３５】
手段８．手段６又は７において、前記第２特定手段は、前記外部電源からの電力供給が行われている状況において、前記把握手段により把握された待機状態と前記記憶手段にそれまで記憶されていた待機状態とを比較することにより、前記開閉体が開放操作されたか否かを特定することを特徴とする遊技機。
【００３６】
手段８によれば、外部電源からの電力供給が行われている状況では、監視手段の待機状態が把握され、その把握された待機状態とそれまで記憶手段に記憶されていた待機状態とが比較され、開閉体が開放操作されたか否かが特定される。これにより、電力供給が行われている状況において開閉体が不正に開放操作された場合にはその事実を把握することが可能となり、それに対して対処することが可能となる。
【００３７】
また、本構成においては、外部電源からの電力供給が行われている状況における開閉体の開放の監視を、外部電源からの電力供給が遮断されている状況における開閉体の開放を監視するための記憶手段等の構成を利用して行うことが可能となる。
【００３８】
手段９．手段４乃至８のいずれか１において、前記監視手段は、閉鎖状態にある前記開閉体が開放操作された場合に前記待機状態が当該操作前の状態から変更され、開放状態にある前記開閉体が閉鎖操作されたとしても前記待機状態が変更されないものであることを特徴とする遊技機。
【００３９】
手段９によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【００４０】
手段１０．手段４乃至８のいずれか１において、前記監視手段は、閉鎖状態にある前記開閉体が開放操作された場合に前記待機状態が当該操作前の状態から変更され、開放状態にある前記開閉体が閉鎖操作されたとしても前記待機状態が変更されないものであり、
前記第２特定手段は、前記外部電源からの電力供給が行われている状況において、前記監視手段の待機状態が変更された場合に前記開閉体が開放されたことを特定することを特徴とする遊技機。
【００４１】
手段１０によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【００４２】
また、外部電源からの電力供給が行われている状況においては、監視手段の待機状態が変更された場合に開閉体が開放されたことが特定される。これにより、電力供給が行われている状況において開閉体が不正に開放操作された場合にはその事実を把握することが可能となり、それに対して対処することが可能となる。
【００４３】
特に、上記のように閉鎖状態にある開閉体が開放操作されたことに基づいて待機状態が当該操作前の状態から変更され、開放状態にある開閉体が閉鎖操作されたとしても待機状態が変更されない構成であるため、外部電源からの電力供給が行われている状況において開閉体が開放操作された場合にはその事実を開放操作されたタイミング又はその直後において特定することが可能となる。よって、開閉体が不正に開放操作された場合には、その事実を開放操作後の初期段階で把握することが可能となり、当該不正行為に対して適切に対処することが可能となる。
【００４４】
手段１１．手段４乃至７のいずれか１において、前記監視手段は、閉鎖状態にある前記開閉体が開放操作された場合に前記待機状態が当該操作前の状態から変更されるとともに、開放状態にある前記開閉体が閉鎖操作された場合にも前記待機状態が当該操作前の状態から変更されるものであり、さらに前記開閉体が開閉操作された場合には前記待機状態が当該開閉操作前の状態から変更されるものであり、
前記第２特定手段は、前記外部電源からの電力供給が行われている状況において、前記開閉体が開放されているか否かを前記監視手段の待機状態に基づいて特定することを特徴とする遊技機。
【００４５】
手段１１によれば、外部電源からの電力供給が行われている状況において開閉体が開放操作された場合には、開閉体が開放状態であることを当該開閉体が閉鎖状態となるまで正確に特定することができる。例えば、外部電源からの電力供給が行われている状況において開閉体が開放操作された場合に報知を行う遊技機においては、当該報知を開閉体が開放状態となってから当該開閉体が閉鎖状態となるまでの間、正確に行うことが可能となる。
【００４６】
手段１２．手段１１において、前記監視手段は、前記開閉体が閉鎖状態にある場合の閉鎖待機状態と前記開閉体が開放状態にある場合の開放待機状態とがそれぞれ複数設定されており、
前記各閉鎖待機状態の情報又は前記各開放待機状態の情報の少なくとも一方を予め記憶した待機状態記憶手段（ＲＯＭ４３２の前扉枠用記憶エリア４４３、本体枠用記憶エリア４４４）をさらに備えており、
前記第２特定手段は、前記外部電源からの電力供給が行われている状況において、前記監視手段の待機状態と前記待機状態記憶手段に記憶されている待機状態の情報とを比較することにより前記開閉体が開放されているか否かを特定することを特徴とする遊技機。
【００４７】
手段１２によれば、監視手段は閉鎖待機状態と開放待機状態とがそれぞれ複数設定されているため、閉鎖状態にある開閉体が開放操作された場合に待機状態が当該操作前の状態から変更されるとともに、開放状態にある開閉体が閉鎖操作された場合にも待機状態が当該操作前の状態から変更され、さらには開閉体が開閉操作された場合には待機状態が当該開閉操作前の状態から変更される。また、待機状態記憶手段が設けられており、外部電源からの電力供給が行われている状況においては、監視手段の待機状態と待機状態記憶手段に記憶されている待機状態の情報とが比較される構成であるため、外部電源からの電力供給が行われている状況において開閉体が開放操作された場合には、開閉体が開放状態であることを当該開閉体が閉鎖状態となるまで正確に特定することができる。これにより、上記手段１１の作用効果を得ることができる。
【００４８】
手段１３．手段１乃至１２のいずれか１において、前記第１特定手段により前記外部電源からの電力供給が遮断されている状況で前記開閉体が開放操作されたことが特定された場合に第１特定出力処理を実行する第１特定出力処理手段（ＣＰＵ３１１における復電時用報知処理を実行する機能、ＣＰＵ４３１における復電時用報知処理を実行する機能等）と、
前記第２特定手段により前記外部電源からの電力供給が行われている状況において前記開閉体が開放操作されたことが特定された場合に第２特定出力処理（ＣＰＵ３１１における通常時用報知処理を実行する機能、ＣＰＵ４３１における通常時用報知処理を実行する機能等）を実行する第２特定出力処理手段と、
をさらに備えていることを特徴とする遊技機。
【００４９】
手段１３によれば、電力供給が遮断されている状況において開閉体が開放操作されたことが特定された場合には第１特定出力処理が実行される。また、電力供給が行われている状況において開閉体が開放操作されたことが特定された場合には第２特定出力処理が実行される。例えば、これら第１特定出力処理及び第２特定出力処理として、遊技機に設置されたランプ、スピーカ又は表示画面を有する表示装置の少なくとも１つを駆動制御して報知を行わせるようにすることで、電力供給が遮断されている状況で開閉体が開放操作されていたこと及び電力供給が行われている状況で開閉体が開放操作されたことを遊技機自身において報知することが可能となる。また、第１特定出力処理及び第２特定出力処理として、例えば、遊技ホールの管理装置（例えば、ホールコンピュータ）に報知信号を出力することで、電力供給が遮断されている状況で開閉体が開放操作されていたこと及び電力供給が行われている状況で開閉体が開放操作されたことを、管理装置を通じて遊技ホールの管理者等に報知することが可能となる。
【００５０】
なお、第１特定出力処理及び第２特定出力処理の態様を同一のものとしてもよく、また異なるものとしてもよい。第１特定出力処理及び第２特定出力処理の態様を異なるものとした場合には、例えば上記報知が行われる場合、電力供給が遮断されている状況で開閉体が開放操作された場合における報知の態様と、電力供給が行われている状況で開閉体が開放操作された場合における報知の態様とを異ならせることが可能となる。よって、遊技ホールの管理者等にとってはいずれのことを報知しているのかを識別することが可能となる。
【００５１】
手段１４．手段１乃至１３のいずれか１において、前記外部電源からの電力供給が開始された場合に予め定められた開始時用処理を実行する開始時用処理手段（ＣＰＵ３１１，４３１におけるメイン処理を実行する機能等）をさらに備えており、
前記開始時用処理において、前記第１特定手段による前記特定が行われることを特徴とする遊技機。
【００５２】
手段１４によれば、外部電源からの電力供給が開始される場合には、外部電源からの電力供給が遮断されている状況において開閉体の開放操作が行われていたか否かが特定される。これにより、電力供給が遮断されている状況において開閉体が不正に開放操作されていた場合には、電力供給の開始後に迅速に対処することが可能となる。
【００５３】
手段１５．手段１乃至１３のいずれか１において、前記外部電源からの電力供給が開始された場合に予め定められた開始時用処理を実行する開始時用処理手段（ＣＰＵ３１１，４３１におけるメイン処理を実行する機能等）と、
当該開始時用処理の終了後に行われ、予め定められた複数の処理を繰り返し実行することで遊技を進行させる繰り返し処理手段（ＣＰＵ３１１，４３１における通常処理を実行する機能等又はタイマ割込み処理を実行する機能等）と、
をさらに備えており、
前記第１特定手段は、前記繰り返し処理手段により実行される前記予め定められた複数の処理における一部の処理として前記特定を行うことを特徴とする遊技機。
【００５４】
外部電源からの電力供給が開始された場合には、短時間で遊技の進行が可能となる状態となることが好ましい。この場合に、手段１５によれば、外部電源からの電力供給が遮断されている状況において開閉体が開放操作されたか否かの特定が開始時用処理においてではなく繰り返し処理において実行される。これにより、開始時用処理の処理時間に影響を及ぼすことなく、外部電源からの電力供給が遮断されている状況において開閉体が開放操作されたか否かを監視することが可能となる。
【００５５】
手段１６．手段１乃至１５のいずれか１において、前記監視手段は、
前記支持対象に対して前記開閉体が閉鎖されている場合に第１位置に待機し、前記支持対象に対して前記開閉体が開放された場合に前記第１位置から第２位置に移動する移動体（プッシャ２６６等）と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体（円盤２６２等）と、
前記複数段階の待機状態として複数段階の検知状態が予め設定されており、前記連動体の待機位置に応じて前記検知状態が変更される検知手段（検知装置２５８）と、
を備えていることを特徴とする遊技機。
【００５６】
手段１６によれば、監視手段が、開閉体の開閉動作に連動して第１位置と第２位置との間を移動する移動体と、当該移動体に連動して一の待機位置から次の待機位置に移動する連動体と、当該連動体の待機位置に応じて検知状態が変更される検知手段と、を備えていることにより、監視手段において外部電源からの電力供給が遮断された状況での開閉体の開閉操作の監視が可能となる。また、監視手段において遊技機の電源機能に対して独立した電源機能が必要なくなるため、遊技ホール等におけるランニングコストの増大化を抑制しつつ、上記手段１や上記手段４等の作用効果において説明した作用効果を得ることができる。
【００５７】
なお、「機械的に連動」とは、電動アクチュエータが介在することなく連動することをいう。
【００５８】
手段１７．手段１６において、前記連動体は、所定の回転軸を中心として回転可能であって前記複数の待機位置として複数の回転待機位置が設定された回転体であり、
当該回転体は、前記移動体が前記第１位置から前記第２位置に移動したこと又は前記第２位置から前記第１位置に移動したことの少なくとも一方に連動して、一の回転待機位置から次の回転待機位置に回転するものであり、
前記検知手段は、前記連動体の回転待機位置に応じて前記検知状態が変更されることを特徴とする遊技機。
【００５９】
手段１７によれば、連動体が回転体として設けられていることにより、連動体を非回転体として設ける構成に比して、移動体に連動した待機位置の変更が良好に行われる。
【００６０】
手段１８．手段１７において、前記移動体は前記回転軸の軸線上を移動するものであり、
当該移動体と前記回転体との間には、それら移動体及び回転体のそれぞれと当接することで、前記移動体が前記第１位置から前記第２位置に移動すること又は前記第２位置から前記第１位置に移動することの少なくとも一方に基づいて、前記回転体を一の前記回転待機位置から次の回転待機位置に回転させる介在体（回転子２６４等）をさらに備えていることを特徴とする遊技機。
【００６１】
手段１８によれば、移動体と回転体との間に介在体が設けられていることにより、移動体の直線的な動作を回転体の回転動作に変換する場合に、その変換を良好に行うことができる。
【００６２】
手段１９．手段１８において、前記介在体は、前記移動体が前記第２位置から前記第１位置に移動する場合よりも当該第１位置から前記第２位置に移動する場合の方が前記回転体の回転量が大きくなるように形成されており、
当該回転量の設定により、前記移動体が前記第２位置から前記第１位置に移動した場合には前記検知状態に変更はなく、前記移動体が前記第１位置から前記第２位置に移動した場合に前記検知状態が変更されることを特徴とする遊技機。
【００６３】
手段１９によれば、開放状態にある開閉体が閉鎖操作されたとしても待機状態が変更されない。したがって、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更される。したがって、外部電源からの電力供給が遮断された状況において、開閉体の不正な開放操作を監視することは可能である。
【００６４】
手段２０．手段１８又は１９において、前記監視手段はケース体（ハウジング２５６）をさらに備えており、当該ケース体に前記移動体、前記介在体及び前記回転体が設置されており、
前記ケース体は前記回転軸と同一直線上に軸線を有する筒状領域（筒状領域２７１）を備えており、
当該筒状領域の内周面には前記軸線方向に延びる溝部（ケース側カム溝２７８）が当該軸線を中心として等間隔で複数形成されており、
前記移動体及び前記介在体は移動体側突起（突起２６６ｃ）及び介在体側突起（回転子側リブ２８５）が前記溝部にガイドされて前記軸線方向に移動可能であるとともに、それら前記移動体及び前記介在体は付勢手段（第１バネ２６３）により前記第２位置に向けて付勢されており、
前記移動体における前記介在体側の端部には移動体側噛合せ部（プッシャ側カム部２９０）が形成されているとともに、前記介在体における前記移動体側の端部には前記移動体側噛合せ部と噛み合い可能な介在体側噛合せ部（回転子側カム部２８９）が形成されており、
前記移動体が前記第２位置にある場合、前記移動体側噛合せ部と前記介在体側噛合せ部とは非噛み合い状態にあり、
前記移動体が前記第１位置に移動する場合、前記介在体は、前記介在体側突起が前記溝部から外れ、前記移動体側噛合せ部と前記介在体側噛合せ部とが噛み合い状態となる位置に前記軸線方向を中心として特定方向に回転し、
その噛み合い状態で前記移動体が前記第２位置に復帰する場合、前記介在体は、前記介在体側突起が前記筒状領域の内周面における前記溝部間のリブ（ケース側リブ２７７）によりガイドされて、当該介在体側突起が前記溝部にガイドされる位置であって前記移動体側噛合せ部と前記介在体側噛合せ部とが非噛み合い状態となる位置に前記軸線方向を中心として前記特定方向に回転し、
前記回転体は、前記介在体の回転動作に連動して、一の前記回転待機位置から次の回転待機位置に回転することを特徴とする遊技機。
【００６５】
手段２０によれば、移動体の移動に連動した回転体の回転待機位置の変更が良好に行われる。
【００６６】
手段２１．手段１６乃至２０のいずれかにおいて、前記連動体は、前記各待機位置に対応させて複数の被検知部（被検知部２９８ａ）を備えており、
前記検知手段は、前記被検知部を検知する検知部（金属端子２９４）を複数備えているとともに、前記被検知部を検知している検知部の組合せにより前記検知状態が変更されるものであることを特徴とする遊技機。
【００６７】
手段２１によれば、検知手段では、連動体の被検知部を検知している検知部の組合せにより検知状態が変更される構成であるため、検知部の数を待機位置の数よりも少なくすることが可能となる。これにより、検知手段の小型化を図ることができ、それに伴って監視手段の小型化を図ることができる。
【００６８】
手段２２．手段１６乃至２１のいずれかにおいて、前記検知手段は、複数の金属端子を備えており、
それら金属端子は、前記連動体に形成された被検知部と接触することで、それら被検知部と接触している金属端子同士が前記連動体を介して電気的に導通されるものであり、
前記連動体を介して電気的に導通される前記金属端子の組合せが前記各検知状態と１対１で対応して異なるように、前記金属端子及び前記被検知部が設置されていることを特徴とする遊技機。
【００６９】
手段２２によれば、検知手段では、電気的に導通する金属端子の組合せにより検知状態が変更される構成であるため、フォトセンサなどを設ける構成に比して、構成の簡素化を図ることができる。
【００７０】
手段２３．手段１６乃至２２のいずれかにおいて、前記監視手段は、前記支持対象に設置されており、
前記移動体は、前記支持対象に対して前記開閉体が閉鎖されている場合には、前記開閉体により押圧されて又は前記開閉体と前記移動体との間に設置された押圧手段により押圧されて前記第１位置に待機し、前記支持対象に対して前記開閉体が開放された場合には、前記押圧が解除されて前記第１位置から前記第２位置に移動するものであることを特徴とする遊技機。
【００７１】
手段２３によれば、移動体は開閉体の開閉動作に連動して、第１位置と第２位置との間を移動する。
【００７２】
手段２４．手段１６乃至２２のいずれかにおいて、前記監視手段は、前記開閉体に設置されており、
前記移動体は、前記支持対象に対して前記開閉体が閉鎖されている場合には、前記支持対象により押圧されて又は前記支持対象と前記移動体との間に設置された押圧手段（押圧片３００）により押圧されて前記第１位置に待機し、前記支持対象に対して前記開閉体が開放された場合には、前記押圧が解除されて前記第１位置から前記第２位置に移動するものであることを特徴とする遊技機。
【００７３】
手段２４によれば、移動体は開閉体の開閉動作に連動して、第１位置と第２位置との間を移動する。
【００７４】
手段２５．手段１乃至２４のいずれかにおいて、前記監視手段がいずれの待機状態にあるかが、前記監視手段の外観上、識別不可となっていることを特徴とする遊技機。
【００７５】
手段２５によれば、監視手段がいずれの待機状態にあるかが、監視手段の外観上、識別不可となっているため、不正行為者などに監視手段の待機状態がいずれであるかが知られてしまうことが防止できる。
【００７６】
手段２６．外部電源から供給される電力に基づいて動作する電気機器（可変入賞装置８３、主制御装置１６２、払出装置２２４、払出制御装置２４２等）が搭載された遊技機本体（本体枠１３）と、当該遊技機本体に対して開閉可能に支持され遊技機前面部を構成する遊技機前面体（前扉枠１４）と、を備えた遊技機において、
複数段階の待機状態が予め設定されているとともに、前記外部電源からの電力供給が行われている状況及び電力供給が遮断されている状況のいずれにおいても前記遊技機前面体の開閉操作に応じて動作し、前記遊技機前面体が開閉操作された場合には前記待機状態が当該開閉操作前の状態から変更される監視手段（監視装置２５０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記遊技機前面体が開放操作されたか否かを特定する第１特定手段（ＣＰＵ３１１におけるステップＳ３１５及びステップＳ３１６の処理を実行する機能等）と、
前記外部電源からの電力供給が行われている状況において、前記遊技機前面体が開放操作されたか否かを前記監視手段の前記動作に基づいて特定する第２特定手段（ＣＰＵ３１１におけるステップＳ５０１及びステップＳ５０２の処理を実行する機能等）と、
を備えていることを特徴とする遊技機。
【００７７】
手段２６の遊技機では、外部電源から供給された電力に基づいて電気機器が動作することで、遊技が進行することとなる。
【００７８】
当該構成において、複数段階の待機状態を有する監視手段が設けられており、外部電源からの電力供給の遮断中であっても遊技機前面体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で遊技機前面体が開放操作されたか否かが特定される。これにより、電力供給が遮断されている状況において遊技機前面体が不正に開閉操作されていた場合にはその事実を把握することが可能となり、それに対して対処することが可能となる。
【００７９】
また、外部電源からの電力供給が行われている状況において遊技機前面体が開放された場合には、それが監視手段を介して特定される。つまり、監視手段は、外部電源からの電力供給が遮断されている状況及び電力供給が行われている状況のいずれにおいても、遊技機前面体の開放を監視する機能を有することとなり、それぞれの機能を別で設ける構成に比して、遊技機の部品点数の削減が図られる。
【００８０】
なお、「前記遊技機前面体が開閉操作された場合には前記待機状態が当該開閉操作前の状態から変更される」には、「閉鎖状態にある前記遊技機前面体が開放操作されたこと又は開放状態にある前記遊技機前面体が閉鎖操作されたことの少なくとも一方に基づいて前記待機状態が変更されるとともに、閉鎖操作後には前記待機状態が開閉操作前の状態から変更される」構成も含まれる。
【００８１】
また、上記手段２６の構成を手段４に対応した構成に変更してもよく、さらには上記手段２６に対して上記手段２，３，５乃至２５のいずれか１の構成を適用してもよい。この場合、上記手段２６に関わる発明は、より効果的なものとなる。但し、手段４に対応した構成に変更する場合及び手段５乃至２５のいずれか１の構成を適用する場合、「支持対象」を「遊技機本体」に代えるとともに、「開閉体」を「遊技機前面体」に代えて適用する。
【００８２】
手段２７．支持対象（外枠１１）に対して開閉可能に支持され、外部電源から供給される電力に基づいて動作する電気機器（可変入賞装置８３、主制御装置１６２、払出装置２２４、払出制御装置２４２等）が搭載された遊技機主体（遊技機主部１２）を備えた遊技機において、
複数段階の待機状態が予め設定されているとともに、前記外部電源からの電力供給が行われている状況及び電力供給が遮断されている状況のいずれにおいても前記遊技機主体の開閉操作に応じて動作し、前記遊技機主体が開閉操作された場合には前記待機状態が当該開閉操作前の状態から変更される監視手段（監視装置２５０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記遊技機主体が開放操作されたか否かを特定する第１特定手段（ＣＰＵ３１１におけるステップＳ３１５及びステップＳ３１６の処理を実行する機能等）と、
前記外部電源からの電力供給が行われている状況において、前記遊技機主体が開放操作されたか否かを前記監視手段の前記動作に基づいて特定する第２特定手段（ＣＰＵ３１１における本体枠開放監視処理を実行する機能等）と、
を備えていることを特徴とする遊技機。
【００８３】
手段２７の遊技機では、外部電源から供給された電力に基づいて電気機器が動作することで、遊技が進行することとなる。
【００８４】
当該構成において、複数段階の待機状態を有する監視手段が設けられており、外部電源からの電力供給の遮断中であっても遊技機主体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で遊技機主体が開放操作されたか否かが特定される。これにより、電力供給が遮断されている状況において遊技機主体が不正に開閉操作されていた場合にはその事実を把握することが可能となり、それに対して対処することが可能となる。
【００８５】
また、外部電源からの電力供給が行われている状況において遊技機主体が開放された場合には、それが監視手段を介して特定される。つまり、監視手段は、外部電源からの電力供給が遮断されている状況及び電力供給が行われている状況のいずれにおいても、遊技機主体の開放を監視する機能を有することとなり、それぞれの機能を別で設ける構成に比して、遊技機の部品点数の削減が図られる。
【００８６】
なお、「前記遊技機主体が開閉操作された場合、前記待機状態が当該開閉操作前の状態から変更される」には、「閉鎖状態にある前記遊技機主体が開放操作されたこと又は開放状態にある前記遊技機主体が閉鎖操作されたことの少なくとも一方に基づいて前記待機状態が変更されるとともに、閉鎖操作後には前記待機状態が開閉操作前の状態から変更される」構成も含まれる。
【００８７】
また、上記手段２７の構成を手段４に対応した構成に変更してもよく、さらには上記手段２７に対して上記手段２，３，５乃至２５のいずれか１の構成を適用してもよい。この場合、上記手段２７に関わる発明は、より効果的なものとなる。但し、手段４に対応した構成に変更する場合及び手段５乃至２５のいずれか１の構成を適用する場合、「開閉体」を「遊技機主体」に代えて適用する。
【００８８】
以下に、以上の各手段を適用し得る各種遊技機の基本構成を示す。
【００８９】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（内，外レール部１０１，１０２）と、遊技領域内に配置された各遊技部品とを備え、それら各遊技部品のうち所定の入球部（各種スイッチ１５２〜１５５）に遊技球が入球した場合に遊技者に特典を付与する遊技機。
【００９０】
スロットマシン等の回胴式遊技機：複数の絵柄を可変表示させる絵柄表示装置を備え、始動操作手段の操作に基づいて前記複数の絵柄の可変表示が開始され、停止操作手段の操作に基づいて前記複数の絵柄の可変表示が停止され、その停止後の絵柄に応じて遊技者に特典を付与する遊技機。
【００９１】
（第１の実施形態）
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００９２】
パチンコ機１０は、当該パチンコ機１０の外殻を形成する外枠１１と、この外枠１１に対して前方に回動可能（開閉可能）に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００９３】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能（開閉可能）に支持されている。詳細には、正面視で左側を回動基端側（開閉基端側）とし右側を回動先端側（開閉先端側）として本体枠１３が前方へ回動可能とされている。
【００９４】
本体枠１３には、図２に示すように、前扉枠１４が回動可能（開閉可能）に支持されており、正面視で左側を回動基端側（開閉基端側）とし右側を回動先端側（開閉先端側）として前方へ回動可能とされている。また、本体枠１３には、図３に示すように、裏パックユニット１５が回動可能（開閉可能）に支持されており、正面視で左側を回動基端側（開閉基端側）とし右側を回動先端側（開閉先端側）として後方へ回動可能とされている。
【００９５】
次に、前扉枠１４について説明する。なお、以下の説明では、図１〜図３を参照するとともに、前扉枠１４の背面の構成については図５を参照する。図５は、前扉枠１４の背面図である。
【００９６】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。なお、ガラス２２に代えて、透明樹脂板を嵌め込むようにしてもよい。
【００９７】
窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００９８】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００９９】
下側膨出部３２の右方には、手前側へ突出するようにして遊技球発射ハンドル４１が設けられている。遊技球発射ハンドル４１が操作されることにより、後述する遊技球発射機構から遊技球が発射される。
【０１００】
前扉枠１４の背面には、図２及び図５に示すように、通路形成ユニット５０が取り付けられている。通路形成ユニット５０は、合成樹脂により形成されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【０１０１】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【０１０２】
次に、本体枠１３について詳細に説明する。図６は本体枠１３の正面図である。
【０１０３】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【０１０４】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【０１０５】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【０１０６】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【０１０７】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【０１０８】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【０１０９】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０１１０】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【０１１１】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【０１１２】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【０１１３】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【０１１４】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【０１１５】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【０１１６】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【０１１７】
次に、本体枠１３の背面構成について説明する。図８は本体枠１３の背面図である。
【０１１８】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【０１１９】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０１２０】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【０１２１】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０１２２】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０１２３】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１２４】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１２５】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【０１２６】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１２７】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１２８】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１２９】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１３０】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１３１】
次に、裏パックユニット１５について説明する。図１２は裏パックユニット１５の正面図、図１３は裏パックユニット１５の分解斜視図である。
【０１３２】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１３３】
ベース部２１１には、その右上部に外部端子板２１３が設けられている。外部端子板２１３には、パチンコ機１０に発生した各種のエラー情報を出力するための出力端子、本体枠１３の開放時に信号出力するための出力端子、及び前扉枠１４の開放時に信号出力するための出力端子等が設けられている。そして、これらの出力端子を通じて、遊技ホール側の管理制御装置（又はホールコンピュータ）に対して枠側の状態に関する信号が出力される。
【０１３４】
ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１３５】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１３６】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１３７】
払出機構部２０２には、裏パック基板（電力受入部又は外部電力受入部）２２９が設置されている。裏パック基板２２９には、例えば交流２４ボルトの主電源が供給され、電源スイッチ２２９ａの切替操作により電源ＯＮ又は電源ＯＦＦとされるようになっている。
【０１３８】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１３９】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１４０】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１４１】
電源及び発射制御装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１４２】
次に、本体枠１３（遊技機主部１２）や前扉枠１４が開放された場合に、その事実を把握するための構成について説明する。
【０１４３】
図６及び図１４に示すように、本体枠１３の樹脂ベース７１には、第１監視装置２５１が設けられている。また、図１５に示すように、裏パックユニット１５には、第２監視装置２５２が設けられている。第１監視装置２５１により前扉枠１４の開放が監視され、第２監視装置２５２により遊技機主部１２の開放が監視される。
【０１４４】
ここで、第１監視装置２５１及び第２監視装置２５２の具体的な構成について説明する。なお、第１監視装置２５１及び第２監視装置２５２は共に同一の構成を具備してなるため、これら両監視装置２５１，２５２の説明を監視装置２５０としてまとめて行う。図１６は監視装置２５０の斜視図、図１７は監視装置２５０の分解斜視図、図１８は監視装置２５０の断面図である。
【０１４５】
監視装置２５０は、有色不透明の合成樹脂材料によりそれぞれ形成された土台用ケース体２５４と蓋用ケース体２５５とを備えており、これら両ケース体２５４，２５５がネジ固定されていることによりハウジング２５６が形成されている。なお、蓋用ケース体２５５及び土台用ケース体２５４のうちいずれか一方又は両方を、無色透明の合成樹脂材料により形成してもよく、また合成樹脂材料ではなく金属材料により形成してもよい。
【０１４６】
ハウジング２５６内には、本体枠１３や前扉枠１４といった監視対象物の移動に応じて機械的に動作し、その動作により待機位置が変更される機械的動作機構２５７と、当該機械的動作機構２５７の待機位置を検知するとともにその検知状態を主制御装置１６２に出力するための検知装置２５８とが設置されている。なお、両ケース体２５４，２５５のうち、蓋用ケース体２５５の側面には一対の固定用フランジ２５９が一体形成されており、これら固定用フランジ２５９を介して、監視装置２５０は設置対象にネジ固定（着脱自在に固定）されている。
【０１４７】
機械的動作機構２５７について詳細に説明する。なお、機械的動作機構２５７の説明では、図１６〜図１８に加え、図１９を参照する。図１９は、機械的動作機構２５７の主要構成部品の側面図である。
【０１４８】
機械的動作機構２５７は、回転軸体２６１と、連動体としての円盤２６２と、第１付勢手段としての第１バネ２６３と、リンク体としての回転子２６４と、第２付勢手段としての第２バネ２６５と、移動体としてのプッシャ（押下体又は押圧体）２６６と、を備えている。なお、図１９においては、第１バネ２６３及び第２バネ２６５を省略して示す。
【０１４９】
回転軸体２６１は、土台用ケース体２５４上において円盤２６２を回転可能に保持するためのものである。具体的には、回転軸体２６１は、合成樹脂材料により形成されており、図１９等に示すように、円柱状をなす基部２６１ａと、当該基部２６１ａの一端面から起立させて形成され角柱状をなす軸部２６１ｂとを備えている。軸部２６１ｂは基部２６１ａよりもその周縁が一回り小さく形成されており、基部２６１ａと軸部２６１ｂとの境界部分には段差面２６１ｃが存在している。なお、回転軸体２６１は、その内部が空洞となっており、基部２６１ａの先端部にて開放されているが、非空洞形状としてもよい。
【０１５０】
回転軸体２６１に対して円盤２６２が組み付けられて両者が一体化されている。詳細には、円盤２６２の中央には、図１７に示すように、角形（具体的には、四角形状）の貫通孔２６２ａが形成されており、当該貫通孔２６２ａに対して回転軸体２６１の軸部２６１ｂが嵌合されている。この場合、軸部２６１ｂの高さ寸法は円盤２６２の厚み寸法よりも大きくなっており、さらに円盤２６２の裏面は回転軸体２６１の上記段差面２６１ｃに当接している。したがって、図１８に示すように、軸部２６１ｂは円盤２６２の表面よりも軸線方向の外方に突出している（以下、突出部２６１ｄともいう）。なお、回転軸体２６１と円盤２６２とは別体である必要はなく、両者が一体形成されていてもよい。
【０１５１】
円盤２６２が一体化された回転軸体２６１は、基部２６１ａにおける段差面２６１ｃとは反対側の端部が土台用ケース体２５４の内側の板面上に載るようにして、土台用ケース体２５４上に載置されている。この場合、土台用ケース体２５４には内側の板面から起立させて円形囲い枠２５４ａが一体形成されており、当該円形囲い枠２５４ａにより区画された領域内に基部２６１ａが載置されている。この円形囲い枠２５４ａにより内側の板面上に沿った回転軸体２６１（及び円盤２６２）の移動が規制されている。
【０１５２】
円盤２６２が一体化された回転軸体２６１が土台用ケース体２５４上に載置された状態において、当該回転軸体２６１の軸部２６１ｂの突出部２６１ｄは、図１８に示すように、蓋用ケース体２５５の筒状領域２７１内に入り込んでいる。
【０１５３】
詳細には、蓋用ケース体２５５には、円盤２６２の回転軸線と軸線が同一線上に位置するようにして筒状領域２７１が一体形成されている。筒状領域２７１は、蓋用ケース体２５５の表面から外方に起立させて形成された外側筒部２７２と、蓋用ケース体２５５の裏面から内方に起立させて形成された内側筒部２７３とを備えており、蓋用ケース体２５５を内外に貫通している。
【０１５４】
外側筒部２７２の先端開口部２７５には、図１８に示すように、内側に突出した環状縮径部２７６が一体形成されており、筒状領域２７１の内径は外側筒部２７２の先端開口部２７５にて縮径されている。また、外側筒部２７２の内周面には、図１９（ａ）に示すように、環状縮径部２７６を基端として軸線方向に延びる複数（具体的には、８個）のケース側リブ２７７が一体形成されている。これら複数のケース側リブ２７７は、上記軸線を中心として等間隔に形成されており、各ケース側リブ２７７間にはそれぞれケース側カム溝２７８が形成されている。任意の一のケース側リブ２７７は他の一のケース側リブ２７７と対向しており、任意の一のケース側カム溝２７８は他の一のケース側カム溝２７８と対向している。また、ケース側リブ２７７の数はケース側カム溝２７８の数と同一となっている。なお、対向するケース側カム溝２７８間の距離は、筒状領域２７１におけるケース側リブ２７７が形成された領域よりも内側筒部２７３側の領域の内径と同一となっている。
【０１５５】
上記構成の筒状領域２７１内に、図１８に示すように、内側筒部２７３側から突出部２６１ｄが入り込んでいる。また、筒状領域２７１には、第１バネ２６３、回転子２６４、第２バネ２６５及びプッシャ２６６が設置されている。これら第１バネ２６３、回転子２６４、第２バネ２６５及びプッシャ２６６は、それらの各軸線が円盤２６２の回転軸線及び筒状領域２７１の軸線と同一線上に位置している。
【０１５６】
プッシャ２６６は合成樹脂材料により形成されており、図１８に示すように、軸線方向の一端側が開放され他端側が閉塞された形状をなしている。なお、閉塞部２６６ａの周面は外方に凸の曲面状となっている。
【０１５７】
プッシャ２６６の外周面におけるその開放部２６６ｂ側には、外方に突出した複数の突起２６６ｃが一体形成されている。これら複数の突起２６６ｃは、上記軸線を中心として等間隔に形成されており、任意の一の突起２６６ｃは他の一の突起２６６ｃと対向している。突起２６６ｃの数は、ケース側リブ２７７やケース側カム溝２７８の数よりも少ないが、同数としてもよい。
【０１５８】
プッシャ２６６における、閉塞部２６６ａの周面及び突起２６６ｃが形成された領域を除いた部位の外径は、対向するケース側リブ２７７間の距離と同一又はそれよりも若干小さくなっている。プッシャ２６６は、筒状領域２７１内にその内側筒部２７３側から挿通されており、閉塞部２６６ａ側が先端開口部２７５を通じて筒状領域２７１の外方に突出しており、開放部２６６ｂ側が筒状領域２７１内にある。この場合、各突起２６６ｃは、ケース側カム溝２７８内に入り込んでいる。そして、プッシャ２６６は、筒状領域２７１内を軸線方向に移動可能となっている。
【０１５９】
筒状領域２７１内であってプッシャ２６６と円盤２６２との間に、回転子２６４が設けられている。回転子２６４は合成樹脂材料により形成されており、図１９（ｃ）に示すように、軸線方向の途中位置に形成された段差部２８１を介して、外径が相対的に大小となった小径部２８２と大径部２８３とを備えている。
【０１６０】
大径部２８３の外周面には、その先端部から当該大径部２８３の途中位置まで軸線方向に延びる複数（具体的には、８個）の回転子側カム溝２８４が形成されている。これら複数の回転子側カム溝２８４は、上記軸線を中心として等間隔に形成されており、各回転子側カム溝２８４間にはそれぞれ回転子側リブ２８５が形成されている。回転子側カム溝２８４の数は回転子側リブ２８５の数と同一となっており、さらには回転子側カム溝２８４及び回転子側リブ２８５の数はケース側カム溝２７８及びケース側リブ２７７の数と同一となっている。
【０１６１】
回転子２６４において回転子側リブ２８５が形成された部位が最大外径部位となっており、この最大外径部位の外径は筒状領域２７１におけるケース側リブ２７７が形成された領域よりも内側筒部２７３側の領域の内径と同一又はそれよりも若干小さくなっている。また、各回転子側リブ２８５は各ケース側カム溝２７８内に入り込み可能に形成されているとともに、各回転子側カム溝２８４は各ケース側リブ２７７が入り込み可能に形成されている。したがって、回転子２６４は筒状領域２７１内を軸線方向に移動可能となっている。
【０１６２】
回転子２６４は、図１８に示すように、その内部が小径部２８２の先端にて開放された第１開放領域２８６と、その内部が大径部２８３の先端にて開放された第２開放領域２８７とを備えており、これら第１開放領域２８６と第２開放領域２８７とは軸線方向に直交する面を有する仕切板部２８８により区画されている。
【０１６３】
第１開放領域２８６及び第２開放領域２８７のうち、第１開放領域２８６は断面が角形状（具体的には、四角形状）をなしており、当該角形状は回転軸体２６１の軸部２６１ｂの角形状と同一の多角形状をなしている。この第１開放領域２８６に軸部２６１ｂが遊挿されている。但し、第１開放領域２８６の各内面は軸部２６１ｂの各外面と近い位置にあり、回転子２６４は回転軸体２６１及び円盤２６２と一体的に回転する。つまり、回転子２６４がその軸線を中心として回転する場合、それに連動して円盤２６２が軸線を中心として回転する。ちなみに、第１開放領域２８６の長さ寸法は、突出部２６１ｄの長さ寸法よりも小さくなっている。
【０１６４】
これら回転子２６４と円盤２６２との間に介在させて、図１８に示すように、上記第１バネ２６３が設置されている。第１バネ２６３は、その内径が回転子２６４の小径部２８２の外径よりも大きくなっており、その一端が円盤２６２の表面に当接しており、他端が回転子２６４の段差部２８１に当接している。また、回転子２６４とプッシャ２６６との間に介在させて、上記第２バネ２６５が設置されている。第２バネ２６５は、その外径がプッシャ２６６の内径よりも小さくなっており、プッシャ２６６の内部空間に収容されている。そして、その一端がプッシャ２６６の閉塞部内面に当接しており、他端が回転子２６４の仕切板部２８８に当接している。第１バネ２６３及び第２バネ２６５は、圧縮状態で設置されている。なお、これら第１バネ２６３及び第２バネ２６５のうち、第１バネ２６３の付勢力の方が第２バネ２６５の付勢力よりも大きい。
【０１６５】
第１バネ２６３の付勢力は、円盤２６２に付与されるとともに、回転子２６４及びプッシャ２６６に付与される。この付勢力により、円盤２６２は土台用ケース体２５４に向けて付勢され、回転子２６４及びプッシャ２６６は外側筒部２７２の先端開口部２７５に向けて付勢されている。
【０１６６】
この先端開口部２７５に向けた回転子２６４及びプッシャ２６６の移動は、プッシャ２６６の各突起２６６ｃが外側筒部２７２の環状縮径部２７６に内側から当接した位置にて規制されている。つまり、プッシャ２６６の押圧が行われていない自然状態では、プッシャ２６６は筒状領域２７１から最も外方に突出した最大突出位置にある。
【０１６７】
回転子２６４は、上記自然状態において、各回転子側リブ２８５が各ケース側カム溝２７８に入り込み、さらに各回転子側カム溝２８４に各ケース側リブ２７７が入り込んだ状態となっている。つまり、回転子２６４は、自然状態において、軸線方向を中心とした回転が不可能となっている。なお、回転子２６４は、自然状態において、その第１開放領域２８６に突出部２６１ｄが遊挿されている。
【０１６８】
一方、第２バネ２６５の付勢力は、回転子２６４に付与されるとともに、プッシャ２６６に付与される。この第２バネ２６５は、プッシャ２６６における後述する自然状態への復帰動作を良好にするためのものである。なお、当該第２バネ２６５を不具備としても、プッシャ２６６の自然状態への復帰動作は可能である。
【０１６９】
以上説明した機械的動作機構２５７では、プッシャ２６６の自然状態からの移動及び当該自然状態への復帰に連動して円盤２６２が回転する。そこで、かかる円盤２６２の回転に関する構成について説明する。
【０１７０】
円盤２６２は上記のとおり回転軸体２６１と一体化されており、土台用ケース体２５４上に回転可能に載置されている。この場合に、円盤２６２は、回転子２６４の回転移動に連動して回転移動する。詳細には、回転子２６４の大径部２８３の先端には、図１９（ｃ）に示すように、連続山形状の回転子側カム部２８９が一体形成されている。この回転子側カム部２８９は、複数の山部２８９ａから構成されている。具体的には、一対の回転子側リブ２８５と回転子側カム溝２８４に対して、一の山部２８９ａが形成されている。この場合、回転子側リブ２８５の先端面は全て一方向への傾斜面となっており、各回転子側リブ２８５においてそれら傾斜面の傾斜方向及び傾斜角度は全て同一となっている。同様に、回転子側カム溝２８４の先端面は全て一方向への傾斜面となっており、各回転子側カム溝２８４においてそれら傾斜面の傾斜方向及び傾斜角度は全て同一となっている。
【０１７１】
上記回転子側カム部２８９に対応させて、プッシャ２６６の開放部２６６ｂの先端には、図１９（ｂ）に示すように、連続山形状のプッシャ側カム部２９０が一体形成されている。プッシャ側カム部２９０は、回転子側カム部２８９の山部２８９ａと同数の山部２９０ａから構成されている。そして、プッシャ側カム部２９０の山部２９０ａは、回転子側カム部２８９の山部２８９ａと同一のピッチ、大きさ、傾斜及び形状を有している。したがって、回転子２６４の大径部２８３の先端とプッシャ２６６の開放部２６６ｂの先端とをそれらの軸線方向に重ね合わせると、回転子側カム部２８９とプッシャ側カム部２９０とが完全に噛み合う。
【０１７２】
また、筒状領域２７１のケース側リブ２７７の先端面２７７ａは、図１９（ａ）に示すように、全て一方向への傾斜面となっており、各ケース側リブ２７７においてそれら傾斜面の傾斜方向及び傾斜角度は全て同一となっている。この各ケース側リブ２７７の先端面２７７ａの傾斜方向は、各回転子側リブ２８５の先端面の傾斜方向に対して逆方向となっているが、両者の傾斜角度は同一となっている。
【０１７３】
上記のように回転子側カム部２８９、プッシャ側カム部２９０及びケース側リブ２７７が形成されていることにより、プッシャ２６６の自然状態からの移動及び当該自然状態への復帰に連動して円盤２６２が回転する。かかる円盤２６２の回転動作について、図２０を参照して説明する。図２０は、プッシャ２６６の移動に連動した円盤２６２の回転動作を説明するための説明図である。なお、図２０（ａ）は自然状態を示し、図２０（ｂ）及び図２０（ｃ）はプッシャ２６６が押圧されている状態を示し、図２０（ｄ）は自然状態に復帰する過程を示す。また、図２０（ａ）〜（ｄ）において、ドット模様で示す部位は回転子側リブ２８５であり、格子状模様で示す部位はケース側リブ２７７であり、黒塗りで示す部位はプッシャ２６６の突起２６６ｃである。
【０１７４】
図２０（ａ）に示すように、自然状態では、上述したように、第１バネ２６３に付勢されて、プッシャ２６６は最大突出位置にある。この場合、回転子２６４は、各回転子側リブ２８５が各ケース側カム溝２７８に入り込んでいるとともに、各回転子側カム溝２８４に各ケース側リブ２７７が入り込んでいる。これにより、回転子２６４の回転移動は阻止されている。なお、プッシャ２６６も、その突起２６６ｃがケース側カム溝２７８に入り込んでいるため、回転移動が阻止されている。また、回転子側カム部２８９は、その一部がプッシャ側カム部２９０に当接している。但し、これらカム部２８９，２９０は完全には噛み合っていない。
【０１７５】
その後、プッシャ２６６が第１バネ２６３の付勢力に抗する力で押圧されることにより、プッシャ２６６及び回転子２６４が円盤２６２側に向けて移動し、図２０（ｂ）に示すように、各回転子側リブ２８５が各ケース側カム溝２７８から外れるとともに、各回転子側カム溝２８４から各ケース側リブ２７７が外れる。これにより、回転子２６４の回転移動が許容される。一方、プッシャ２６６は、その突起２６６ｃがケース側カム溝２７８に入り込んでいるため、回転移動は依然として阻止されている。
【０１７６】
ここで、回転子２６４は上記のとおり第１バネ２６３の付勢力を受けているため、プッシャ２６６が押圧されている状況であってもプッシャ２６６側に向けた力が加わっている。また、回転子側カム部２８９は、その一部がプッシャ側カム部２９０に当接している。したがって、回転子２６４は、回転子側カム部２８９がプッシャ側カム部２９０と完全に噛み合う位置に向けて回転移動する。これにより、図２０（ｃ）に示すように、回転子２６４のそれ以上の内側への移動が阻止されたプッシャ２６６の最大押圧位置では、回転子側カム部２８９はプッシャ側カム部２９０と完全に噛み合っている。この場合に、上記のとおり、回転子２６４と円盤２６２とは回転軸体２６１の軸部２６１ｂを介して一体的に回転するようになっている。したがって、図２０（ｂ）から図２０（ｃ）への回転子２６４の回転移動に合わせて円盤２６２が回転移動する。この円盤２６２の回転量（回転角度）は、回転子２６４の回転量（回転角度）と同一となっている。これは、以下も同様である。
【０１７７】
その後、プッシャ２６６の押圧が解除されることにより、プッシャ２６６及び回転子２６４は、第１バネ２６３の付勢力（及び第２バネ２６５の付勢力）によって自然状態に向けて移動する。但し、プッシャ側カム部２９０の谷部分は、回転子２６４の回転方向で見て、ケース側リブ２７７の幅方向の中間位置となっている。したがって、図２０（ｄ）に示すように、プッシャ２６６はケース側リブ２７７と干渉することなく自然状態に向けて移動するが、回転子２６４は回転子側リブ２８５がケース側リブ２７７と干渉する。
【０１７８】
この場合に、上記のとおり、各ケース側リブ２７７の先端面２７７ａの傾斜方向は、各回転子側リブ２８５の先端面の傾斜方向に対して逆方向となっており、さらに両者の傾斜角度は同一となっている。また、回転子２６４は上記のとおり第１バネ２６３の付勢力を受けている。したがって、回転子２６４は、ケース側リブ２７７の先端面２７７ａに沿って回転移動する。また、この回転子２６４の回転移動に合わせて円盤２６２が回転移動する。これら回転子２６４及び円盤２６２の回転方向は、プッシャ２６６が押圧された際の回転子２６４及び円盤２６２の回転方向と同一となっている。そして、最終的に、図２０（ａ）に示すように、プッシャ２６６及び回転子２６４が自然状態に復帰する。但し、上記一連の動作により回転子２６４は所定角度回転し、各回転子側リブ２８５は当初のケース側カム溝２７８内からその隣のケース側カム溝２７８内に移動している。そして、この回転子２６４の回転移動に合わせて円盤２６２も回転移動している。
【０１７９】
以上説明した本構成では、自然状態にあるプッシャ２６６が押圧され、その後に自然状態に復帰するという１サイクルの動作が行われた場合には、円盤２６２は常に同一の規定角度だけ回転移動する（規定回転量だけ回転移動する）。そして、円盤２６２が一周するためには、上記１サイクルの動作がケース側カム溝２７８の数分行われる必要がある。かかる構成では、円盤２６２は、自然状態における待機位置（回転待機位置）が複数段階設定されていると言うことができ、上記１サイクルの動作により１の待機位置から次の待機位置に移動すると言える。
【０１８０】
上記のように回転子２６４及び円盤２６２が回転する構成において、プッシャ２６６が最大突出位置（又は、自然状態）から最大押圧位置（又は、プッシャ側カム部２９０と回転子側カム部２８９とが完全に噛み合う位置）に移動するまでの回転量（回転角度）は、プッシャ２６６が最大押圧位置から最大突出位置に移動するまでの回転量（回転角度）よりも小さくなっている。当該構成について図２１を参照して説明する。図２１は、蓋用ケース体２５５の筒状領域２７１、プッシャ２６６の開放部２６６ｂ側及び回転子２６４の大径部２８３周辺を展開して示す説明図である。なお、図２１における寸法や距離の記載は、単一の仮想円周を基準としたものである。
【０１８１】
既に説明したように、ケース側リブ２７７の幅寸法Ｘ１とケース側カム溝２７８の幅寸法Ｘ２とは同一（又は略同一）となっており（Ｘ１＝Ｘ２）、図２１（ａ）に示すように、一対のケース側リブ２７７とケース側カム溝２７８との各幅寸法Ｘ１，Ｘ２の和は、距離Ｌ１となっている（Ｌ１＝Ｘ１＋Ｘ２）。そして、上記のとおり、自然状態からプッシャ２６６が最大押圧位置まで移動し、その後、自然状態に復帰した場合、各回転子側リブ２８５は当初のケース側カム溝２７８内からその隣りのケース側カム溝２７８内に移動する。したがって、プッシャ２６６が上記のように１サイクルの移動を行った場合、回転子２６４の回転量はＬ１となる。
【０１８２】
また、プッシャ側カム部２９０の山部（プッシャ側山部）２９０ａの数と回転子側カム部２８９の山部（回転子側山部）２８９ａの数とは同一となっており、さらにプッシャ側山部２９０ａの幅寸法と回転子側山部２８９ａの幅寸法とは同一となっている。プッシャ側山部２９０ａ及び回転子側山部２８９ａは、共に同一形状及び同一の大きさの二等辺三角形となっており、幅寸法はＬ１となっている。ちなみに、各山部２８９ａ，２９０ａの最大突出箇所から最大凹箇所までの幅寸法は（Ｌ１×１／２）となっている。また、各プッシャ側山部２９０ａの最大突出箇所は、ケース側カム溝２７８の幅方向の中間位置にあり、各プッシャ側山部２９０ａの最大凹箇所は、ケース側リブ２７７の幅方向の中間位置にある。
【０１８３】
図２１（ａ）に示すように、自然状態では、各回転子側リブ２８５が各ケース側カム溝２７８内に入り込んでいる。この場合、プッシャ側山部２９０ａと回転子側山部２８９ａとは当接しているが、プッシャ側カム部２９０と回転子側カム部２８９とが完全に噛み合った状態のときよりも幅方向に距離Ｌ２分ずれた位置にある。この距離Ｌ２は、距離Ｌ１の１／４となっている。
【０１８４】
その後、プッシャ２６６が押圧され各回転子側リブ２８５が各ケース側カム溝２７８から外れることにより、回転子２６４が距離Ｌ２分、すなわち距離（Ｌ１×１／４）分だけ回転移動し、図２１（ｂ）に示すように、プッシャ側カム部２９０と回転子側カム部２８９とが噛み合った状態となる。
【０１８５】
その後、プッシャ２６６の押圧が解除され自然状態に復帰することで、既に説明したように、回転子２６４が回転移動し、各回転子側リブ２８５が移動先の各ケース側カム溝２７８内に入り込んだ状態となる。この際の回転量は、距離（Ｌ１−Ｌ２）分、すなわち距離（Ｌ１×３／４）分である。つまり、本構成においては、自然状態からプッシャ２６６が最大押圧位置まで移動する際に回転子２６４が回転移動する回転量（回転角度）は、自然状態に復帰する際に回転子２６４が回転移動する回転量（回転角度）の１／３となっている。そして、これに伴って、円盤２６２が回転移動する回転量（回転角度）は、自然状態からプッシャ２６６が最大押圧位置まで移動する際に対して、自然状態に復帰する際の１／３となっている。
【０１８６】
なお、回転子２６４（及び円盤２６２）の回転量は上記のものに限定されることはない。すなわち、回転子側リブ２８５が一のケース側カム溝２７８からその隣りのケース側カム溝２７８に回転移動する場合、その回転移動の途中位置にてプッシャ側カム部２９０と回転子側カム部２８９とが噛み合い、この噛み合いにより、自然状態からプッシャ２６６が最大押圧位置に向けて移動する場合の回転子２６４の回転移動が規制されるものであり、この各カム部２８９，２９０が噛み合う位置までの回転子２６４の回転量（回転角度）が当該噛み合う位置から移動先のケース側カム溝２７８までの回転子２６４の回転量（回転角度）よりも小さくなっていればよい。
【０１８７】
次に、検知装置２５８による円盤２６２の待機位置の検知に関する構成を説明する。図２２は検知装置２５８の平面図である。
【０１８８】
検知装置２５８は、円盤２６２の回転待機位置を検知し、その検知結果を主制御装置１６２に出力する機能を有する。具体的には、検知装置２５８は、合成樹脂材料により形成されたベース部２９１を備えている。ベース部２９１は、その中央部分に厚み方向に貫通した矩形の開口部２９１ａを有する略矩形枠状をなしている。ベース部２９１には、その周縁部の一辺に外方に延出した延出板部２９１ｂが一体形成されており、当該延出板部２９１ｂの表面にはコネクタ（電気的接続部材）２９２が設置されている。コネクタ２９２は複数（具体的には、５個）の接続ピン２９２ａを備えている。当該コネクタ２９２には、図１６や図１７に示すように、主制御装置１６２に向けた信号経路を形成するハーネス２９３のコネクタ（電気的接続部材）２９３ａが接続される。なお、ハーネス２９３は、上記接続ピン２９２ａの数と同数の電気配線２９３ｂを束ねてなり、各接続ピン２９２ａに対応した信号経路は主制御装置１６２と検知装置２５８との間の全体に亘ってそれぞれ独立している。
【０１８９】
コネクタ２９２の接続ピン２９２ａは、図２２に示すように、開口部２９１ａに設置された長尺状の金属端子２９４と電気的に接続されている。金属端子２９４について詳細には、金属端子２９４は複数設けられており、各金属端子２９４は全て同一の形状及び大きさを有している。金属端子２９４の数は、コネクタ２９２の接続ピン２９２ａと同数となっている。各金属端子２９４は、その一端が開口部２９１ａの周縁におけるコネクタ２９２側の一辺に固定されているとともに、他端が開口部２９１ａの周縁におけるコネクタ２９２側の一辺に対して対向する一辺に固定されている。つまり、各金属端子２９４は、開口部２９１ａの周縁におけるコネクタ２９２側の一辺とそれに対向する一辺とを橋渡すようにして設置されている。
【０１９０】
開口部２９１ａにおいて各金属端子２９４は相互に離間させて設けられており、各金属端子２９４は相互に接触していない。また、複数の金属端子２９４は、開口部２９１ａにおける非橋渡し方向の両端部にそれぞれ偏倚させて設置されている。これにより、開口部２９１ａにおいて非橋渡し方向の中央部分は所定範囲に亘って金属端子２９４が位置していない。
【０１９１】
上記のように開口部２９１ａにおける非橋渡し方向の両端部にそれぞれ偏倚させて複数の金属端子２９４を設置した構成において、非橋渡し方向の一端側に偏倚させて設置された金属端子２９４の数と他端側に偏倚させて設置された金属端子２９４の数とは異なっている。具体的には、図２２の状態で見て、右端側に偏倚させて設置された金属端子２９４の数は３個となっており、左端側に偏倚させて設置された金属端子２９４の数は２個となっている。このうち、右端側の金属端子２９４は等間隔で離間させて設置されており、この離間させた間隔は金属端子２９４の幅寸法分となっている。また、左端側の金属端子２９４は、当該金属端子２９４の幅寸法分離間させて設置されている。
【０１９２】
なお、右端側の金属端子２９４の数を左端側の金属端子２９４の数よりも少なくしてもよく、右端側の金属端子２９４の数と左端側の金属端子２９４の数とを同数としてもよい。また、右端側又は左端側のいずれか一方にのみ金属端子２９４を設置するようにしてもよい。また、金属端子２９４間の距離は、金属端子２９４の幅寸法分よりも大きくてもよい。
【０１９３】
各金属端子２９４は、その長さ方向の中間部分が、ベース部２９１の裏面側から表面側に変形されている。つまり、各金属端子２９４は、その長さ方向の中間部分に隆起接点部２９５が形成されている。各金属端子２９４は、隆起接点部２９５のみが開口部２９１ａの表面側の縁部よりも外方に突出しており、その他の部分は当該表面側の縁部よりも奥まった位置にある。これら隆起接点部２９５は、検知装置２５８の上方に位置する円盤２６２の裏面によって上方から若干押圧されている。金属端子２９４は、比較的弾性の大きい金属により長尺状に形成されており板バネとしての機能を有しているため、隆起接点部２９５は自己の付勢力により円盤２６２の裏面に接した状態が維持されている。
【０１９４】
各金属端子２９４は、ベース部２９１の裏面に設けられた中継電気線２９６を介してコネクタ２９２の接続ピン２９２ａと電気的に接続されている。この中継電気線２９６は、金属端子２９４及び接続ピン２９２ａの各組合せと１対１で対応させて設けられており、各中継電気線２９６は相互に離間されている。
【０１９５】
上記の検知装置２５８は、土台用ケース体２５４上に載置されているとともに、当該土台用ケース体２５４と蓋用ケース体２５５とにより挟持されている。そして、検知装置２５８は、延出板部２９１ｂ及びコネクタ２９２を除いてハウジング２５６内に収容されている。つまり、延出板部２９１ｂ及びコネクタ２９２はハウジング２５６外に突出している。
【０１９６】
検知装置２５８は、土台用ケース体２５４上において、円盤２６２の下方に位置している。この場合に、円盤２６２と一体化された回転軸体２６１は土台用ケース体２５４上に載置されているが、検知装置２５８のベース部２９１には開口部２９１ａが形成されており、さらに開口部２９１ａにおいて非橋渡し方向の中央部分は所定範囲に亘って金属端子２９４が位置していないため、検知装置２５８と回転軸体２６１との干渉が防止されている。
【０１９７】
円盤２６２は、検知装置２５８の上方において回転移動する。この円盤２６２の構成について図２３を用いてより詳細に説明する。図２３（ａ）は円盤２６２の平面図、図２３（ｂ）は図２３（ａ）のＡ―Ａ線断面図である。
【０１９８】
円盤２６２は、図２３（ｂ）に示すように、その厚み方向に複数層構造となっている。具体的には、表側の第１樹脂板層２９７と、中間の金属板層２９８と、裏側の第２樹脂板層２９９と、からなる３層構造となっている。この場合、回転軸体２６１の軸部２６１ｂが嵌合される貫通孔２６２ａは、全ての板層２９７〜２９９を貫通するようにして形成されている。
【０１９９】
円盤２６２は、既に説明したように、自然状態における待機位置が複数段階設定されており、プッシャ２６６の上記１サイクルの動作により、一の待機位置から次の待機位置に回転移動する。ここで、図２３（ａ）において、円盤２６２の表面に記した数字は待機位置を示しており、当該円盤２６２は第１待機位置〜第８待機位置を有している。この待機位置について詳細には、第１待機位置では、数字の「１」が記された部位が、検知装置２５８のコネクタ２９２と最も近い位置にある。また、円盤２６２は、図２３（ａ）の状態で見て時計回りに回転移動するものであり、次の第２待機位置では、数字の「２」が記された部位が、検知装置２５８のコネクタ２９２と最も近い位置にある。なお、この数字を不具備としてもよい。
【０２００】
円盤２６２は、各待機位置において、検知装置２５８の各金属端子２９４を、所定の組合せで電気的に導通させる。当該機能について詳細に説明する。円盤２６２の第１樹脂板層２９７と金属板層２９８とには、貫通孔２６２ａ以外の孔部は形成されていないが、第２樹脂板層２９９には貫通孔２６２ａ以外に複数の孔部２９９ａが形成されている。この孔部２９９ａが形成された位置では、金属板層２９８の板面が露出している。この露出した板面が、検知装置２５８による被検知部２９８ａとなっている。
【０２０１】
被検知部２９８ａは、図２３（ａ）に示すように、円盤２６２の周縁寄りの位置に形成されている。これら被検知部２９８ａは、各待機位置にそれぞれ対応させて形成されており、円盤２６２が対応する待機位置となった際にいずれかの金属端子２９４の隆起接点部２９５の上方に位置する。そして、被検知部２９８ａが下方に位置する隆起接点部２９５と当接するように、第２樹脂板層２９９の厚み寸法、第２樹脂板層２９９の柔らかさ、及び隆起接点部２９５の隆起度合いが設定されている。この場合、一の待機位置に対応する各被検知部２９８ａは、円盤２６２の中心を通る直線上に並んでいる。また、任意の待機位置から円盤２６２を１８０°回転移動させると、他の待機位置となる。したがって、一の待機位置に対応する各被検知部２９８ａが並ぶ直線上には、円盤２６２を１８０°回転移動させた場合の待機位置に対応する各被検知部２９８ａも並んでいる。但し、これら待機位置に対応した各被検知部２９８ａは、重複していない。
【０２０２】
円盤２６２によって電気的に導通される金属端子２９４の組合せと当該円盤２６２の待機位置との関係について図２４及び図２５を参照して説明する。なお、以下の説明では、各金属端子２９４を図２４の状態で見て左側から順に、第１金属端子２９４ａ、第２金属端子２９４ｂ、第３金属端子２９４ｃ、第４金属端子２９４ｄ及びベース金属端子２９４ｅと称する。
【０２０３】
図２４（ａ）及び図２５に示すように、円盤２６２が第１待機位置にある場合、第１金属端子２９４ａとベース金属端子２９４ｅとが電気的に導通される。また、図２４（ｂ）及び図２５に示すように、円盤２６２が第１待機位置にある場合、第２金属端子２９４ｂとベース金属端子２９４ｅとが電気的に導通される。また、第３待機位置〜第８待機位置については、図２５に示すとおりである。そして、図２５に示すように、各待機位置において、電気的に導通される金属端子２９４の組合せは全て異なっている。なお、いずれの待機位置においても、ベース金属端子２９４ｅが他の金属端子２９４ａ〜２９４ｄと電気的に導通される。
【０２０４】
上記のとおり、一の待機位置に対応する各被検知部２９８ａが並ぶ直線上には、円盤２６２を１８０°回転移動させた場合の待機位置に対応する各被検知部２９８ａも並んでいる。この場合に、一方の待機位置において他の待機位置に対応した被検知部２９８ａが隆起接点部２９５の上方に位置しないようになっている。
【０２０５】
詳細には、各金属端子２９４は、図２４の状態で見て、第１金属端子２９４ａと第２金属端子２９４ｂとが開口部２９１ａの左端側にあり、第３金属端子２９４ｃと第４金属端子２９４ｄとベース金属端子２９４ｅとが開口部２９１ａの右端側にある。この場合に、円盤２６２の回転中心に対する各金属端子２９４ａ〜２９４ｅの隆起接点部２９５の距離が異なるように、各金属端子２９４ａ〜２９４ｅが設置されている。そして、各金属端子２９４ａ〜２９４ｅの幅寸法は全て同一となっているとともに、円盤２６２の回転中心に対する各隆起接点部２９５の距離は当該幅寸法の自然数倍ずつ異なっている。さらに、隆起接点部２９５の大きさは、接触対象の被検知部のみが接触するように設定されている。したがって、円盤２６２が１周した場合、各検知部の移動経路上には接触対象の一の隆起接点部２９５のみが存在することとなり、上記のとおり一方の待機位置において他の待機位置に対応した被検知部２９８ａが隆起接点部２９５の上方に位置しない。
【０２０６】
第１待機位置と第５待機位置について具体的には、図２４（ａ）及び図２４（ｃ）に示すように、第１待機位置においていずれかの隆起接点部２９５の上方に位置している被検知部２９８ａは、第５待機位置においていずれの隆起接点部２９５の上方にも位置しておらず、さらに第５待機位置においていずれかの隆起接点部２９５の上方に位置している被検知部２９８ａは、第１待機位置においていずれの隆起接点部２９５の上方にも位置していない。
【０２０７】
また、第２待機位置と第６待機位置について具体的には、図２４（ｂ）及び図２４（ｄ）に示すように、第２待機位置においていずれかの隆起接点部２９５の上方に位置している被検知部２９８ａは、第６待機位置においていずれの隆起接点部２９５の上方にも位置しておらず、さらに第６待機位置においていずれかの隆起接点部２９５の上方に位置している被検知部２９８ａは、第２待機位置においていずれの隆起接点部２９５の上方にも位置していない。
【０２０８】
上記のように被検知部２９８ａと隆起接点部２９５との位置関係が設定された構成において、隆起接点部２９５は、検知対象外の被検知部２９８ａが接しない範囲内において、被検知部２９８ａよりも大きめに形成されている。ここで、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。そして、隆起接点部２９５は、自然状態から最大押圧位置までプッシャ２６６が移動する場合、その移動開始前に接していた被検知部２９８ａとの接触状態が維持される大きさに形成されている。
【０２０９】
以上の構成において、検知装置２５８には、コネクタ２９２に接続されるハーネス２９３を介して主制御装置１６２から電気信号が出力される。この電気信号は、コネクタ２９２の複数の接続ピン２９２ａのうち、一の接続ピン２９２ａに供給される。この主制御装置１６２からの電気信号が供給される接続ピン２９２ａは、中継電気線２９６を介してベース金属端子２９４ｅと電気的に接続されている。つまり、主制御装置１６２からの電気信号は、ベース金属端子２９４ｅに供給される。
【０２１０】
各金属端子２９４ａ〜２９４ｅは、既に説明したように、円盤２６２の待機位置に応じて所定の組合せで電気的に導通される。また、いずれの待機位置においても、ベース金属端子２９４ｅが他の金属端子２９４ａ〜２９４ｄと電気的に導通される。ベース金属端子２９４ｅと電気的に導通される金属端子２９４ａ〜２９４ｄには、ベース金属端子２９４ｅから上記電気信号が供給される。そして、この電気信号は、その金属端子２９４ａ〜２９４ｄと対応する中継電気線２９６を介して電気的に接続された接続ピン２９２ａに供給される。この接続ピン２９２ａに供給された電気信号は、ハーネス２９３を介して主制御装置１６２に入力される。主制御装置１６２では、この入力した電気信号がいずれの接続ピン２９２ａから供給されたものかを把握可能となっている。つまり、主制御装置１６２では、検知装置２５８に電気信号を出力し、その電気信号が返還された場合の出力元の接続ピン２９２ａの種類により、円盤２６２がいずれの待機位置にあるかを把握する。言い換えると、主制御装置１６２では、検知装置２５８からの検知信号パターン（機械的コード）に基づいて、円盤２６２がいずれの待機位置にあるかを把握する。
【０２１１】
ちなみに、本監視装置２５０において「検知状態」とは、検知装置２５８において、円盤２６２により導通が確保されている金属端子２９４ａ〜２９４ｅの組合せのことであり、主制御装置１６２から監視装置２５０に電気信号が供給されている状況では検知状態が検知信号パターンとして主制御装置１６２に出力されるものである。また、本監視装置２５０において「待機状態」とは、上記検知状態の概念を含めた状態のことであり、外部電源からパチンコ機１０への電力供給が少なくとも行われていない状況であっても維持可能な状態のことである。
【０２１２】
なお、待機位置の検知に関する構成は上記のものに限定されることはなく、待機位置の数が２個，３個，４個，５個，６個，７個又は９個以上であってもよい。この場合、ケース側カム溝２７８、回転子側リブ２８５及び各カム部２８９，２９０の山部２８９ａ，２９０ａの数などを待機位置の数に合わせて変更する必要がある。また、検知装置２５８に関して、長尺状の金属端子２９４に代えて、突起状の金属端子を設けてもよい。また、金属端子２９４の数は、各待機位置を個別に検知することができるのであれば、５個未満又は６個以上としてもよい。さらには、第２樹脂板層２９９に孔部２９９ａを形成することで被検知部２９８ａを形成したが、金属板層２９８の裏面に突起を形成することで被検知部２９８ａを形成してもよい。
【０２１３】
次に、プッシャ２６６が上記１サイクルの動作を行う場合における検知装置２５８からの検知信号パターンの切り替わりタイミングについて説明する。図２６は上記切り替わりタイミングを説明するための説明図である。なお、図２６（ａ）〜（ｅ）は、プッシャ２６６の１サイクルの動作を示し、図２６（ａ）及び図２６（ｅ）は自然状態、図２６（ｃ）は最大押圧状態、図２６（ｂ）及び図２６（ｄ）は自然状態と最大押圧状態との間の状態を示す。また、第１検知信号パターンはプッシャ２６６の押圧が行われる前の検知信号パターンであり、第２検知信号パターンはプッシャ２６６の押圧が行われた後に移行する検知信号パターンである。
【０２１４】
既に説明したように、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。また、隆起接点部２９５は、自然状態から最大押圧位置までプッシャ２６６が移動する場合、その移動開始前に接していた被検知部２９８ａとの接触状態が維持される大きさに形成されている。したがって、図２６（ａ）〜（ｃ）に示す自然状態から最大押圧状態へ移行する場合には第１検知信号パターンは維持され、最大押圧状態から自然状態に復帰する途中の図２６（ｄ）に示すタイミングで第１検知信号パターンから第２検知信号パターンに切替えられる。
【０２１５】
なお、第１検知信号パターンから第２検知信号パターンへ切り替わる際に、所定期間に亘って第１検知信号パターンと第２検知信号パターンとが混在し、いずれの検知信号パターンであるかが認識不可となる構成としてもよい。当該構成であっても、かかる認識不可な期間は、検知信号パターンが切り替わる途中の期間であるため、各待機位置における検知信号パターンの認識は正確に行われる。
【０２１６】
以上説明した監視装置２５０は、上記のとおり第１監視装置２５１として本体枠１３の樹脂ベース７１に設置されている（図１４（ａ）参照）。そして、図１４（ｂ）に示すように、前扉枠１４が閉鎖された状態では当該前扉枠１４によってプッシャ２６６が押圧され、当該プッシャ２６６は最大押圧位置にある。また、図１４（ｃ）に示すように、前扉枠１４が開放された状態では当該前扉枠１４による押圧が解除され、プッシャ２６６は自然状態に復帰する。図１４（ｂ）の状態から図１４（ｃ）の状態に移行するタイミングで、第１監視装置２５１の検知状態（すなわち、円盤２６２の待機位置）が切替えられ、それに伴って、第１監視装置２５１から出力される検知信号パターンが切替えられる。
【０２１７】
また、監視装置２５０は、上記のとおり第２監視装置２５２として裏パックユニット１５に設置されている（図１５（ａ）参照）。この場合、裏パックユニット１５には押圧片３００が設けられている。押圧片３００は、板バネとしての機能を有しており、一端が裏パックユニット１５の回動基端側の側面から外方に突出しており、他端が第２監視装置２５２のプッシャ２６６の先端と隣接した位置にて対峙している。当該構成においては、図１５（ｂ）に示すように、遊技機主部１２が閉鎖された状態では外枠１１によって押圧片３００の外方に突出した端部が押圧される。そして、外枠１１によって押圧片３００が押圧されることで、押圧片３００自体の板バネとしての機能によりプッシャ２６６が押圧される。したがって、遊技機主部１２が閉鎖された状態ではプッシャ２６６は最大押圧位置にある。また、図１５（ａ）に示すように、遊技機主部１２が開放された状態では外枠１１による押圧片３００の押圧が解除され、それに伴って押圧片３００によるプッシャ２６６の押圧が解除される。これにより、プッシャ２６６は自然状態に復帰する。図１５（ｂ）の状態から図１５（ａ）の状態に移行するタイミングで、第２監視装置２５２の検知状態（すなわち、円盤２６２の待機位置）は切替えられ、それに伴って、第２監視装置２５２から出力される検知信号パターンが切替えられる。
【０２１８】
第１監視装置２５１及び第２監視装置２５２は、上記のとおり複数段階の検知状態を備えており、監視対象の開放操作が行われる度にその検知状態が順次切替えられる。この場合に、当該検知状態は機械的な検知状態であるため、検知状態の切替えに際しては電力を要しない。よって、パチンコ機１０の電源遮断状態において、前扉枠１４や遊技機主部１２の開放操作が行われたとしても、各監視装置２５１，２５２の検知状態は切替えられる。そして、パチンコ機１０の電源が投入された状態において、検知状態に対応した検知信号パターンが各監視装置２５１，２５２から主制御装置１６２に出力される。主制御装置１６２では、各監視装置２５１，２５２から入力した検知信号パターンに基づいて、電源遮断状態における前扉枠１４や遊技機主部１２の不正開放を監視する。また、主制御装置１６２では、電源遮断状態だけでなく電源投入状態においても、各監視装置２５１，２５２から入力した検知信号パターンに基づいて前扉枠１４や遊技機主部１２の不正開放を監視する。これら主制御装置１６２における監視処理については、後に説明する。
【０２１９】
次に、パチンコ機１０の電気的構成について、図２７のブロック図に基づいて説明する。図２７では、電力の供給ラインを二重線矢印で示し、信号ラインを実線矢印で示す。
【０２２０】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０２２１】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。なお、ＣＰＵ３１１、ＲＯＭ３１２及びＲＡＭ３１３がそれぞれ個別に１チップ化された構成としてもよい。これは、他の制御装置のＣＰＵにおいても同様である。
【０２２２】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０２２３】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０２２４】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０２２５】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト未満になると電源遮断の発生と判断し、主制御回路３０２に対して停電信号を送信する。主制御回路３０２では、この停電信号の入力を確認することにより、その確認結果に基づいて後述する停電時処理（電断時処理）を実行する。
【０２２６】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０２２７】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０２２８】
払出制御基板３２２のＣＰＵ３３１には、入出力ポートが設けられている。ＣＰＵ３３１の入力側には、主制御回路３０２、電源及び発射制御基板３２１、及び裏パック基板２２９が接続されている。また、ＣＰＵ３３１の出力側には、主制御回路３０２及び裏パック基板２２９が接続されている。
【０２２９】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック接続基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０２３０】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０２３１】
また、電源及び発射制御基板３２１には、電断時用電源手段としてデータ記憶保持用コンデンサ３２１ｃが搭載されている。データ記憶保持用コンデンサ３２１ｃには、電源部３２１ａが接続されており、パチンコ機１０の電源がＯＮ状態の場合（外部電源からの電力供給が行われている場合）には充電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態（外部電源からの電力供給が遮断されている場合）では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０２３２】
ちなみに、データ記憶保持用コンデンサ３２１ｃに充電された電力は主制御回路３０２のＲＡＭ３１３やその他のＲＡＭにおいてデータを記憶保持するために用いられ、電動アクチュエータなどの機器を動作させるためには用いられない。また、データ記憶保持用コンデンサ３２１ｃの容量は比較的大きく確保されており、電源遮断前にＲＡＭ３１３に記憶されていた情報は所定の期間内（例えば、１日や２日）保持される。また、電断時用電源手段は、データ記憶保持用コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０２３３】
また、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０２３４】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０２３５】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０２３６】
次に、主制御装置１６２のＣＰＵ３１１により実行される各制御処理を図２８〜図３１のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０２３７】
図２８は、ＮＭＩ割込み処理であり、当該処理は、停電の発生等によるパチンコ機１０の電源遮断時に実行される。すなわち、停電の発生等によりパチンコ機１０の電源が遮断されると、停電信号が電源監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリアに停電フラグをセットし、本処理を終了する。その後、後述する通常処理にて停電フラグがセットされていることが確認されることで、停電時処理が実行される。
【０２３８】
次に、タイマ割込み処理について図２９のフローチャートを用いて説明する。
【０２３９】
先ずステップＳ２０１では、各種スイッチや払出制御基板３２２などからの信号読み込み処理を実行する。その後、ステップＳ２０２にて前扉枠開放監視処理を実行するとともに、ステップＳ２０３にて本体枠開放監視処理を実行する。前扉枠開放監視処理では、第１監視装置２５１からの入力信号に基づいて、外部電源からの電力供給が行われている状況における前扉枠１４の開放の監視に関する処理を実行する。また、本体枠開放監視処理では、第２監視装置２５２からの入力信号に基づいて、外部電源からの電力供給が行われている状況における前扉枠１４の開放の監視に関する処理を実行する。これらの処理については、後に説明する。その後、ステップＳ２０４にて始動入賞処理を実行する。
【０２４０】
始動入賞処理では、作動口スイッチ１５４から入力した信号に基づいて、遊技球が作動口８４に入賞したか否かを判定する。そして、遊技球が作動口８４に入賞している場合には、第１特定ランプ部９３及び図柄表示装置９１の作動保留球数が上限値未満であることを条件として、その入賞に対して大当たりを発生させるか否かの指標となるカウンタ値のＲＡＭ３１３への格納処理を実行する。当該カウンタ値が大当たりの発生に対応した値である場合には、その入賞に対応した遊技回において大当たりが発生することとなる。つまり、始動入賞処理において、大当たりといった特別遊技状態への移行抽選機能（移行判定手段）が果たされる。
【０２４１】
始動入賞処理の後、ＣＰＵ３１１は本タイマ割込み処理を一旦終了する。なお、タイマ割込み処理において、大当たりを発生させるか否かの指標となるカウンタ値を更新する処理なども実行するようにしてもよい。
【０２４２】
次に、電源投入時のリセットに伴い起動されるメイン処理について、図３０のフローチャートを用いて説明する。
【０２４３】
先ずステップＳ３０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ３０２では、ＲＡＭ３１３のアクセスを許可する。
【０２４４】
その後、ステップＳ３０３では、電源及び発射制御装置２４３に設けたＲＡＭ消去スイッチ２４７がオンされているか否かを判定し、続くステップＳ３０４ではＲＡＭ３１３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３１３の作業領域アドレスにおけるチェックサム値である。なお、ＲＡＭ３１３の所定のエリアに書き込まれたキーワードが正しく保存されているか否かにより記憶保持されたデータの有効性を判断することも可能である。
【０２４５】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ３０７〜Ｓ３１０の処理に移行する。また、電源遮断の発生情報が設定されていない場合や、ＲＡＭ判定値（チェックサム値等）により記憶保持されたデータの異常が確認された場合も同様にステップＳ３０７〜Ｓ３１０の処理に移行する。
【０２４６】
ステップＳ３０７では、音声ランプ制御装置１４３に音声ランプ初期化コマンドを出力する。これにより、ＲＡＭデータの初期化やＲＡＭ判定値により記憶保持されたデータの異常等が報知される。続くステップＳ３０８では、従側の制御基板となる払出制御基板３２２等を初期化するために、払出初期化コマンド等を出力する。続くステップＳ３０９ではＲＡＭ３１３の使用領域を０にクリアし、ステップＳ３１０ではＲＡＭ３１３の初期化処理を実行する。その後、ステップＳ３１１にて割込み許可を設定し、後述する通常処理に移行する。
【０２４７】
一方、ＲＡＭ消去スイッチ２４７が押されていない場合には、停電フラグが格納されていること、及びＲＡＭ判定値（チェックサム値等）が正常であることを条件に、ステップＳ３１２に進む。ステップＳ３１２では、停電フラグ格納バッファに格納されている停電フラグをクリアする。続くステップＳ３１３では、従側の制御基板を電源遮断前の遊技状態に復帰させるための復電コマンドを出力する。その後、ステップＳ３１４〜ステップＳ３１８の復電時用開放監視処理を実行する。当該復電時用開放監視処理については後に詳細に説明する。その後、ステップＳ３１１にて割込み許可を設定し、後述する通常処理に移行する。これにより、電源遮断前の状態に復帰する。
【０２４８】
次に、通常処理について、図３１のフローチャートを用いて説明する。この通常処理では遊技の主要な処理が実行される。
【０２４９】
通常処理において、ステップＳ４０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御装置１４３に出力する。
【０２５０】
続くステップＳ４０２では、第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置９１による第１図柄の変動表示の設定も行われる。
【０２５１】
第１特定ランプ部制御処理の後は、ステップＳ４０３にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０２５２】
その後、ステップＳ４０４では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。そして、作動口８４に付随する電動役物を所定時間開放する場合には、第２特定ランプ部９４において所定の色の停止表示が行われる。
【０２５３】
ステップＳ４０４の後は、ステップＳ４０５にて、遊技球発射制御処理を実行する。遊技球発射制御処理では、電源及び発射制御基板３２１の発射制御部３２１ｂから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。ちなみに、発射許可信号は、ＣＰＵ３１１における入力ポート３１１以外の入力ポートに入力されており、当該遊技球発射制御処理にてその入力ポートに発射許可信号があるか否かを確認する。
【０２５４】
続くステップＳ４０６では、ＲＡＭ３１３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０２５５】
一方、ステップ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電断時更新処理を実行する。この電断時更新処理については、後に説明する。その後、ステップＳ４１０にて電源が遮断されたことを示す停電コマンドを他の制御基板に対して出力する。そして、ステップＳ４１１にてＲＡＭ判定値を算出、保存し、ステップＳ４１２にてＲＡＭ３１３のアクセスを禁止した後に、電源が完全に遮断して処理が実行できなくなるまで無限ループを継続する。なお、電源が完全に遮断された後も、電源及び発射制御基板３２１のデータ記憶保持用コンデンサ３２１ｃからデータ記憶保持用電力が供給されるため、電源遮断前にＲＡＭ３１３に記憶されていた情報はそのままの状態で所定の期間内（例えば、１日や２日）保持される。
【０２５６】
次に、前扉枠１４及び遊技機主部１２の開放の監視に関する電気的構成について、図３２のブロック図に基づいて説明する。
【０２５７】
主制御装置１６２には、第１監視装置２５１及び第２監視装置２５２が電気的に接続されている。第１監視装置２５１及び第２監視装置２５２では、既に説明したように、パチンコ機１０の電源投入中又は電源遮断中であるかに関係なく、前扉枠１４又は遊技機主部１２が開閉操作される毎に検知状態が変更され、パチンコ機１０の電源投入中においてその検知状態の情報が主制御装置１６２に入力される。
【０２５８】
主制御装置１６２のＣＰＵ３１１では、第１監視装置２５１及び第２監視装置２５２から入力した信号に基づいて、各監視装置２５１，２５２の検知状態を把握する。この場合、ＣＰＵ３１１のＲＡＭ３１３には、前扉枠用格納エリア３１３ａ及び本体枠用格納エリア３１３ｂが設けられている。そして、電源投入中において把握した第１監視装置２５１の検知状態は前扉枠用格納エリア３１３ａに格納され、電源投入中において把握した第２監視装置２５２の検知状態は本体枠用格納エリア３１３ｂに格納される。ＲＡＭ３１３は、上記のとおりパチンコ機１０の電源遮断中においてもデータ記憶保持用の電力が供給され、データの記憶保持が行われる構成であるため、電源遮断時に各検知状態格納エリア３１３ａ，３１３ｂに格納されていた検知状態は、データ記憶保持用の電力が供給されている範囲において記憶保持される。ＣＰＵ３１１では、各監視装置２５１，２５２から入力する検知状態の情報に基づいて、電源投入中及び電源遮断中に前扉枠１４及び遊技機主部１２の開放が行われたか否かを判定し、その判定結果に基づいて特定出力処理を実行する。
【０２５９】
次に、前扉枠１４及び遊技機主部１２の開放に関して、主制御装置１６２のＣＰＵ３１１により実行される各制御処理を説明する。
【０２６０】
先ず、タイマ割込み処理（図２９）にて実行される処理について説明する。
【０２６１】
タイマ割込み処理におけるステップＳ２０１の信号読み込み処理において、第１監視装置２５１及び第２監視装置２５２から入力した信号（電気信号パターン）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５１の信号の情報は第１レジスタに記憶保持され、第２監視装置２５２の信号の情報は第２レジスタに記憶保持される。これは、ＣＰＵ３１１のレジスタに関する以下の説明においても同様である。続くステップＳ２０２では、外部電源からの電力供給が行われている状況における第１監視装置２５１を介した前扉枠１４の監視処理として前扉枠開放監視処理を実行する。
【０２６２】
ここで、前扉枠開放監視処理について図３３のフローチャートを用いて説明する。
【０２６３】
前扉枠開放監視処理では、先ずステップＳ５０１にて比較処理を実行する。比較処理では、上記信号読み込み処理にてＣＰＵ３１１のレジスタに記憶した検知状態の情報と、ＲＡＭ３１３の前扉枠用格納エリア３１３ａに格納されている検知状態の情報とを比較する。続くステップＳ５０２では比較処理にて比較した各検知状態が一致しているか否かを判定する。その結果、一致している場合には、そのまま本前扉枠開放監視処理を終了する。
【０２６４】
一方、一致していない場合には、前扉枠１４が本体枠１３に対して開放されたことを意味する。つまり、既に説明したように第１監視装置２５１を含めた監視装置２５０は、閉鎖状態にある開閉体（すなわち、前扉枠１４又は遊技機主部１２）が開放操作されたことに基づいて検知状態（待機状態）が当該操作前の状態から変更され、開放状態にある開閉体が閉鎖操作されたとしても検知状態が変更されないようになっている。したがって、第１監視装置２５１の検知状態が変更されたということは、上記のとおり前扉枠１４が本体枠１３に対して開放されたことを意味する。
【０２６５】
比較した各検知状態が一致していない場合には、外部電源から電力供給が行われている状況で前扉枠１４が本体枠１３に対して開放操作されたことを報知すべく、ステップＳ５０３にて通常時用報知処理を実行する。
【０２６６】
通常時用報知処理では、通常時報知用コマンドをセットする。このセットされた通常時用報知コマンドは通常処理（図３１）の外部出力処理にて音声ランプ制御装置１４３に出力される。音声ランプ制御装置１４３では、スピーカ部２６から報知音を出力させ、エラー表示ランプ部２４を点灯させ、さらに図柄表示装置９１にて報知表示を行わせる。音声ランプ制御装置１４３では、予め定められた報知時間（報知期間）だけ上記各種報知を継続させた後にそれら各種報知を停止させる。この報知時間としては例えば１０ｓｅｃなどが考えられる。
【０２６７】
また、通常時用報知処理では、遊技ホールに設けられたホールコンピュータに外部端子板２１３を介して通常時報知用信号を出力する。この場合、ホールコンピュータでは通常時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０２６８】
外部電源から電力供給が行われている状況においては、前扉枠１４が閉鎖されたタイミングではなく、前扉枠１４が開放されたタイミングで上記のような通常時用報知処理が実行されれば、遊技ホールの管理者等に対して前扉枠１４の不正開放に対処させることが可能である。その一方、前扉枠１４が開放状態から閉鎖されたタイミングでは第１監視装置２５１の検知状態が変更されないようになっていることで、不要なタイミングで上記のような報知が実行されてしまうことが防止されている。
【０２６９】
なお、通常時用報知処理は、上記のものに限定されることはなく、通常時報知用コマンド又は通常時報知用信号のいずれか一方のみを出力する構成としてもよい。また、通常時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０２７０】
ステップＳ５０３にて通常時用報知処理を実行した後は、ステップＳ５０４において、最新の検知状態の情報、すなわちＣＰＵ３１１のレジスタに記憶されている検知状態の情報を前扉枠用格納エリア３１３ａに格納した後に、本前扉枠開放監視処理を終了する。
【０２７１】
タイマ割込み処理（図２９）の説明に戻り、ステップＳ２０２にて前扉枠開放監視処理を実行した後は、ステップＳ２０３にて、外部電源からの電力供給が行われている状況における第２監視装置２５２を介した遊技機主部１２の監視処理として本体枠開放監視処理を実行する。
【０２７２】
本体枠開放監視処理では、信号読み込み処理にて把握した第２監視装置２５２の検知状態の情報が、ＲＡＭ３１３の本体枠用格納エリア３１３ｂに格納されている検知状態の情報と異なっている場合に、上記通常時用報知処理を実行するとともに検知状態の情報の更新を実行する。この具体的な処理構成については、前扉枠開放監視処理と同様であるため、ここでは説明を省略する。
【０２７３】
なお、前扉枠開放監視処理における通常時用報知処理と本体枠開放監視処理における通常時用報知処理とで、通常時報知用コマンド又は通常時報知用信号の情報形態を異ならせてもよい。この場合、前扉枠１４が開放された場合と遊技機主部１２が開放された場合とで、パチンコ機１０自身又はホールコンピュータにおいて報知の態様を異ならせることができる。
【０２７４】
ステップＳ２０３にて本体枠開放監視処理を実行した後は、ステップＳ２０４にて始動入賞処理を実行した後に本タイマ割込み処理を終了する。当該始動入賞処理については既に説明したとおりである。
【０２７５】
次に、通常処理（図３１）にて実行される処理について説明する。
【０２７６】
通常処理では、ＮＭＩ割込み処理において停電フラグがセットされた場合、上記のとおりステップＳ４０８〜ステップＳ４１２の停電時処理を実行する。そして、停電時処理では第１監視装置２５１及び第２監視装置２５２に関して、ステップＳ４０９にて電断時更新処理を実行する。
【０２７７】
電断時更新処理では、図３４のフローチャートに示すように、先ずステップＳ６０１にて信号読み込み処理を実行する。この信号読み込み処理では、第１監視装置２５１及び第２監視装置２５２から入力した信号（電気信号パターン）の読み込みが行われる。そして、この読み込まれた信号の情報は、ＣＰＵ３１１のレジスタに記憶保持される。続くステップＳ６０２では、前扉枠更新処理を実行する。
【０２７８】
前扉枠更新処理は、信号読み込み処理にて把握した第１監視装置２５１の検知状態の情報が、ＲＡＭ３１３の前扉枠用格納エリア３１３ａに格納されている検知状態の情報と異なっている場合に、検知状態の情報の更新を実行する処理である。
【０２７９】
当該前扉枠更新処理について詳細には、図３５のフローチャートに示すように、先ずステップＳ７０１にて比較処理を実行する。比較処理では、上記信号読み込み処理にてＣＰＵ３１１のレジスタに記憶した検知状態の情報と、ＲＡＭ３１３の前扉枠用格納エリア３１３ａに格納されている検知状態の情報とを比較する。続くステップＳ７０２では比較処理にて比較した各検知状態が一致しているか否かを判定する。その結果、一致している場合には、そのまま本前扉枠更新処理を終了する。一方、一致していない場合には、ステップＳ７０３にて、最新の検知状態の情報、すなわちＣＰＵ３１１のレジスタに記憶されている検知状態の情報を、前扉枠用格納エリア３１３ａに格納した後に、本前扉枠更新処理を終了する。
【０２８０】
電断時更新処理の説明に戻り、ステップＳ６０２にて前扉枠更新処理を実行した後は、ステップＳ６０３にて本体枠更新処理を実行する。本体枠更新処理では、信号読み込み処理にて把握した第２監視装置２５２の検知状態の情報が、ＲＡＭ３１３の本体枠用格納エリア３１３ｂに格納されている検知状態の情報と異なっている場合に、検知状態の情報の更新を実行する。この具体的な処理内容については、前扉枠更新処理と同様であるため、ここでは説明を省略する。ステップＳ６０３にて本体枠更新処理を実行した後に、本電断時更新処理を終了する。
【０２８１】
上記のように電断時更新処理が実行されることにより、パチンコ機１０の電源が遮断される時点での各監視装置２５１，２５２における検知状態の情報のＲＡＭ３１３への記憶が確実に行われる。
【０２８２】
次に、メイン処理（図３０）にて実行される処理について説明する。
【０２８３】
メイン処理では、各監視装置２５１，２５２に関して、ステップＳ３１４〜ステップＳ３１８の復電時用開放監視処理を実行する。
【０２８４】
復電時用開放監視処理では、先ずステップＳ３１４にて検知状態把握処理を実行する。検知状態把握処理では、ステップＳ２０１の信号読み込み処理と同様に、第１監視装置２５１及び第２監視装置２５２から入力した信号の読み込みが行われ、この読み込まれた信号の情報は、ＣＰＵ３１１のレジスタに記憶保持される。
【０２８５】
続くステップＳ３１５では、比較処理を実行する。比較処理では、上記検知状態把握処理にてＣＰＵ３１１のレジスタに記憶した第１監視装置２５１の検知状態と、ＲＡＭ３１３の前扉枠用格納エリア３１３ａに格納されている検知状態の情報とを比較する。また、比較処理では、上記検知状態把握処理にてＣＰＵ３１１のレジスタに記憶した第２監視装置２５２の検知状態の情報と、ＲＡＭ３１３の本体枠用格納エリア３１３ｂに格納されている検知状態の情報とを比較する。
【０２８６】
続くステップＳ３１６では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ３１１にて割込み許可を設定し、通常処理に移行する。いずれか一方でも一致していない場合には、電源遮断中において前扉枠１４又は遊技機主部１２が開放されたことを意味するため、ステップＳ３１７に進む。
【０２８７】
ステップＳ３１７では、復電時用報知処理を実行する。復電時用報知処理では、音声ランプ制御装置１４３に復電時報知用コマンドを出力する。これにより、スピーカ部２６からの報知音の出力、エラー表示ランプ部２４の点灯、及び図柄表示装置９１での報知表示が行われる。但し、これらの報知態様は通常時報知用コマンドに基づく報知の態様とは異なっている。また、音声ランプ制御装置１４３では、状態復帰スイッチ２４５などといった報知解除操作が行われるまで各種報知を継続させる。つまり、通常時と復電時とでは、報知の態様だけでなく、報知解除の態様も異なっている。なお、これに限定されることはなく、報知の態様や報知解除の態様が通常時と復電時とで同一であってもよい。
【０２８８】
また、復電時用報知処理では、遊技ホールに設けられたホールコンピュータに外部端子板２１３を介して復電時報知用信号を出力する。この場合、ホールコンピュータでは復電時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０２８９】
上記復電時用報知処理が実行されることにより、電源遮断中に前扉枠１４又は遊技機主部１２が開放操作されていた場合には、それを遊技ホールの管理者等に報知することができ、仮にそれが不正開放である場合にはそれに対処させることができる。
【０２９０】
なお、復電時用報知処理において前扉枠１４が開放操作されていた場合と遊技機主部１２が開放操作されていた場合とで、電断時報知用コマンド又は電断時開放検知信号の情報形態を異ならせてもよい。この場合、前扉枠１４が電源遮断中に開放された場合と遊技機主部１２が電源遮断中に開放された場合とで、パチンコ機１０自身又はホールコンピュータにおいて報知の態様を異ならせることができ、遊技ホールの管理者等に対して適切に対処させることが可能となる。また、復電時用報知処理は、上記のものに限定されることはなく、復電時報知用コマンド又は復電時報知用信号のいずれか一方のみを出力する構成としてもよい。また、復電時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０２９１】
ステップＳ３１７にて復電時用報知処理を実行した後は、ステップＳ３１８に進む。ステップＳ３１８では、ステップＳ３１４においてＣＰＵ３１１のレジスタに記憶されている各監視装置２５１，２５２の検知状態の情報のうち、ステップＳ３１６にて一致しないと判定された検知状態の情報を、該当する格納エリア３１３ａ，３１３ｂに格納する。その後、ステップＳ３１１にて割込み許可を設定し、通常処理に移行する。
【０２９２】
以上詳述した本実施形態によれば、以下の優れた効果を奏する。
【０２９３】
複数段階の検知状態（待機状態）が予め設定されているとともに、前扉枠１４が開閉操作されたことに機械的に連動して検知状態が当該開閉操作前の状態から変更される第１監視装置２５１を設けた。また、主制御装置１６２では、外部電源からの電力供給が遮断された時点における第１監視装置２５１の検知状態をＲＡＭ３１３にて記憶するとともに、電力供給が遮断された状況下においてその記憶内容を保持するようにした。そして、外部電源からの電力供給が開始された場合には、ＲＡＭ３１３に記憶保持されている検知状態と、電力供給の開始後に把握した検知状態とを比較し、両者が一致しない場合にはその旨の報知を行うようにした。これにより、外部電源からの電力供給が遮断されている状況において前扉枠１４が不正に開閉操作されていた場合には、その旨を遊技ホールの管理者等に報知することができ、上記不正行為に対処するよう促すことができる。
【０２９４】
複数段階の検知状態（待機状態）が予め設定されているとともに、遊技機主部１２が開閉操作されたことに機械的に連動して検知状態が当該開閉操作前の状態から変更される第２監視装置２５２を設けた。また、主制御装置１６２では、外部電源からの電力供給が遮断された時点における第２監視装置２５２の検知状態をＲＡＭ３１３にて記憶するとともに、電力供給が遮断された状況下においてその記憶内容を保持するようにした。そして、外部電源からの電力供給が開始された場合には、ＲＡＮ３１３に記憶保持されている検知状態と、電力供給の開始後に把握した検知状態とを比較し、両者が一致しない場合にはその旨の報知を行うようにした。これにより、外部電源からの電力供給が遮断されている状況において遊技機主部１２が不正に開放操作されていた場合には、その旨を遊技ホールの管理者等に報知することができ、上記不正行為に対処するよう促すことができる。
【０２９５】
また、上記のように、外部電源から電力供給が遮断された時点における各監視装置２５１，２５２の検知状態をＲＡＭ３１３に記憶するとともに、電力供給が遮断された状況下においてその記憶内容を保持するようにした。パチンコ機１０において外部電源からの電力供給が遮断されるタイミングは不規則であり、各監視装置２５１，２５２がいずれの検知状態の場合に電力供給が遮断されるかは予め特定することはできない。この場合に、外部電源からの電力供給が遮断された時点の検知状態の一定化を図ろうとすると、例えば、各監視装置２５１，２５２の検知状態に初期検知状態を設定しておくとともに、外部電源からの電力供給が遮断された時点で各監視装置２５１，２５２の検知状態を初期検知状態に変更させる必要が生じる。そうすると、各監視装置２５１，２５２の構成が複雑化してしまう。これに対して、本実施形態における構成によれば、上記のような各監視装置２５１，２５２の構成の複雑化を招くことなく、上記優れた効果を得ることができる。
【０２９６】
外部電源からの電力供給が行われている状況では、タイマ割込み処理（図２９）において、各監視装置２５１，２５２の検知状態を定期的に確認するとともに、その確認した検知状態がＲＡＭ３１３に記憶されている検知状態と異なっている場合には検知状態を更新するようににした。パチンコ機１０において外部電源からの電力供給が遮断されるタイミングは不規則であり、各監視装置２５１，２５２がいずれの検知状態の場合に電力供給が遮断されるかは予め特定することはできない。この場合に、上記のように検知状態が変更された場合にはＲＡＭ３１３の記憶内容をその変更された検知状態に更新することで、外部電源からの電力供給がいずれのタイミングで遮断されたとしても、その遮断時点における検知状態をＲＡＭ３１３に記憶させておくことができる。
【０２９７】
外部電源からの電力供給の開始時に実行されるメイン処理（図３０）において、ＲＡＭ３１３に記憶されている各検知状態と、電力供給の開始後に把握した各検知状態とを比較する比較処理を実行するとともに、前者と後者とが一致しない場合には報知処理を実行するようにした。これにより、電力供給が遮断されている状況において開閉体（すなわち、前扉枠１４や遊技機主部１２）が不正に開放操作されていた場合には、電力供給の開始後に迅速に対処することが可能となる。
【０２９８】
各監視装置２５１，２５２により、外部電源からの電力供給が遮断されている状況だけでなく、外部電源からの電力供給が行われている状況においても開閉体の開放を監視するようにした。つまり、各監視装置２５１，２５２は、外部電源からの電力供給が遮断されている状況及び電力供給が行われている状況のいずれにおいても、開閉体の開放を監視する機能を有することとなり、それぞれの機能を別で設ける構成に比して、パチンコ機１０の部品点数の削減が図られる。
【０２９９】
特に、外部電源からの電力供給が行われている状況における開閉体の開放の監視を、外部電源からの電力供給が遮断されている状況における開閉体の開放を監視するための監視装置２５１，２５２の構成をそのまま利用して行うようにしたことにより、外部電源からの電力供給が行われている状況における監視専用の構成を監視装置２５１，２５２に付与する場合に比べ、監視装置２５１，２５２の構成の簡素化を図りつつ上記優れた効果を得ることができる。
【０３００】
各監視装置２５１，２５２において、閉鎖状態にある開閉体が開放操作されたことに基づいて検知状態が当該操作前の状態から変更され、開放状態にある開閉体が閉鎖操作されたとしても検知状態が変更されないようにした。開放状態にある開閉体が閉鎖操作されたとしても検知状態が変更されないようにすることで、パチンコ機１０のメンテナンス時などといった開閉体が開放状態である状況で外部電源からの電力供給が遮断されたとしても、その後の閉鎖操作により各監視装置２５１，２５２の検知状態がＲＡＭ３１３に記憶された検知状態と異なるものとなってしまうことはない。これにより、上記のように電力供給の遮断中における開閉体の不正な開放操作を監視装置２５１，２５２により監視するようにした構成において、パチンコ機１０のメンテナンス性の低下を極力抑制することが可能となる。一方、閉鎖状態にある開閉体が開放操作されたことに基づいて各監視装置２５１，２５２が操作前の状態から変更されるため、外部電源からの電力供給が遮断された状況において、開閉体の不正な開閉操作を監視することは可能である。
【０３０１】
また、各監視装置２５１，２５２において、閉鎖状態にある開閉体が開放操作されたことに基づいて検知状態が当該操作前の状態から変更され、開放状態にある開閉体が閉鎖操作されたとしても検知状態が変更されないようにしたことにより、外部電源からの電力供給が行われている状況において開閉体が開放操作された場合にはその事実を開放操作されたタイミング又はその直後において特定することが可能となる。よって、開閉体が不正に開放操作された場合には、その事実を開放操作後の初期段階で報知することが可能となる。
【０３０２】
各監視装置２５１，２５２がいずれの検知状態にあるかが、各監視装置２５１，２５２の外観上、識別不可とした。これにより、不正行為者などに各監視装置２５１，２５２の検知状態がいずれであるかが知られてしまうことが防止できる。
【０３０３】
（第２の実施形態）
本実施形態では、監視装置の構成が上記第１の実施形態と異なっている。そこで、その相違点について図３６を参照して説明する。図３６（ａ）は自然状態における監視装置４００の断面図、図３６（ｂ）は押圧状態における監視装置４００の断面図である。なお、図３６において上記第１の実施形態と同様の構成については同一の番号を付すとともにその説明を省略する。
【０３０４】
図３６（ａ）に示すように、本実施形態の監視装置４００は、上記第１の実施形態と異なり、回転軸体２６１は無底の略筒状をなしている。この回転軸体２６１の貫通孔４０１に挿通させて開放センサ４０２が設けられている。開放センサ４０２は、土台用ケース体２５４上に固定されており、回転軸体２６１の軸部２６１ｂの先端から出没可能なピン４０３を有している。なお、開放センサ４０２は回転軸体２６１と干渉しないように設けられており、開放センサ４０２により回転軸体２６１の回転移動が阻害されることはない。
【０３０５】
上記構成では、図３６（ｂ）に示すように、プッシャ２６６が押圧され最大押圧位置にある場合、開放センサ４０２のピン４０３が押し込まれて開閉体の閉鎖が検知され、開閉体を開放した状態では、図３６（ａ）に示すように、ピン４０３が突出位置に戻って開閉体の開放が検知されるようになっている。そして、開放センサ４０２は、主制御装置１６２と電気的に接続されており、検知結果は主制御装置１６２に対して出力される。なお、この検知結果の出力は、コネクタ２９２を通じて検知装置２５８における検知結果とまとめて行われる。
【０３０６】
上記監視装置４００を前扉枠１４の第１監視装置２５１として適用することにより、上記第１の実施形態と同様に、第１監視装置２５１では電源遮断中の前扉枠１４の不正開放を監視する機能だけでなく、電源投入中において前扉枠１４が開放状態か否かを検知する機能も果たされる。
【０３０７】
また、上記監視装置４００を遊技機主部１２（又は本体枠１３）の第２監視装置２５２として適用することにより、上記第１の実施形態と同様に、第２監視装置２５２では電源遮断中の遊技機主部１２の不正開放を監視する機能だけでなく、電源投入中において遊技機主部１２が開放状態か否かを検知する機能も果たされる。
【０３０８】
但し、本構成においては、監視装置２５１，２５２に開放センサ４０２を内蔵させる必要がある点で、上記第１の実施形態よりも監視装置２５１，２５２の構成が複雑化する。この点、上記第１の実施形態における構成の方が好ましい。
【０３０９】
（第３の実施形態）
以下、スロットマシンに関する第３の実施形態を、図面に基づいて説明する。図３７はスロットマシン４１０の前面扉４１２を開いた状態の斜視図である。
【０３１０】
図３７に示すように、スロットマシン４１０は前方に開放した箱状の筐体４１１と、筐体４１１の前面側に開閉可能に取り付けられた前面扉４１２とを備えている。前面扉４１２には表示窓４１３が形成されており、当該表示窓４１３を通じて筐体４１１の内部に設けられた絵柄表示装置としてのリールユニット４１４による図柄の可変表示が視認可能となっている。当該リールユニット４１４における図柄の可変表示は、前面扉４１２の前面に設けられた図示しないスタートレバーが操作されたことに基づいて開始され、同じく前面扉４１２の前面に設けられた図示しないストップスイッチが操作されたことに基づいて停止される。また、前面扉４１２にはその裏面に表示制御装置４１５が設置されている。表示制御装置４１５は前面扉４１２に設けられたスピーカ、ランプ、補助表示部等の駆動制御を行う機能を有している。
【０３１１】
筐体４１１内においてリールユニット４１４の上方には、主制御装置４１６が設置されている。当該主制御装置４１６による制御に基づいてリールユニット４１４において図柄の可変表示が行われるとともに、表示制御装置４１５におけるスピーカ等の駆動制御が行われる。また、主制御装置４１６は、入賞役の抽選等といった当否判定機能を有しており、リールユニット４１４における遊技結果が当否判定結果と一致することで遊技者に特典が付与される。また、筐体４１１内には、主制御装置１６２などに電力を供給する電源装置４１７が設けられている。
【０３１２】
上記スロットマシン４１０においては、パチンコ機１０と同様に、電源遮断中や電源投入中において前面扉４１２を不正に開放する行為が想定される。これに対して、筐体４１１には上記第１の実施形態と同様の監視装置２５０が設置されている。監視装置２５０は、前面扉４１２の開放状態では自然状態にあり、前面扉４１２の閉鎖状態では押圧状態にある。そして、電源遮断中及び電源投入中のいずれにおいても前面扉４１２の開閉操作が行われることで、監視装置２５０の検知状態が変更される。
【０３１３】
本構成によれば、電源遮断中や電源投入中において前面扉４１２が開放されたとしても、監視装置２５０の検知状態が変更されることで、主制御装置４１６などにおいてそれを把握することができる。よって、上記不正行為に対処することができる。なお、スロットマシン４１０においては、電源遮断中や電源投入中において前面扉４１２を不正に開放し、主制御装置４１６を不正な制御装置に交換するといった主制御装置４１６に対する不正行為が想定される。当該不正行為に対しては、監視装置２５０を表示制御装置４１５や監視装置２５０専用の制御装置と電気的に接続し、その電気的に接続した制御装置において監視装置２５０の監視処理を行うことで、上記主制御装置４１６に対する不正行為に対処することができる。
【０３１４】
（第４の実施形態）
本実施形態では、前扉枠開放監視処理及び本体枠開放監視処理の処理構成が上記第１の実施形態と異なっている。具体的には、上記第１の実施形態では、電源遮断中に前扉枠１４や遊技機主部１２が開放操作されたか否かの判定をメイン処理にて行う構成としたが、本実施形態では、電源遮断中に前扉枠１４や遊技機主部１２が開放操作されたか否かの判定を、タイマ割込み処理における前扉枠開放監視処理及び本体枠開放監視処理にて行う。そこで、その相違する処理構成について以下に説明する。但し、前扉枠開放監視処理と本体枠開放監視処理とは処理構成が同一であるため、前扉枠開放監視処理のみについて説明し、本体枠開放監視処理についてはその説明を省略する。
【０３１５】
図３８は本実施形態における前扉枠開放監視処理を示すフローチャートである。
【０３１６】
図３８に示すように、先ずステップＳ８０１にて比較処理を実行する。比較処理では、タイマ割込み処理（図２９）の信号読み込み処理にてＣＰＵ３１１のレジスタに記憶した検知状態の情報と、ＲＡＭ３１３の前扉枠用格納エリア３１３ａに格納されている検知状態の情報とを比較する。続くステップＳ８０２では比較処理にて比較した各検知状態が一致しているか否かを判定する。その結果、一致している場合には、ステップＳ８０３〜ステップＳ８０６の開放検知時処理を実行することなく、ステップＳ８０７に進む。一方、一致していない場合には、ステップＳ８０３〜ステップＳ８０６の開放検知時処理を実行する。
【０３１７】
開放検知時処理では、先ずステップＳ８０３にてＲＡＭ３１３の復電後フラグ格納エリアに復電後フラグが格納されているか否かを判定する。この復電後フラグは、電源の立ち上げに際して格納されるフラグであり、当該復電後フラグが格納されている状況というのは復電後の最初の前扉枠開放監視処理であることを意味する。当該復電後フラグは、具体的にはメイン処理（図３０）の開始時などに格納される。
【０３１８】
開放検知時処理が実行されている場合であって復電後フラグが格納されている場合は、電源遮断中に前扉枠１４が開放操作されたことを意味するため、ステップＳ８０４に進み、復電時用報知処理を実行する。当該復電時用報知処理の具体的な内容は上記第１の実施形態にて説明したとおりであるため、ここでは説明を省略する。当該復電時用報知処理が実行されることにより、電源遮断中に前扉枠１４が開放操作されていたことを遊技ホールの管理者等に報知することができ、仮にそれが不正開放である場合にはそれに対処させることができる。
【０３１９】
一方、開放検知時処理が実行されている場合であって復電後フラグが格納されていない場合は、外部電源から電力供給が行われている状況において前扉枠１４が開放操作されたことを意味するため、ステップＳ８０５に進み、通常時用報知処理を実行する。当該通常時用報知処理の具体的な内容は上記第１の実施形態にて説明したとおりであるため、ここでは説明を省略する。当該通常時用報知処理が実行されることにより、外部電源から電力供給が行われている状況において前扉枠１４が開放操作されたことを遊技ホールの管理者等に報知することができ、仮にそれが不正開放である場合にはそれに対処させることができる。
【０３２０】
ステップＳ８０４又はステップＳ８０５の処理を実行した後は、ステップＳ８０６に進む。ステップＳ８０６では、最新の検知状態の情報、すなわちＣＰＵ３１１のレジスタに記憶されている検知状態の情報を前扉枠用格納エリア３１３ａに格納した後に、ステップＳ８０７に進む。
【０３２１】
ステップＳ８０７では、ＲＡＭ３１３の復電後フラグ格納エリアに復電後フラグが格納されているか否かを判定する。復電後フラグが格納されていない場合には、そのまま本前扉枠開放監視処理を終了する。一方、復電後フラグが格納されている場合には、ステップＳ８０８にて復電後フラグ格納エリアから復電後フラグを消去した後に本前扉枠開放監視処理を終了する。
【０３２２】
以上のように本実施形態では、電源の立ち上げ処理であるメイン処理において復電時用開放監視処理を実行するのではなく、タイマ割込み処理において通常時用開放監視処理とともに復電時用開放監視処理を実行するようにした。これにより、メイン処理の処理時間に極力影響を及ぼすことなく、復電時用開放監視処理を実行することが可能となる。
【０３２３】
ちなみに、ＣＰＵ３１１の通常処理における停電時処理（電断時処理）において電断時更新処理を実行しないようにしてもよい。当該構成であっても、上記のとおりタイマ割込み処理において定期的に第１監視装置２５１の検知状態が確認され、検知状態が変更されている場合にはその更新処理が実行されるため、電断時における第１監視装置２５１の検知状態をＲＡＭ３１３において記憶しておくことは可能である。本構成によれば、停電時処理の処理時間に影響を及ぼすこなく、電断時における第１監視装置２５１の検知状態をＲＡＭ３１３に記憶させることが可能となる。これは第２監視装置２５２についても同様である。
【０３２４】
（第５の実施形態）
本実施形態では、第１監視装置２５１及び第２監視装置２５２の構成と、これら監視装置２５１，２５２に関する主制御装置１６２のＣＰＵ４３１における処理構成が異なっている。そこで、これら相違する構成について以下に説明する。
【０３２５】
先ず監視装置４２０の構成について図３９〜図４１を用いて説明する。
【０３２６】
図３９に示すように、監視装置４２０は上記第１の実施形態における監視装置２５０と同様にハウジング２５６を備えており、当該ハウジング２５６に対してプッシャ２６６やコネクタ２９２が取り付けられている。また、ハウジング２５６には、検知装置２５８、回転軸体２６１、円盤２６２、第１バネ２６３、回転子２６４及び第２バネ２６５が内蔵されている。
【０３２７】
但し、本実施形態における監視装置４２０は、ケース側リブ２７７、ケース側カム溝２７８、回転子側カム溝２８４及び回転子側リブ２８５の数が上記第１の実施形態の半分となっており、代わりに、ケース側リブ２７７、ケース側カム溝２７８、回転子側カム溝２８４及び回転子側リブ２８５の幅寸法は上記第１の実施形態の倍となっている。また、これに対応させて、回転子側カム部２８９の山部２８９ａ及びプッシャ側カム部２９０の山部２９０ａの数が上記第１の実施形態の半分となっているとともに、幅寸法は上記第１の実施形態の倍となっている。
【０３２８】
これに対して、検知装置２５８の構成及び円盤２６２の構成は上記第１の実施形態と同様となっている。つまり、円盤２６２は上記第１の実施形態と同一の数の待機位置を有しているとともに、図２３に示すように各待機位置に対応させて被検知部２９８ａが形成されている。また、検知装置２５８はベース金属端子２９４ｅを含めて５つの金属端子２９４ａ〜２９４ｅを有している（図２２参照）。
【０３２９】
上記構成の監視装置４２０は、上記第１の実施形態における監視装置２５０と異なり、開閉体が閉鎖状態から開放操作された場合だけでなく、開放状態から閉鎖操作された場合にも検知状態（待機状態）が変更されることとなる。つまり、図４０に示すように、円盤２６２は第１開放待機位置、第１閉鎖待機位置、第２開放待機位置、第２閉鎖待機位置、・・・を有し、これら各待機位置と１対１で対応して検知装置２５８において導通される金属端子２９４ａ〜２９４ｅの組合せが異なっている。つまり、円盤２６２は複数の開放待機位置と複数の閉鎖待機位置とを有しており、これら各待機位置と１対１で対応して検知装置２５８には検知状態が設定されている。そして、図４１に示すように、プッシャ２６６が自然状態から最大押圧位置に移動するまでの途中のタイミング、及びプッシャ２６６が最大押圧位置から自然状態に移動するまでの途中のタイミングのそれぞれにおいて、検知装置２５８（すなわち、監視装置４２０）から主制御装置１６２に出力される検知信号パターンが変更されることとなる。
【０３３０】
次に、上記監視装置４２０の構成が反映された第１監視装置２５１及び第２監視装置２５２を用いた前扉枠１４及び遊技機主部１２の開放の監視に関する電気的構成について、図４２のブロック図に基づいて説明する。
【０３３１】
第１監視装置２５１及び第２監視装置２５２は上記第１の実施形態と同様に、主制御装置１６２に接続されている。主制御装置１６２のＣＰＵ４３１では、第１監視装置２５１及び第２監視装置２５２から入力した信号に基づいて、各監視装置２５１，２５２の検知状態（待機状態）を把握する。
【０３３２】
ＣＰＵ４３１のＲＡＭ（揮発性記憶手段）４３３には、上記第１の実施形態と同様に、前扉枠用格納エリア４４１及び本体枠用格納エリア４４２が設けられている。
【０３３３】
ＣＰＵ４３１のＲＯＭ（不揮発性記憶手段）４３２には、上記第１の実施形態と異なり、前扉枠用記憶エリア４４３及び本体枠用記憶エリア４４４が設けられている。これら前扉枠用記憶エリア４４３及び本体枠用記憶エリア４４４には、それぞれ開放情報記憶エリア（開放情報記憶部）４４３ａ，４４４ａと閉鎖情報記憶エリア（閉鎖情報記憶部）４４３ｂ，４４４ｂとが設けられている。開放情報記憶エリア４４３ａ，４４４ａには対応する監視装置２５１，２５２の円盤２６２が開放待機位置にある場合の各検知状態の情報が予め記憶されており、閉鎖情報記憶エリア４４３ｂ，４４４ｂには対応する監視装置２５１，２５２の円盤２６２が閉鎖待機位置にある場合の各検知状態の情報が予め記憶されている。
【０３３４】
つまり、本実施形態では、ＣＰＵ４３１のＲＯＭ４３２には、開閉体が開放状態にある場合における監視装置４２０の全検知状態の情報と、開閉体が閉鎖状態にある場合における監視装置４２０の全検知状態の情報とが予め記憶されており、ＣＰＵ４３１では監視装置４２０から入力した検知状態の情報により開閉体が開放状態又は閉鎖状態のいずれにあるかの特定を行えるようになっている。
【０３３５】
次に、本実施形態のＣＰＵ４３１における処理構成について説明する。
【０３３６】
先ず本実施形態におけるタイマ割込み処理について図４３のフローチャートを用いて説明する。
【０３３７】
タイマ割込み処理では、先ずステップＳ９０１にて信号読み込み処理を実行する。この信号読み込み処理では、各種スイッチや払出制御基板３２２などからの信号読み込みを実行する。また、各種スイッチの一部として、第１監視装置２５１及び第２監視装置２５２からの信号読み込みを実行する。続くステップＳ９０２では、外部電源からの電力供給が行われている状況における第１監視装置２５１を介した前扉枠１４の監視処理として前扉枠開放監視処理を実行する。
【０３３８】
ここで、前扉枠開放監視処理について図４４のフローチャートを用いて説明する。
【０３３９】
前扉枠開放監視処理では、先ずステップＳ１００１にて、ＲＡＭ４３３に設けられた開放中フラグ格納エリアに開放中フラグが格納されているか否かを判定する。開放中フラグは前扉枠１４が開放状態であるか否かをＣＰＵ４３１において特定するためのフラグであり、後述するステップＳ１００３の処理にて格納されるとともに、ステップＳ１００５の処理にて消去される。
【０３４０】
開放中フラグが格納されていない場合にはステップＳ１００１にて否定判定をし、ステップＳ１００２〜ステップＳ１００３の閉鎖時用処理を実行する。一方、開放中フラグが格納されている場合にはステップＳ１００１にて肯定判定をし、ステップＳ１００４〜ステップＳ１００５の開放時用処理を実行する。
【０３４１】
閉鎖時用処理では、先ずステップＳ１００２にて、上記信号読み込み処理にてＣＰＵ４３１のレジスタに記憶した検知状態の情報と、ＲＯＭ４３２の前扉枠用記憶エリア４４３における開放情報記憶エリア４４３ａに記憶されている各情報とを比較する。開放情報記憶エリア４４３ａに一致する情報が１つも存在しない場合には、前扉枠１４が閉鎖状態に維持されていることを意味するため、そのままステップＳ１００６に進む。開放情報記憶エリア４４３ａに一致する情報が存在している場合には、前扉枠１４が開放操作されたことを意味するため、ステップＳ１００３に進む。
【０３４２】
ステップＳ１００３では、通常時用報知処理を実行する。通常時用報知処理では、開放検知コマンドをセットする。このセットされた開放検知コマンドは通常処理（図３１）の外部出力処理にて音声ランプ制御装置１４３に出力される。音声ランプ制御装置１４３では、スピーカ部２６から報知音を出力させ、エラー表示ランプ部２４を点灯させ、さらに図柄表示装置９１にて報知表示を行わせる。これらの各種報知はステップＳ１００５にてセットされる閉鎖検知コマンドを入力するまで継続される。また、通常時用報知処理では、遊技ホールに設けられたホールコンピュータに外部端子板２１３を介して開放検知信号を出力する。この場合、ホールコンピュータでは開放検知信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。さらにまた、通常時用報知処理では、ＲＡＭ４３３の開放中フラグ格納エリアに開放中フラグを格納する。
【０３４３】
開放時用処理では、先ずステップＳ１００４にて、上記信号読み込み処理においてＣＰＵ４３１のレジスタに記憶した検知状態の情報と、ＲＯＭ４３２の前扉枠用記憶エリア４４３における閉鎖情報記憶エリア４４３ｂに記憶されている各情報とを比較する。閉鎖情報記憶エリア４４３ｂに一致する情報が１つも存在しない場合には、前扉枠１４が開放状態に維持されていることを意味するため、そのままステップＳ１００６に進む。閉鎖情報記憶エリア４４３ｂに一致する情報が存在している場合には、前扉枠１４が開放操作されたことを意味するため、ステップＳ１００５に進む。
【０３４４】
ステップＳ１００５では、報知解除処理を実行する。報知解除処理では、閉鎖検知コマンドをセットする。このセットされた閉鎖検知コマンドは通常処理（図３１）の外部出力処理にて音声ランプ制御装置１４３に出力される。音声ランプ制御装置１４３では、閉鎖検知コマンドを入力することに基づいて、スピーカ部２６、エラー表示ランプ部２４及び図柄表示装置９１において継続させていた各種報知を終了させる。また、報知解除処理では、遊技ホールに設けられたホールコンピュータに外部端子板２１３を介して閉鎖検知信号を出力する。この場合、ホールコンピュータでは閉鎖検知信号をパチンコ機１０から入力した日時やパチンコ機１０の台番号といった識別情報を履歴として記憶する処理や、対象となるパチンコ機１０に監視カメラを向けさせた状態を解除するといった処理を実行する。さらにまた、報知解除処理では、ＲＡＭ４３３の開放中フラグ格納エリアに格納されている開放中フラグを消去する。
【０３４５】
上記のように通常時用報知処理及び報知解除処理が実行されることにより、外部電源から電力供給が行われている状況において前扉枠１４が開放状態にある間はパチンコ機１０自身及びホールコンピュータにてその旨の報知が継続されることとなる。これにより、前扉枠１４が開放状態であることを遊技ホールの管理者等に報知することができ、仮にそれが不正開放である場合にはそれに対処させることができる。
【０３４６】
なお、通常時用報知処理は、上記のものに限定されることはなく、通常時報知用コマンド又は通常時報知用信号のいずれか一方のみを出力する構成としてもよい。また、通常時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０３４７】
ステップＳ１００２〜ステップＳ１００３の閉鎖時用処理又はステップＳ１００４〜ステップＳ１００５の開放時用処理のいずれかを実行した後は、ステップＳ１００６にて比較処理を実行する。
【０３４８】
比較処理では、上記信号読み込み処理にてＣＰＵ４３１のレジスタに記憶した検知状態の情報と、ＲＡＭ４３３の前扉枠用格納エリア４４１に格納されている検知状態の情報とを比較する。続くステップＳ１００７では比較処理にて比較した各検知状態が一致しているか否かを判定する。その結果、一致している場合には、そのまま本前扉枠開放監視処理を終了する。一方、一致していない場合には、ステップＳ１００８において、最新の検知状態の情報、すなわちＣＰＵ４３１のレジスタに記憶されている検知状態の情報を前扉枠用格納エリア４４１に格納した後に、本前扉枠開放監視処理を終了する。
【０３４９】
タイマ割込み処理（図４３）の説明に戻り、ステップＳ９０２にて前扉枠開放監視処理を実行した後は、ステップＳ９０３にて、外部電源からの電力供給が行われている状況における第２監視装置２５２を介した遊技機主部１２の監視処理として本体枠開放監視処理を実行する。
【０３５０】
本体枠開放監視処理では、信号読み込み処理にて把握した第２監視装置２５２の検知状態の情報と、ＲＯＭ４３２の本体枠用記憶エリア４４４における開放情報記憶エリア４４４ａや閉鎖情報記憶エリア４４４ｂに記憶された情報とを用いて、遊技機主部１２が開放状態であるか否かを特定し、遊技機主部１２が開放状態である場合には上記通常時用報知処理を実行する。また、信号読み込み処理にて把握した第２監視装置４２０の検知状態の情報が、ＲＡＭ４３３の本体枠用格納エリア４４２に格納されている検知状態の情報と異なっている場合に、検知状態の情報の更新を実行する。これらの具体的な処理構成については、前扉枠開放監視処理と同様であるため、ここでは説明を省略する。
【０３５１】
なお、前扉枠開放監視処理における通常時用報知処理と本体枠開放監視処理における通常時用報知処理とで、通常時報知用コマンド又は通常時報知用信号の情報形態を異ならせてもよい。この場合、前扉枠１４が開放された場合と遊技機主部１２が開放された場合とで、パチンコ機１０自身又はホールコンピュータにおいて報知の態様を異ならせることができる。
【０３５２】
ステップＳ９０３にて本体枠開放監視処理を実行した後は、ステップＳ９０４にて始動入賞処理を実行した後に本タイマ割込み処理を終了する。当該始動入賞処理については、上記第１の実施形態にて説明したとおりであるため、ここでは説明を省略する。
【０３５３】
次に、本実施形態におけるメイン処理について図４５のフローチャートを用いて説明する。
【０３５４】
メイン処理では、ステップＳ１１０１にて初期設定処理を実行し、ステップＳ１１０２にてＲＡＭ４３３のアクセスを許可し、ステップＳ１１０３にてＲＡＭ消去スイッチ２４７がオンされているか否かを判定し、ステップＳ１１０４にて停電フラグが格納されているか否かを判定し、ステップＳ１１０５にてＲＡＭ判定値を算出し、ステップＳ１１０６にてそのＲＡＭ判定値が電源遮断時に保存したＲＡＭ判定値と一致するか否かを判定する。これらの処理については、上記第１の実施形態におけるステップＳ３０１〜ステップＳ３０６にて説明したとおりである。
【０３５５】
ステップＳ１１０３で肯定判定した場合、ステップＳ１１０４にて否定判定した場合又はステップＳ１１０６にて否定判定した場合には、ステップＳ１１０７〜ステップＳ１１１０の処理に移行する。
【０３５６】
ステップＳ１１０７では、音声ランプ制御装置１４３に音声ランプ初期化コマンドを出力する。これにより、ＲＡＭデータの初期化やＲＡＭ判定値により記憶保持されたデータの異常等が報知される。また、ステップＳ１１０８〜ステップＳ１１１０では、上記第１の実施形態におけるステップＳ３１３〜ステップＳ３１５と同様の処理を実行する。その後、ステップＳ１１１１にて割込み許可を設定し、通常処理に移行する。
【０３５７】
一方、ステップＳ１１０３で否定判定した場合、ステップＳ１１０４にて肯定判定した場合又はステップＳ１１０６にて肯定判定した場合には、ステップＳ１１１２にて停電フラグをクリアし、ステップＳ１１１３にて復電コマンドを出力した後に、ステップＳ１１１４〜ステップＳ１１１８の復電時用開放監視処理を実行する。
【０３５８】
復電時用開放監視処理では、先ずステップＳ１１１４にて検知状態把握処理を実行する。検知状態把握処理では、ステップＳ９０１の信号読み込み処理と同様に、第１監視装置２５１及び第２監視装置２５２から入力した信号の読み込みが行われ、この読み込まれた信号の情報は、ＣＰＵ４３１のレジスタに記憶保持される。
【０３５９】
続くステップＳ１１１５では、比較処理を実行する。比較処理では、上記検知状態把握処理にてＣＰＵ４３１のレジスタに記憶した第１監視装置２５１の検知状態と、ＲＡＭ４３３の前扉枠用格納エリア４４１に格納されている検知状態の情報とを比較する。また、比較処理では、上記検知状態把握処理にてＣＰＵ４３１のレジスタに記憶した第２監視装置２５２の検知状態の情報と、ＲＡＭ４３３の本体枠用格納エリア４４２に格納されている検知状態の情報とを比較する。
【０３６０】
続くステップＳ１１１６では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ１１１１にて割込み許可を設定し、通常処理に移行する。いずれか一方でも一致していない場合には、電源遮断中において前扉枠１４又は遊技機主部１２が開放されたことを意味するため、ステップＳ１１１７に進む。
【０３６１】
ステップＳ１１１７では、復電時用報知処理を実行する。復電時用報知処理では、音声ランプ制御装置１４３に復電時報知用コマンドを出力する。これにより、スピーカ部２６からの報知音の出力、エラー表示ランプ部２４の点灯、及び図柄表示装置９１での報知表示が行われる。但し、これらの報知態様は通常時報知用コマンドに基づく報知の態様とは異なっている。また、音声ランプ制御装置１４３では、状態復帰スイッチ２４５などといった報知解除操作が行われるまで各種報知を継続させる。つまり、通常時と復電時とでは、報知の態様だけでなく、報知解除の態様も異なっている。
【０３６２】
また、復電時用報知処理では、遊技ホールに設けられたホールコンピュータに外部端子板２１３を介して復電時報知用信号を出力する。この場合、ホールコンピュータでは復電時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０３６３】
上記復電時用報知処理が実行されることにより、電源遮断中に前扉枠１４又は遊技機主部１２が開放操作されていた場合には、それを遊技ホールの管理者等に報知することができ、仮にそれが不正開放である場合にはそれに対処させることができる。
【０３６４】
なお、復電時用報知処理において前扉枠１４が開放操作されていた場合と遊技機主部１２が開放操作されていた場合とで、電断時報知用コマンド又は電断時開放検知信号の情報形態を異ならせてもよい。この場合、前扉枠１４が電源遮断中に開放された場合と遊技機主部１２が電源遮断中に開放された場合とで、パチンコ機１０自身又はホールコンピュータにおいて報知の態様を異ならせることができ、遊技ホールの管理者等に対して適切に対処させることが可能となる。また、復電時用報知処理は、上記のものに限定されることはなく、復電時報知用コマンド又は復電時報知用信号のいずれか一方のみを出力する構成としてもよい。また、復電時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０３６５】
ステップＳ１１１７にて復電時用報知処理を実行した後は、ステップＳ１１１８に進む。ステップＳ１１１８では、ステップＳ１１１４においてＣＰＵ４３１のレジスタに記憶されている各監視装置２５１，２５２の検知状態の情報のうち、ステップＳ１１１６にて一致しないと判定された検知状態の情報を、該当する格納エリア４４１，４４２に格納する。その後、ステップＳ１１１１にて割込み許可を設定し、通常処理に移行する。
【０３６６】
以上詳述した本実施形態によれば上記第１の実施形態と同様に、第１監視装置２５１及び第２監視装置２５２により、外部電源からの電力供給が遮断されている状況だけでなく、外部電源からの電力供給が行われている状況においても前扉枠１４や遊技機主部１２の開放を監視することができる。
【０３６７】
また、上記第１の実施形態では、外部電源から電力供給が行われている状況において前扉枠１４や遊技機主部１２が開放操作されたタイミングのみが監視装置２５１，２５２を介して特定される構成であったが、本実施形態では前扉枠１４や遊技機主部１２が開放状態であることが監視装置２５１，２５２を介して特定される。よって、外部電源からの電力供給が行われている状況において前扉枠１４や遊技機主部１２が開放操作された場合には、その旨の報知をそれら開閉体が開放状態となってから当該開閉体が閉鎖状態となるまでの間、正確に行うことが可能となる。
【０３６８】
（第６の実施形態）
本実施形態では、前扉枠開放監視処理及び本体枠開放監視処理の処理構成が上記第５の実施形態と異なっている。具体的には、上記第５の実施形態では、電源遮断中に前扉枠１４や遊技機主部１２が開放操作されたか否かの判定をメイン処理にて行う構成としたが、本実施形態では、電源遮断中に前扉枠１４や遊技機主部１２が開放操作されたか否かの判定を、タイマ割込み処理における前扉枠開放監視処理及び本体枠開放監視処理にて行う。そこで、その相違する処理構成について以下に説明する。但し、前扉枠開放監視処理と本体枠開放監視処理とは処理構成が同一であるため、前扉枠開放監視処理のみについて説明し、本体枠開放監視処理についてはその説明を省略する。
【０３６９】
図４６は本実施形態における前扉枠開放監視処理を示すフローチャートである。
【０３７０】
図４６に示すように、先ずステップＳ１２０１にてＲＡＭ４３３の開放中フラグ格納エリアに開放中フラグが格納されているか否かを判定する。開放中フラグが格納されていない場合にはステップＳ１２０２〜ステップＳ１２０３の閉鎖時用処理を実行し、開放中フラグが格納されている場合にはステップＳ１２０４〜ステップＳ１２０５の開放時用処理を実行する。これらステップＳ１２０１〜ステップＳ１２０５の各処理は、上記第５の実施形態におけるステップＳ１００１〜ステップＳ１００５の各処理と同様であるため、詳細な説明は省略する。
【０３７１】
ステップＳ１２０２〜ステップＳ１２０３の閉鎖時用処理又はステップＳ１２０４〜ステップＳ１２０５の開放時用処理のいずれかを実行した後は、ステップＳ１２０６にて比較処理を実行する。
【０３７２】
比較処理では、タイマ割込み処理（図４３）における信号読み込み処理にてＣＰＵ４３１のレジスタに記憶した検知状態の情報と、ＲＡＭ４３３の前扉枠用格納エリア４４１に格納されている検知状態の情報とを比較する。続くステップＳ１２０７では比較処理にて比較した各検知状態が一致しているか否かを判定する。その結果、一致している場合には、ステップＳ１２０８〜ステップＳ１２１０の開閉検知処理を実行することなく、ステップＳ１２１１に進む。一方、一致していない場合には、ステップＳ１２０８〜ステップＳ１２１０の開閉検知処理を実行する。
【０３７３】
開閉検知処理では、先ずステップＳ１２０８にてＲＡＭ４３３の復電後フラグ格納エリアに復電後フラグが格納されているか否かを判定する。この復電後フラグは、電源の立ち上げに際して格納されるフラグであり、当該復電後フラグが格納されている状況というのは復電後の最初の前扉枠開放監視処理であることを意味する。当該復電後フラグは、具体的にはメイン処理（図４５）の開始時などに格納される。
【０３７４】
復電後フラグが格納されていない場合には、今回の開閉検知処理が、外部電源から電力供給が行われている状況において前扉枠１４が開放操作されたこと又は閉鎖操作されたことに基づくものであることを意味するため、ステップＳ１２０９の処理を実行することなく、ステップＳ１２１０に進む。
【０３７５】
一方、復電後フラグが格納されている場合には、電源遮断中に前扉枠１４が開放操作されたことを意味するため、ステップＳ１２０９に進み、復電時用報知処理を実行する。当該復電時用報知処理の具体的な内容は上記第５の実施形態にて説明したとおりであるため、ここでは説明を省略する。当該復電時用報知処理が実行されることにより、電源遮断中に前扉枠１４が開放操作されていたことを遊技ホールの管理者等に報知することができ、仮にそれが不正開放である場合にはそれに対処させることができる。その後、ステップＳ１２１０に進む。
【０３７６】
ステップＳ１２１０では、最新の検知状態の情報、すなわちＣＰＵ４３１のレジスタに記憶されている検知状態の情報を前扉枠用格納エリア４４１に格納した後に、ステップＳ１２１１に進む。
【０３７７】
ステップＳ１２１１では、ＲＡＭ４３３の復電後フラグ格納エリアに復電後フラグが格納されているか否かを判定する。復電後フラグが格納されていない場合には、そのまま本前扉枠開放監視処理を終了する。一方、復電後フラグが格納されている場合には、ステップＳ１２１２にて復電後フラグ格納エリアから復電後フラグを消去した後に本前扉枠開放監視処理を終了する。
【０３７８】
以上のように本実施形態では、電源の立ち上げ処理であるメイン処理において復電時用開放監視処理を実行するのではなく、タイマ割込み処理において通常時用開放監視処理とともに復電時用開放監視処理を実行するようにした。これにより、メイン処理の処理時間に極力影響を及ぼすことなく、復電時用開放監視処理を実行することが可能となる。
【０３７９】
ちなみに、ＣＰＵ４３１の通常処理における停電時処理（電断時処理）において電断時更新処理を実行しないようにしてもよい。当該構成であっても、上記のとおりタイマ割込み処理において定期的に第１監視装置２５１の検知状態が確認され、検知状態が変更されている場合にはその更新処理が実行されるため、電断時における第１監視装置２５１の検知状態をＲＡＭ４３３において記憶しておくことは可能である。本構成によれば、停電時処理の処理時間に影響を及ぼすことなく、電断時における第１監視装置２５１の検知状態をＲＡＭ４３３に記憶させることが可能となる。これは第２監視装置２５２についても同様である。
【０３８０】
（第７の実施形態）
以下、遊技機の一種であるパチンコ遊技機（以下、「パチンコ機」という）の第７の実施形態を、図面に基づいて詳細に説明する。図４７はパチンコ機１０の正面図、図４８及び図４９はパチンコ機１０の主要な構成を展開して示す斜視図、図５０はパチンコ機１０の背面図である。なお、図４８では便宜上パチンコ機１０の遊技領域内の構成を省略している。また、以下の説明において、特に指示しない限りはパチンコ機１０の正面視を基準に上下左右等の方向を特定することとする。例えば、図４７の手前側を前側、奥側を後側とする。
【０３８１】
なお、本実施の形態においては、上述した各実施の形態と同様の部材名称や部分名称等そしてそれらに付随する部分番号や部材番号等を用いているが、これらは全て上記各実施の形態の部材番号等とは別個独立のものとして取り扱うものとする。
【０３８２】
パチンコ機１０は、当該パチンコ機１０の外殻を形成する外枠１１と、この外枠１１に対して前方に回動可能（開閉可能）に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【０３８３】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能（開閉可能）に支持されている。詳細には、正面視で左側を回動基端側（開閉基端側）とし右側を回動先端側（開閉先端側）として本体枠１３が前方へ回動可能とされている。
【０３８４】
本体枠１３には、図４８に示すように、前扉枠１４が回動可能（開閉可能）に支持されており、正面視で左側を回動基端側（開閉基端側）とし右側を回動先端側（開閉先端側）として前方へ回動可能とされている。また、本体枠１３には、図４９に示すように、裏パックユニット１５が回動可能（開閉可能）に支持されており、正面視で左側を回動基端側（開閉基端側）とし右側を回動先端側（開閉先端側）として後方へ回動可能とされている。
【０３８５】
次に、前扉枠１４について説明する。なお、以下の説明では、図４７〜図４９を参照するとともに、前扉枠１４の背面の構成については図５１を参照する。図５１は、前扉枠１４の背面図である。
【０３８６】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。なお、ガラス２２に代えて、透明樹脂板を嵌め込むようにしてもよい。
【０３８７】
窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【０３８８】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【０３８９】
下側膨出部３２の右方には、手前側へ突出するようにして遊技球発射ハンドル４１が設けられている。遊技球発射ハンドル４１が操作されることにより、後述する遊技球発射機構から遊技球が発射される。
【０３９０】
前扉枠１４の背面には、図４８及び図５１に示すように、通路形成ユニット５０が取り付けられている。通路形成ユニット５０は、合成樹脂により形成されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【０３９１】
前扉枠１４の背面における回動基端側（図５１の右側）には、その上端部及び下端部に突起軸６１，６２が設けられている。これら突起軸６１，６２は本体枠１３に対する組付機構を構成する。また、前扉枠１４の背面における回動先端側（図５１の左側）には、図４８に示すように、後方に延びる鉤金具６３が上下方向に複数並設されている。これら鉤金具６３は本体枠１３に対する施錠機構を構成する。
【０３９２】
次に、本体枠１３について詳細に説明する。図５２は本体枠１３の正面図である。
【０３９３】
本体枠１３は、外形が外枠１１とほぼ同一形状をなす樹脂ベース７１を主体に構成されている。樹脂ベース７１の前面における回動基端側（図５２の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【０３９４】
樹脂ベース７１の前面における回動先端側（図５２の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【０３９５】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。樹脂ベース７１の右上隅部、すなわち前扉枠１４の回動先端側には、内外（すなわち前後方向）に貫通する略矩形状の開口部７１ｂが形成されている。この開口部７１ｂには前扉枠１４の開放を監視する第１監視装置２５０が嵌まっている。第１監視装置２５０についての詳細は後述する。
【０３９６】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【０３９７】
ここで、遊技盤８１の構成を図５３に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【０３９８】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【０３９９】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０４００】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【０４０１】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【０４０２】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【０４０３】
遊技球発射機構１１０は、図５２に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【０４０４】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【０４０５】
樹脂ベース７１において発射レール１１２の下方には、内外（すなわち前後方向）に貫通する略矩形状の開口部７１ｃが形成されている（図５４参照）。この開口部７１ｂには遊技機主部１２の開放を監視する第２監視装置２９０が嵌まっている。第２監視装置２９０についての詳細は後述する。
【０４０６】
樹脂ベース７１において発射レール１１２の左方には、樹脂ベース７１を前後方向に貫通させて通路形成部１２１が設けられている。通路形成部１２１には図４９に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【０４０７】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【０４０８】
次に、本体枠１３の背面構成について説明する。図５４は本体枠１３の背面図である。
【０４０９】
樹脂ベース７１の背面における回動先端側（図５４の左側）には、施錠装置１３１が設けられており、シリンダ錠７５におけるキー操作に対して施錠装置１３１が連動し、本体枠１３及び前扉枠１４の解錠が行われる。
【０４１０】
樹脂ベース７１の背面における回動基端側（図５４の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０４１１】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図５５は遊技盤８１を後方より見た斜視図、図５６は遊技盤８１から主制御装置ユニット１６０を取り外した状態を示す背面図である。
【０４１２】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０４１３】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０４１４】
遊技盤８１の背面には、図５６に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０４１５】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０４１６】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【０４１７】
遊技盤８１の背面には、集合板ユニット１５０を後側から覆うようにして主制御装置ユニット１６０が搭載されている。主制御装置ユニット１６０の構成について図５７を用いて説明する。図５７は主制御装置ユニット１６０の構成を示す斜視図である。
【０４１８】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０４１９】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０４２０】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０４２１】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０４２２】
次に、裏パックユニット１５について説明する。図５８は裏パックユニット１５の正面図、図５９は裏パックユニット１５の分解斜視図である。
【０４２３】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０４２４】
ベース部２１１には、その右上部に外部端子板２１３が設けられている。外部端子板２１３には、パチンコ機１０に発生した各種のエラー情報を出力するための出力端子、本体枠１３の開放時に信号出力するための出力端子、及び前扉枠１４の開放時に信号出力するための出力端子等が設けられている。そして、これらの出力端子を通じて、遊技ホール側の管理制御装置（又はホールコンピュータ）に対して枠側の状態に関する信号が出力される。
【０４２５】
ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０４２６】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０４２７】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０４２８】
払出機構部２０２には、裏パック基板（電力受入部又は外部電力受入部）２２９が設置されている。裏パック基板２２９には、例えば交流２４ボルトの主電源が供給され、電源スイッチ２２９ａの切替操作により電源ＯＮ又は電源ＯＦＦとされるようになっている。
【０４２９】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０４３０】
制御装置集合ユニット２０４は、横長形状をなす取付台２４１を有し、取付台２４１に払出制御装置２４２と電源及び発射制御装置２４３（以下、電源装置２４３ともいう）とが搭載されている。これら払出制御装置２４２と電源装置２４３とは、払出制御装置２４２がパチンコ機１０後方となるように前後に重ねて配置されている。
【０４３１】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０４３２】
電源装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０４３３】
次に、本体枠１３（遊技機主部１２）や前扉枠１４が開放された場合に、その事実を把握するための構成について説明する。
【０４３４】
図４８や図５４等に示すように、本体枠１３の樹脂ベース７１には、第１監視装置２５０及び第２監視装置２９０が装着されている。第１監視装置２５０は本体枠１３の開閉先端側の上部に配置されており、この第１監視装置２５０によって前扉枠１４の開放が監視されている。一方、第２監視装置２９０は本体枠１３の下部に配置されている。詳しくは、裏パックユニット１５の閉状態で当該裏パックユニット１５の下端縁よりも下方に配置されており、パチンコ機１０の後方から視認可能となっている（図５０参照）。この第２監視装置２９０により遊技機主部１２の開放が監視されている。
【０４３５】
ここで、第１監視装置２５０及び第２監視装置２９０の具体的な構成について説明する。第１監視装置２５０及び第２監視装置２９０はともに同一の構成を具備してなり、それら監視装置２５０，２９０の取り付け方向、及びそれら監視装置２５０，２９０に付随して設けられている構成のみ相違している。故に、先ず第１監視装置２５０について詳細に説明し、その後上述した相違点について説明する。図６０はパチンコ機１０の前方から見た第１監視装置２５０の分解斜視図、図６１はパチンコ機１０の後方から見た第１監視装置２５０の分解斜視図、図６２（ａ）は図５４のＡ−Ａ線部分断面図、図６２（ｂ）は図５４のＢ−Ｂ線部分断面図である。
【０４３６】
第１監視装置２５０は収容ケース体２５１と蓋用ケース体２８０とを備えている。これら両ケース体２５１，２８０がビス等の締結具によって固定されていることにより後述する各種構成を収容可能なハウジング２５２が形成されている。ハウジング２５２（両ケース体２５１，２８０）は、光透過性を有する透明な合成樹脂材料により形成されており、ハウジング２５２の内部が視認可能となっている。これにより、メンテナンス等による第１監視装置２５０の内部確認の容易化が図られている。このように、内部の確認を容易化することで、第１監視装置２５０自身に対して不正行為が行われ、その監視機能が阻害されている場合であっても、これを発見することが容易となっている。故に、更なる防犯性の向上に貢献を期待することができる。
【０４３７】
第１監視装置２５０は、収容ケース体２５１を前側、蓋用ケース体２８０を後側として樹脂ベース７１の上側隅部に配置されている。このように配置された状態で、ボルト等の締結具によって樹脂ベース７１の背面に固定されている。
【０４３８】
収容ケース体２５１は、天板部２５３，底板部２５４，前板部２５５，左側板部２５６及び右側板部２５７を有し、全体としてパチンコ機１０の後方に開放された略箱状に形成されている。前板部２５５は樹脂ベース７１の背面と略平行をなしている。前板部２５５には、天板部２５３との境界から上方に延びる上側延出部２５８と、底板部２５４との境界から下方に延びる下側延出部２５９とが形成されており、それら両延出部２５８，２５９が樹脂ベース７１の背面に当接している。
【０４３９】
各延出部２５８，２５９には、樹脂ベース７１に形成された円柱状のボス部７１ａが嵌まる丸孔２５８ａ，２５９ａが設けられている（図６２参照）。これら丸孔２５８ａ，２５９ａにボス部７１ａが嵌まることで第１監視装置２５０の上下及び左右方向の位置決めがなされている。
【０４４０】
また、前板部２５５の下部には前方に段差状に張り出した張出部２６０が形成されており、樹脂ベース７１には張出部２６０に対応する開口部７１ｂが形成されている。開口部７１ｂは前後方向に貫通しており、その内周は張出部２６０の外周とほぼ同一形状をなしている。張出部２６０が開口部７１ｂに嵌まることで、樹脂ベース７１と第１監視装置２５０との境界部位がクランク状をなす構成となっている。これにより、開口部７１ｂと張出部２６０の境界部位から不正具等が挿入されるといった不都合を抑制している。更に、樹脂ベース７１の前面と張出部２６０の前面とはほぼ同一面上になるように設定されている。すなわち、張出部２６０は樹脂ベース７１よりも前方に突出しない構成となっている。これにより、メンテナンス作業等の際に張出部２６０が引っ掛かることで、第１監視装置２５０が位置ずれするといった不都合が回避可能となっている。
【０４４１】
ハウジング２５２の内部（詳しくは収容ケース体２５１の内部）には、前扉枠１４の開閉状態を検知する検知装置２６５と、電力が供給されることで継続的に動作する動作機構２７５とが設置されている。
【０４４２】
検知装置２６５について詳細に説明する。検知装置２６５は、樹脂ベース７１の開口部７１ｂの後方、すなわち張出部２６０の後方に配置されている。より具体的には、収容ケース体２５１の内部における前扉枠１４の回動先端側に配置されている。検知装置２６５は、光を射出する発光素子２６６（詳しくは赤外線を発する発光ダイオード）と、発光素子２６６からの光を受ける受光素子２６７（詳しくはフォトトランジスタ）と、それら両素子２６６，２６７を収容する収容体２６８とを備えている。
【０４４３】
収容体２６８は略直方体状の本体部２６９を有し、その前面が前板部２５５と平行となるように配置されている。本体部２６９の下部には左右方向に突出する突出部２６９ａ，２６９ｂが形成されている。各突出部２６９ａ，２６９ｂは底板部２５４と平行な板状をなしている。収容ケース体２５１には、各突出部２６９ａ，２６９ｂが嵌まる第１ガイド溝２７０が形成されている。これら第１ガイド溝２７０は互いに対向するとともに前後方向に延びており、その後端部においてはパチンコ機１０の後方に開放されている。第１ガイド溝２７０の後端側から突出部２６９ａ，２６９ｂを挿入し、検知装置２６５を押し込むことで、検知装置２６５の装着がなされる。このように、突出部２６９ａ，２６９ｂが第１ガイド溝２７０に挿入されることで、突出部２６９ａ，２６９ｂの外周面と第１ガイド溝２７０の内周面とが接触する。これにより、検知装置２６５の上下方向及び左右方向の移動が規制されている。
【０４４４】
また、第１ガイド溝２７０の前部には収容体２６８が当たる当接部２７１が設けられている。当接部２７１は、収容ケース体２５１の内方に隆起しており、底板部２５４の内面に平行な上側当接面２７１ａ及び前板部２５５の内面に平行な後側当接面２７１ｂを有している。第１ガイド溝２７０に沿って検知装置２６５が押し込まれた際には、収容体２６８と後側当接面２７１ｂとが当たる。これにより、検知装置２６５の前方への移動が規制されている。このように前方への移動が規制なされた状態においては、収容ケース体２５１の前板部２５５と検知装置２６５との間に所定の隙間が確保されている。収容体２６８は、上述の如く前方，左右方向，上下方向の各方向への移動が規制された状態で、収容ケース体２５１にビス等の締結具によって固定されている。すなわち、検知装置２６５がハウジング２５２に装着された状態となっている。
【０４４５】
収容体２６８の本体部２６９には前後方向に貫通する貫通孔２６９ｃ，２６９ｄが所定の間隔を隔てた状態で左右に並設されている。それら貫通孔２６９ｃ，２６９ｄには、発光素子２６６及び受光素子２６７が発光部位及び受光部位を前方に向けた状態で嵌め込まれている。各貫通孔２６９ｃ，２６９ｄは上側当接面２７１ａ（当接部２７１）よりも上方に配置されており、当接部２７１によって各素子２７２，２７３間での光の通過が遮られることはない。例えば、発光素子２６６から発せられた光は、当接部２７１によって遮られることなく収容ケース体２５１から射出され、前扉枠１４の背面に向かって照射される。また、貫通孔２６９ｃ，２６９ｄの中心軸線は前板部２５５と直交しており、両素子２６６，２６７の中心軸線も前板部２５５と直交している。このため、発光素子２６６からの光が前板部２５５に入射することで、屈折したり反射したりしにくくなっている。なお、光の通過経路についての詳細は後述する。
【０４４６】
図４８や図６２等に示すように、検知装置２６５の前方、すなわち前扉枠１４の背面側には、発光素子２６６からの光を受光素子２６７に向かって反射する光反射部材２７４が設けられている。光反射部材２７４は、前扉枠１４に形成された収容凹部１４ａに収容された状態で、ビス等の締結具によって前扉枠１４に固定されており、前扉枠１４の背面からの突出が抑えられている。光反射部材２７４は光透過性を有するガラス製のプリズムにより構成されている。具体的には図６２（ｂ）に示すように、検知装置２６５と対向するとともに光の進行方向と直交する対向面２７４ａと、光の進行方向に対して所定の角度（本実施の形態においては４５°）で傾いている第１反射面２７４ｂ及び第２反射面２７４ｃとを有している。両反射面２７４ｂ，２７４ｃは対向面２７４ａよりもパチンコ機１０における前側に設けられている。第１反射面２７４ｂは発光素子２６６の前方に配置されているとともに、第２反射面２７４ｃは受光素子２６７の前方に配置されており、両反射面２７４ｂ，２７４ｃは相対向している。すなわち、それら反射面２７４ｂ，２７４ｃは、パチンコ機１０の平面視において後方に広がる略ハ字状をなしている。
【０４４７】
以下、図６２（ｂ）に基づいて発光素子２６６から発せられた光の通過経路について説明する。なお、図６２（ｂ）においては光の通過経路の概略を１点鎖線の矢印で示している。
【０４４８】
発光素子２６６から発せられた光は、収容ケース体２５１の前板部２５５を通過し、前扉枠１４の背面に照射される。具体的には、光の大部分は光反射部材２７４の対向面２７４ａに入射する。対向面２７４ａを通過した光は、第１反射面２７４ｂによって反射されその進行方向が変わる。すなわち、第２反射面２７４ｃに向かって反射される。第２反射面に到達した光は、反射することによってその進行方向がパチンコ機１０の後方に向かうように変更される。このようにして進行方向が反転した光は、再び対向面２７４ａを通過し、前板部２５５に向かって射出される。前板部２５５を通過した光は、受光素子２６７に到達する。なお、光反射部材２７４の代わりに鏡等を用いて光の進行方向を変えることも可能である。
【０４４９】
次に、動作機構２７５について詳細に説明する。図６０〜図６２に示すように、動作機構２７５は、検知装置２６５の側方に配置されており、その主要な構成として、動作機構２７５の動力源として設けられたソレノイド２７６と、そのソレノイド２７６に挿通された動作軸２７７とを備えている。
【０４５０】
ソレノイド２７６は上下方向に延びる略円筒状をなし、その上部には収容ケース体２５１への取付部２７８が設けられている。取付部２７８は収容ケース体２５１の天板部２５３と平行な板状をなし、天板部２５３及び左側板部２５６に形成された第２ガイド溝２７９に嵌まっている。これら第２ガイド溝２７９は互いに対向するとともに前後方向に延びており、その後端部においてはパチンコ機１０の後方に開放されている。第２ガイド溝２７９の後端側から取付部２７８を挿入し、ソレノイド２７６を押し込むことで、動作機構２７５の装着がなされる。このように、取付部２７８が第２ガイド溝２７９に挿入されることで、取付部２７８の外周面と第２ガイド溝２７９の内周面とが接触する。これにより、動作機構２７５の上下方向及び左右方向の移動が規制されている。動作機構２７５をガイド溝２７９に沿って押し込むことで、取付部２７８と収容ケース体２５１の前板部２５５とが当接し、パチンコ機１０前方への移動が規制される。動作機構２７５は、このように各方向への移動が規制された状態で、ビス等の締結具によって収容ケース体２５１に固定されている。なお、本実施の形態においては、動作機構２７５の装着作業性向上のため、第２ガイド溝２７９を設ける構成としたが、これらを設けない構成としてもよい。
【０４５１】
動作軸２７７は上下方向に延びる鉄製の円柱部２７７ａを有している。その円柱部２７７ａの大部分がソレノイド２７６の内部に収容された状態となっている。円柱部２７７ａの中心軸線とソレノイド２７６の中心軸線とが重なっており、動作軸２７７はソレノイド２７６の中心軸線方向に移動可能となっている。動作軸２７７の下端部はソレノイド２７６の外部に突出しており、その下端部には板状の遮蔽部２７７ｂと、動作軸２７７から遮蔽部２７７ｂをパチンコ機１０の前方にオフセットするクランク部２７７ｃとが一体成形されている。なお、本実施の形態においては動作軸２７７の円柱部２７７ａ及び遮蔽部２７７ｂ及びクランク部２７７ｃを一体成形したが、それらを個々に成形することも可能である。例えば、円柱部２７７ａのみを鉄製とし、遮蔽部２７７ｂ及びクランク部ｃを合成樹脂製とするとよい。
【０４５２】
遮蔽部２７７ｂは、前板部２５５と略平行に形成されており、動作軸２７７の上下動に追従して、前板部２５５と平行に移動する。また、遮蔽部２７７ｂはクランク部２７７ｃによって検知装置２６５よりも前側となるように配置されており、検知装置２６５と前板部２５５との間に形成された空間によってその作動隙が確保されている。遮蔽部２７７ｂの下端部は、その下限位置において前記上側当接面２７１ａと当接する。このような当接状態では、遮蔽部２７７ｂは、パチンコ機１０の正面視において、受光素子２６７と重なる構成となっている。すなわち、受光素子２６７の前側を覆った状態となっている。一方、遮蔽部２７７ｂが上限位置にある状態では、遮蔽部２７７ｂの下端部は、受光素子２６７よりも上方となるように設定されている。すなわち、受光素子２６７の前側を覆わない状態となっている。遮蔽部２７７ｂには光を吸収する塗装（光反射率の低い塗装）が付与されており、他の光源からの光が遮蔽部２７７ｂにて反射し、受光素子２６７に到達するといった不都合が回避されている。本実施の形態においては、遮蔽部２７７ｂが受光素子２６７にのみ重なる構成としたが、発光素子２６６に重なる構成としてもよいし、受光素子２６７及び発光素子２６６の両素子に重なる構成としてもよい。
【０４５３】
図６２に示すように、動作軸２７７はソレノイド２７６に電力が供給されている状態では動作範囲の上限位置（以下、第１位置ともいう）にて保持される。詳しくは、ソレノイド２７６の出力は、動作軸２７７を重力に抗して持ち上げることができる程度に大きく設定されている。電力の供給が停止されている状態では動作軸２７７が自重で下がり、動作範囲の下限位置（以下、第２位置ともいう）にて保持される。詳しくは、遮蔽部２７７ｂが上側当接面２７１ａに当接することで、動作軸２７７は第２位置にて保持された状態となる。すなわち、動作軸２７７においては電力供給の有無により、第１位置と第２位置との両位置間でその位置の切り替えが行われる。換言すれば、動作軸２７７の位置切り替えに伴い、遮蔽部２７７ｂの位置が第１位置及び第２位置間で切り替わる。
【０４５４】
第１位置における遮蔽部２７７ｂの下端部と、第２位置における遮蔽部２７７ｂの上端部との間には所定の隙間領域が設定されている。すなわち、動作軸２７７の動作距離寸法は遮蔽部２７７ｂの軸線方向の長さ寸法よりも大きく設定されている。その隙間領域とパチンコ機１０の正面視において重なる前板部２５５（詳しくは張出部２６０）の一部には、内外（すなわちパチンコ機１０の前後方向）に貫通する挿通孔２６０ａが形成されている。前扉枠１４の背面には、その挿通孔２６０ａに挿通可能な突起１４ｂが設けられている。突起１４ｂは前扉枠１４と一体成形されており、パチンコ機１０の後方に延びている。突起１４ｂの先端は遮蔽部２７７ｂの後端部よりも若干後方に位置している。上述の如く突起１４ｂは前扉枠１４に設けられているため、前扉枠１４の回動に伴って移動する。すなわち、突起１４ｂは、前扉枠１４が本体枠１３に閉じた状態では挿通孔２６０ａに挿通された状態となり、前扉枠１４が所定量以上開放された状態では挿通孔２６０ａに挿通されていない状態となる。
【０４５５】
突起１４ｂが挿通孔２６０ａに挿通された状態、すなわち前扉枠１４が閉じている状態では、遮蔽部２７７ｂと突起１４ｂとが当たることで、遮蔽部２７７ｂの第１位置及び第２位置の両位置間での移動が規制される。詳しくは、遮蔽部２７７ｂが第１位置にある状態で、突起１４ｂが挿通孔２６０ａ挿入されている場合、遮蔽部２７７ｂの第２位置への移動は制限される。また、遮蔽部２７７ｂが第２位置にある状態で、突起１４ｂが挿入されている場合、遮蔽部２７７ｂの第１位置への移動が制限される。
【０４５６】
なお、上述の如く前扉枠１４は本体枠１３に対して回動可能に設けられている。かかる場合、前扉枠１４の鉤金具６３と鉤受け金具１３２とが係止状態となる前の段階では、突起１４ｂと遮蔽部２７７ｂ及び挿通孔２６０ａとの相対位置がばらつく可能性がある。このため、それら突起１４ｂ等が引っ掛かることで、前扉枠１４の閉作業が妨げられることが懸念される。しかしながら、本実施の形態においては、突起１４ｂは両位置にある状態での遮蔽部２７７ｂと所定の隙間を有しているとともに、挿通孔２６０ａはパチンコ機１０の前方に拡大するテーパ状をなしている。これにより、突起１４ｂ挿入時の引っ掛かりを抑制し、前扉枠１４閉時の作業性を担保している。
【０４５７】
次に突起１４ｂと遮蔽部２７７ｂとの相対関係について詳細に説明する。前扉枠１４が閉じている状態において、突起１４ｂの後端は遮蔽部２７７ｂの後端部よりも若干後方に突出している。このため、前扉枠１４の前後方向位置が若干ばらついたとしても、突起１４ｂの機能が担保される構成となっている。前扉枠１４を開放する際には、所定の角度以上に開放することで、突起１４ｂが遮蔽部２７７ｂとパチンコ機１０の平面視で重ならない位置まで移動する、これにより遮蔽部２７７ｂの移動制限が解除される。
【０４５８】
本体枠１３の周縁部にはパチンコ機１０の前方、すなわち前扉枠１４に向かって延びる開口フランジ１３ａが一体成形さている。この開口フランジ１３ａによって、本体枠１３の周縁部と前扉枠１４の周縁部とがパチンコ機１０の側面視及び平面視において重なる構成となっている。このように両者が重なる構成とすることで、本体枠１３と前扉枠１４との境界部位から不正具等が挿入されるといった不都合を抑制している。上述した突起１４ｂと遮蔽部２７７ｂとの重なり量は、開口フランジ１３ａと前扉枠１４との重なり量よりも小さく設定されている。より具体的には、遮蔽部２７７ｂの前面から突起１４ｂの後端部までの前後方向の距離寸法は、開口フランジ１３ａの前端縁から前扉枠１４の後端縁までの前後方向の距離寸法よりも、小さく設定されている。このため、前扉枠１４が回動し、突起１４ｂと遮蔽部２７７ｂとが重ならない状態に移行した際には、開口フランジ１３ａによって本体枠１３と前扉枠１４との境界部位が露出しない。すなわち、本体枠１３と前扉枠１４との境界部位から本体枠１３の前面が視認可能となった際には既に、突起１４ｂによる遮蔽部２７７ｂの移動制限が解除された状態となるように構成されている。
【０４５９】
次に、前記蓋要ケース体２８０の主要な構成について説明する。蓋用ケース体２８０は、天板部２８１，底板部２８２，背板部２８３，左側板部２８４及び右側板部２８５を有し、全体としてパチンコ機１０の前方に開放された略箱状に形成されている。蓋用ケース体２８０の開放された部位に収容ケース体２５１の後端開口縁を収容している。蓋用ケース体２８０の内部には、検知装置２６５等と図示せぬハーネスによって電気的に接続された中継基板２８６が配置されている。中継基板２８６は背板部２８３と平行な略板状をなし、背板部２８３の内面にビス等の締結具によって固定されている。
【０４６０】
中継基板２８６の後方、すなわち背板部２８３における中継基板２８６と対向する部位には内外に貫通する連通孔２８７が形成されている。この連通孔２８７の後方にはコネクタ２８８が配置されている。すなわち、連通孔２８７を挟んで中継基板２８６とコネクタ２８８とが対向して設けられており、それら中継基板２８６及びコネクタ２８８が図示せぬハーネス等で接続されている。コネクタ２８８はその挿入口をパチンコ機１０の後方に向けた状態でビス等の締結具によって背板部２８３の背面に固定されている。このコネクタ２８８を介して図示せぬハーネスにより第１監視装置２５０と主制御装置１６２とが電気的に接続されている。なお、本実施の形態においては上述の如く蓋用ケース体２８０が光透過性を有する構成とすることで、第１監視装置２５０に対する不正等の確認を容易なものとしている。しかしながら、蓋用ケース体２８０が、光透過性を有さない構成とすることも可能である。かかる場合、蓋用ケース体２８０を、例えば不透明性を有する合成樹脂材料や、アルミ等の軽金属材料によって形成するとよい。
【０４６１】
以下、第１監視装置２５０による、前扉枠１４の開放検知について図６３に基づいて説明する。図６３（ａ）は電力供給状態における前扉枠１４の閉状態（通常状態）を示し、図６３（ｂ）は電力供給状態における前扉枠１４の開放状態を示し、図６３（ｃ）は電力供給が停止された状態（待機状態）を示し、図６３（ｄ）は電力供給停止中の前扉枠１４の開放状態を示し、図６３（ｅ）は電力供給停止中に前扉枠１４が開放された後再び閉じられた状態を示し、図６３（ｆ）は電力供給停止中に前扉枠１４が開閉された後に電力の供給が開始された状態を示す。
【０４６２】
先ず初めに、パチンコ機１０に電力が供給されている状態での、前扉枠１４の開放検知について説明する。前扉枠１４が開放される際には、図６３（ａ）→図６３（ｂ）→図６３（ａ）の順に作業が行なわれる。
【０４６３】
図６３（ａ）に示すように、第１監視装置２５０に電力が供給されている状態、すなわちソレノイド２７６が通電されている状態においては、ソレノイド２７６が励磁される。これにより、動作軸２７７が第１位置に保持された状態となっている。かかる状態においては、受光素子２６７の前方に遮蔽部２７７ｂが存在せず、発光素子２６６から発せられた光は光反射部材２７４を介して受光素子２６７に到達する。受光素子２６７に光が到達することで受光信号が中継基板２８６に出力される、この受光信号を読み取ることで前扉枠１４が閉じた状態にあることを検出している。
【０４６４】
第１監視装置２５０に電力が供給されている状態で前扉枠１４を開放すると、両素子２６６，２６７と光反射部材２７４との相対位置が変化する。かかる場合、発光素子２６６から射出された光は光反射部材２７４に到達しなくなるか、仮に光反射部材２７４に到達したとしても、その反射光が受光素子２６７以外の部位に向かって射出される。このため、発光素子２６６からの光は受光素子２６７に届かなくなる。故に、所定の受光信号が出力されなくなり、受光信号の変化を読み取ることで前扉枠１４が閉じた状態にあることを検出することができる。
【０４６５】
このように、電力が供給されている状態における前扉枠１４の開放を検知可能とすることでホール営業中に行なわれる前扉枠１４の不正開放を抑制することができる。故に、パチンコ機１０に対する不正の抑制に貢献することができる。
【０４６６】
閉店等の際に第１監視装置２５０に対する電力の供給が停止すると、ソレノイド２７６への電力の供給が止まり、その励磁状態が解除される。かかる場合、動作軸２７７（詳しくは遮蔽部２７７ｂ）は自重により下方に移動し、突起１４ｂに当接する。遮蔽部２７７ｂは突起１４ｂに当接することで、その下方への移動が制限された状態となる。すなわち、第２位置への移動が妨げられる。この状態のまま、再び電力の供給が開始されると、ソレノイド２７６が励磁状態となり、自重作用に勝ることで動作軸２７７は上方へ持ち上げられる。かかる場合、発光素子２６６からの光は受光素子２６７に到達可能であるため、前扉枠１４が閉じた状態にあることを検出することができる。すなわち、図６３（ａ）→図６３（ｃ）→図６３（ａ）の如く状態が推移することで、電力供給が停止している間に前扉枠１４の開放が行なわれなかったことを検出可能となっている。
【０４６７】
電力の供給が停止している間に前扉枠１４が開閉された場合について説明する。前扉枠１４の開閉に伴って突起１４ｂと遮蔽部２７７ｂとの相対位置が、図６３（ｃ）→図６３（ｄ）→図６３（ｅ）の順に変化する。
【０４６８】
前扉枠１４の開放に伴い突起１４ｂが第１監視装置２５０から離間することで、遮蔽部２７７ｂは支えを失い自重により下方（すなわち第２位置）へと移動する。遮蔽部２７７ｂは下方へ移動した際に上側当接面２７１ａに当たり、それ以上の下向への移動が制限される。かかる状態で前扉枠１４が再び閉じられると、突起１４ｂが元の位置に復帰し遮蔽部２７７ｂの上方への移動を制限した状態となる。この状態においては、遮蔽部２７７ｂは受光素子２６７の前方に位置しているとともに、突起１４ｂ及び上側当接面２７１ａによってその上下方向の移動が規制された状態となっている。このように遮蔽部２７７ｂを第２位置から移動不能とすることで、前扉枠１４の開放が行われたという事実を機械的に保存することができる。
【０４６９】
遮蔽部２７７ｂの第２位置からの移動が規制されている状態で電源の供給が開始されると、ソレノイド２７６が励磁され、遮蔽部２７７ｂが上方（すなわち第１位置）に移動しようとする。しかしながら、遮蔽部２７７ｂは突起１４ｂに当たり、その移動が妨げられる。すなわち、遮蔽部２７７ｂによって受光素子２６７が覆われたままの状態が継続される。電力の供給が開始されることで、発光素子２６６が発光を開始する。発光素子２６６から発せられた光は、光反射部材２７４を介して受光素子２６７に向かって照射される。しかしながら、受光素子２６７の前方に位置している遮蔽部２７７ｂによって、受光素子２６７への光の到達が遮られる。このため、受光信号の出力が抑えられ、前扉枠１４が開放された状態にあると検出される。実際には、前扉枠１４は閉じた状態であるが、電源遮断時に開放されたという事実を検出することができる。これら主制御装置１６２における監視処理についての詳細は後述する。
【０４７０】
上述の如く、前扉枠１４の電力遮断時の開放を検知した状態において、再び前扉枠１４を開放することで、突起１４ｂが第１監視装置２５０から離間し、遮蔽部２７７ｂが第１位置に移動する。すなわち、遮蔽部２７７ｂの移動制限が解除される。このように図６３（ｆ）→図６３（ｂ）→図６３（ａ）の順に前扉枠１４を操作することで、不正開放検知状態が解除され通常の状態に復帰する。前扉枠１４の開放により不正開放検知状態がリセットされるため、リセットスイッチ等を設ける必要が無く構成の簡略化に貢献できる。また、前扉枠１４の開放は所定の操作（鍵）によっておこなわれるため、不正開放検知状態が不正に解除されるといった不都合を抑制できる。
【０４７１】
第２監視装置２９０も第１監視装置２５０と同様に、収容ケース体２５１，蓋用ケース体２８０，検知装置２６５，動作機構２７５，中継基板２８６及びコネクタ２８８を備えている。第２監視装置２９０に対応する突起及び光反射部材は、本体枠１３に設けられている。以下、図６４に基づいて第１監視装置２５０との相違している部分について具体的に説明する。図６４は図５０のＣ―Ｃ線部分断面図である。
【０４７２】
第１監視装置２５０の挿通孔２６０ａがパチンコ機１０の前方に露出しているのに対して、第２監視装置２９０の挿通孔２６０ａはパチンコ機１０の後方に露出している。具体的には、第２監視装置２９０は、樹脂ベース７１に形成された開口部７１ｃに収容ケース体２５１を前側、蓋用ケース体２８０を後側として嵌め込まれた状態で固定されている。かかる状態においては、収容ケース体２５１の前板部２５５が樹脂ベース７１の背面から後方に突出した状態となっている。すなわち、前板部２５５の挿通孔２６０ａが後方に開放された状態となっている。外枠１１の下部には前板部２５５と対向する基材２９５が設けられている。基材２９５は板状をなし、外枠１１にビス等の締結具によって固定されている。基材２９５の前面には、挿通孔２６０ａに挿通可能な突起２９６が形成されている。突起２９６の下方、すなわち検知装置２６５の後方には、パチンコ機１０の後方に凹む凹部２９７が形成されている。この凹部２９７に光反射部材２９８が収容され、ビス等の締結具によって固定されている。
【０４７３】
第２監視装置２９０においては、遊技機主部１２が外枠１１に対して回動することに伴って第２監視装置２９０自身が移動する。すなわち、突起２９６及び光反射部材２９８の位置は固定されており、第２監視装置２９０が移動することで、両者の相対位置が変化する構成となっている。第２監視装置２９０は、第１監視装置２５０と同様に、突起２９６及び光反射部材２９８との相対位置が変化することで、遊技機主部１２の開放状態を検知可能となっている。なお、その動作態様については、図６３に示す第１監視装置２５０の動作態様と同様であるため、説明を省略する。
【０４７４】
次に、パチンコ機１０の電気的構成について、図６５のブロック図に基づいて説明する。図６５では、電力の供給ラインを二重線矢印で示し、信号ラインを実線矢印で示す。
【０４７５】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０４７６】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。なお、ＣＰＵ３１１、ＲＯＭ３１２及びＲＡＭ３１３がそれぞれ個別に１チップ化された構成としてもよい。これは、他の制御装置のＣＰＵにおいても同様である。
【０４７７】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０４７８】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０４７９】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０４８０】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト未満になると電源遮断の発生と判断し、主制御回路３０２に対して停電信号を送信する。主制御回路３０２では、この停電信号の入力を確認することにより、その確認結果に基づいて後述する停電時処理（電断時処理）を実行する。
【０４８１】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０４８２】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０４８３】
払出制御基板３２２のＣＰＵ３３１には、入出力ポートが設けられている。ＣＰＵ３３１の入力側には、主制御回路３０２、電源及び発射制御基板３２１、及び裏パック基板２２９が接続されている。また、ＣＰＵ３３１の出力側には、主制御回路３０２及び裏パック基板２２９が接続されている。
【０４８４】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック接続基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０４８５】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０４８６】
また、電源及び発射制御基板３２１には、電断時用電源手段としてデータ記憶保持用コンデンサ３２１ｃが搭載されている。データ記憶保持用コンデンサ３２１ｃには、電源部３２１ａが接続されており、パチンコ機１０の電源がＯＮ状態の場合（外部電源からの電力供給が行われている場合）には充電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態（外部電源からの電力供給が遮断されている場合）では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０４８７】
ちなみに、データ記憶保持用コンデンサ３２１ｃに充電された電力は主制御回路３０２のＲＡＭ３１３やその他のＲＡＭにおいてデータを記憶保持するために用いられ、電動アクチュエータなどの機器を動作させるためには用いられない。また、データ記憶保持用コンデンサ３２１ｃの容量は比較的大きく確保されており、電源遮断前にＲＡＭ３１３に記憶されていた情報は所定の期間内（例えば、１日や２日）保持される。また、電断時用電源手段は、データ記憶保持用コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０４８８】
また、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０４８９】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０４９０】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０４９１】
検知装置２６５及び動作機構２７５は中継基板２８６を介して主制御基板３０１に接続されている。検知装置２６５及び動作機構２７５は主制御基板３０１から電力の供給を受けることで作動する。検知装置２６５においては特に電力供給を受けることで生じる信号（受光信号）を主制御基板３０１にフィードバックする。
【０４９２】
次に、主制御装置１６２のＣＰＵ３１１により実行される各制御処理を図６６〜図６９のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０４９３】
図６６は、ＮＭＩ割込み処理であり、当該処理は、停電の発生等によるパチンコ機１０の電源遮断時に実行される。すなわち、停電の発生等によりパチンコ機１０の電源が遮断されると、停電信号が電源監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリアに停電フラグをセットし、本処理を終了する。その後、後述する通常処理にて停電フラグがセットされていることが確認されることで、停電時処理が実行される。
【０４９４】
次に、タイマ割込み処理について図６７のフローチャートを用いて説明する。
【０４９５】
ステップＳ２０１では、各種スイッチや払出制御基板３２２などからの信号読み込み処理を実行する。その後、ステップＳ２０２にて前扉枠開放監視処理を実行するとともに、ステップＳ２０３にて本体枠開放監視処理を実行する。前扉枠開放監視処理では、第１監視装置２５０からの入力信号に基づいて、外部電源からの電力供給が行われている状況における前扉枠１４の開放の監視に関する処理を実行する。また、本体枠開放監視処理では、第２監視装置２９０からの入力信号に基づいて、外部電源からの電力供給が行われている状況における遊技機主部１２の開放の監視に関する処理を実行する。その後、ステップＳ２０４にて始動入賞処理を実行する。なお、各監視処理についての詳細は後述する。
【０４９６】
始動入賞処理では、作動口スイッチ１５４から入力した信号に基づいて、遊技球が作動口８４に入賞したか否かを判定する。そして、遊技球が作動口８４に入賞している場合には、第１特定ランプ部９３及び図柄表示装置９１の作動保留球数が上限値未満であることを条件として、その入賞に対して大当たりを発生させるか否かの指標となるカウンタ値のＲＡＭ３１３への格納処理を実行する。当該カウンタ値が大当たりの発生に対応した値である場合には、その入賞に対応した遊技回において大当たりが発生することとなる。つまり、始動入賞処理において、大当たりといった特別遊技状態への移行抽選機能（移行判定手段）が果たされる。
【０４９７】
始動入賞処理の後、ＣＰＵ３１１は本タイマ割込み処理を一旦終了する。なお、タイマ割込み処理において、大当たりを発生させるか否かの指標となるカウンタ値を更新する処理なども実行するようにしてもよい。
【０４９８】
次に、電源投入時のリセットに伴い起動されるメイン処理について、図６８のフローチャートを用いて説明する。
【０４９９】
先ずステップＳ３０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ３０２では、ＲＡＭ３１３のアクセスを許可する。
【０５００】
その後、ステップＳ３０３では、電源及び発射制御装置２４３に設けたＲＡＭ消去スイッチ２４７がオンされているか否かを判定し、続くステップＳ３０４ではＲＡＭ３１３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３１３の作業領域アドレスにおけるチェックサム値である。なお、ＲＡＭ３１３の所定のエリアに書き込まれたキーワードが正しく保存されているか否かにより記憶保持されたデータの有効性を判断することも可能である。
【０５０１】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ３０７〜Ｓ３１０の処理に移行する。また、電源遮断の発生情報が設定されていない場合や、ＲＡＭ判定値（チェックサム値等）により記憶保持されたデータの異常が確認された場合も同様にステップＳ３０７〜Ｓ３１０の処理に移行する。
【０５０２】
ステップＳ３０７では、音声ランプ制御装置１４３に音声ランプ初期化コマンドを出力する。これにより、ＲＡＭデータの初期化やＲＡＭ判定値により記憶保持されたデータの異常等が報知される。続くステップＳ３０８では、従側の制御基板となる払出制御基板３２２等を初期化するために、払出初期化コマンド等を出力する。続くステップＳ３０９ではＲＡＭ３１３の使用領域を０にクリアし、ステップＳ３１０ではＲＡＭ３１３の初期化処理を実行する。その後、ステップＳ３１４〜Ｓ３１８及びＳ３１１を経て、後述する通常処理に移行する。
【０５０３】
一方、ＲＡＭ消去スイッチ２４７が押されていない場合には、停電フラグが格納されていること、及びＲＡＭ判定値（チェックサム値等）が正常であることを条件に、ステップＳ３１２に進む。ステップＳ３１２では、停電フラグ格納バッファに格納されている停電フラグをクリアする。続くステップＳ３１３では、従側の制御基板を電源遮断前の遊技状態に復帰させるための復電コマンドを出力する。その後、ステップＳ３１４〜ステップＳ３１７の復電時用開放監視処理を実行する。当該復電時用開放監視処理については後に詳細に説明する。その後、ステップＳ３１１にて割込み許可を設定し、後述する通常処理に移行する。これにより、電源遮断前の状態に復帰する。
【０５０４】
次に、通常処理について、図６９のフローチャートを用いて説明する。この通常処理では遊技の主要な処理が実行される。
【０５０５】
通常処理において、ステップＳ４０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御装置１４３に出力する。
【０５０６】
続くステップＳ４０２では、第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置９１による第１図柄の変動表示の設定も行われる。
【０５０７】
第１特定ランプ部制御処理の後は、ステップＳ４０３にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０５０８】
その後、ステップＳ４０４では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。そして、作動口８４に付随する電動役物を所定時間開放する場合には、第２特定ランプ部９４において所定の色の停止表示が行われる。
【０５０９】
ステップＳ４０４の後は、ステップＳ４０５にて、遊技球発射制御処理を実行する。遊技球発射制御処理では、電源及び発射制御基板３２１の発射制御部３２１ｂから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。ちなみに、発射許可信号は、ＣＰＵ３１１における入力ポート３１１以外の入力ポートに入力されており、当該遊技球発射制御処理にてその入力ポートに発射許可信号があるか否かを確認する。
【０５１０】
続くステップＳ４０６では、ＲＡＭ３１３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０５１１】
一方、ステップ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電断時更新処理を実行する。この電断時更新処理においては、遊技状態等の各種情報がＲＡＭ３１３に格納される。その後、ステップＳ４１０にて電源が遮断されたことを示す停電コマンドを他の制御基板に対して出力する。そして、ステップＳ４１１にてＲＡＭ判定値を算出、保存し、ステップＳ４１２にてＲＡＭ３１３のアクセスを禁止した後に、電源が完全に遮断して処理が実行できなくなるまで無限ループを継続する。なお、電源が完全に遮断された後も、電源及び発射制御基板３２１のデータ記憶保持用コンデンサ３２１ｃからデータ記憶保持用電力が供給されるため、電源遮断前にＲＡＭ３１３に記憶されていた情報はそのままの状態で所定の期間内（例えば、１日や２日）保持される。
【０５１２】
次に、前扉枠１４及び遊技機主部１２の開放の監視に関する電気的構成について、図７０のブロック図に基づいて説明する。
【０５１３】
主制御装置１６２（詳しくは主制御基板３０１）には、第１監視装置２５０及び第２監視装置２９０が電気的に接続されている。主制御装置１６２のＣＰＵ３１１では、第１監視装置２５０及び第２監視装置２９０から入力した信号に基づいて、各監視装置２５０，２９０の検知状態を把握する。すなわち、ＣＰＵ３１１では、各監視装置２５０，２９０から入力する検知状態の情報に基づいて、電源投入中及び電源遮断中に前扉枠１４及び遊技機主部１２の開放が行われたか否かを判定し、その判定結果に基づいて特定出力処理を実行する。
【０５１４】
次に、前扉枠１４及び遊技機主部１２の開放に関して、主制御装置１６２のＣＰＵ３１１により実行される各制御処理を説明する。
【０５１５】
先ず、タイマ割込み処理（図２９）にて実行される処理について説明する。
【０５１６】
タイマ割込み処理におけるステップＳ２０１の信号読み込み処理において、第１監視装置２５０及び第２監視装置２９０から入力した信号（受光信号）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５０の信号の情報は第１レジスタに記憶保持され、第２監視装置２９０の信号の情報は第２レジスタに記憶保持される。これは、ＣＰＵ３１１のレジスタに関する以下の説明においても同様である。続くステップＳ２０２では、外部電源からの電力供給が行われている状況における第１監視装置２５０を介した前扉枠１４の監視処理として前扉枠開放監視処理を実行する。
【０５１７】
ここで、前扉枠開放監視処理について図７１のフローチャートを用いて説明する。
【０５１８】
前扉枠開放監視処理では、先ずステップＳ５０１にて比較処理を実行する。比較処理では、上記信号読み込み処理にてＣＰＵ３１１のレジスタに記憶した検知状態の情報（受光信号）と、ＲＯＭ３１２に格納されている判定基準値とを比較する。続くステップＳ５０２では比較処理にて比較した信号の値が判定基準値を上回っているか否かを判定する。その結果、信号の値が判定基準値以上の場合には、そのまま本前扉枠開放監視処理を終了する。
【０５１９】
一方、信号の値が判定基準値よりも小さい場合には、前扉枠１４が本体枠１３に対して開放されたことを意味する。このように信号の値が判定基準値に満たない場合には、外部電源から電力供給が行われている状況で前扉枠１４が本体枠１３に対して開放操作されたことを報知すべく、ステップＳ５０３にて通常時用報知処理を実行する。
【０５２０】
通常時用報知処理では、通常時報知用コマンドをセットする。このセットされた通常時用報知コマンドは通常処理（図６９）の外部出力処理にて音声ランプ制御装置１４３に出力される。音声ランプ制御装置１４３では、スピーカ部２６から報知音を出力させ、エラー表示ランプ部２４を点灯させ、さらに図柄表示装置９１にて報知表示を行わせる。音声ランプ制御装置１４３では、予め定められた報知時間（報知期間）だけ上記各種報知を継続させた後にそれら各種報知を停止させる。この報知時間としては例えば１０ｓｅｃなどが考えられる。
【０５２１】
また、通常時用報知処理では、遊技ホールに設けられたホールコンピュータに外部端子板２１３を介して通常時報知用信号を出力する。この場合、ホールコンピュータでは通常時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０５２２】
外部電源から電力供給が行われている状況においては、前扉枠１４が閉鎖されたタイミングではなく、前扉枠１４が開放されたタイミングで上記のような通常時用報知処理が実行されれば、遊技ホールの管理者等に対して前扉枠１４の不正開放に対処させることが可能である。
【０５２３】
なお、通常時用報知処理は、上記のものに限定されることはなく、通常時報知用コマンド又は通常時報知用信号のいずれか一方のみを出力する構成としてもよい。また、通常時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０５２４】
ステップＳ５０３にて通常時用報知処理を実行した後、本前扉枠開放監視処理を終了する。
【０５２５】
タイマ割込み処理（図６７）の説明に戻り、ステップＳ２０２にて前扉枠開放監視処理を実行した後は、ステップＳ２０３にて、外部電源からの電力供給が行われている状況における第２監視装置２９０を介した遊技機主部１２の監視処理として本体枠開放監視処理を実行する。
【０５２６】
本体枠開放監視処理では、信号読み込み処理にて把握した第２監視装置２９０の検知状態の情報（受光信号）が、ＲＯＭ３１２に格納されている判定基準値よりも小さい場合に、上記通常時用報知処理を実行するとともに検知状態の情報の更新を実行する。この具体的な処理構成については、前扉枠開放監視処理と同様であるため、ここでは説明を省略する。
【０５２７】
なお、前扉枠開放監視処理における通常時用報知処理と本体枠開放監視処理における通常時用報知処理とで、通常時報知用コマンド又は通常時報知用信号の情報形態を異ならせてもよい。この場合、前扉枠１４が開放された場合と遊技機主部１２が開放された場合とで、パチンコ機１０自身又はホールコンピュータにおいて報知の態様を異ならせることができる。
【０５２８】
ステップＳ２０３にて本体枠開放監視処理を実行した後は、ステップＳ２０４にて始動入賞処理を実行した後に本タイマ割込み処理を終了する。当該始動入賞処理については既に説明したとおりである。
【０５２９】
次に、メイン処理（図６８）にて実行される処理について説明する。
【０５３０】
メイン処理では、各監視装置２５０，２９０に関して、ステップＳ３１４〜ステップＳ３１８の復電時用開放監視処理を実行する。
【０５３１】
復電時用開放監視処理では、先ずステップＳ３１４にて検知状態把握処理を実行する。検知状態把握処理では、ステップＳ２０１の信号読み込み処理と同様に、第１監視装置２５０及び第２監視装置２９０から入力した信号の読み込みが行われ、この読み込まれた信号の情報は、ＣＰＵ３１１のレジスタに記憶保持される。
【０５３２】
続くステップＳ３１５では、比較処理を実行する。比較処理では、上記検知状態把握処理にてＣＰＵ３１１のレジスタに記憶した第１監視装置２５０の信号の値と、ＲＯＭ３１２に格納されている判定基準値とを比較する。また、比較処理では、上記検知状態把握処理にてＣＰＵ３１１のレジスタに記憶した第２監視装置２９０の信号の値と、ＲＯＭ３１２に格納されている判定基準値とを比較する。
【０５３３】
続くステップＳ３１６では、比較処理にて比較した第１監視装置２５０の信号の値が判定基準値を上回っているか否かを判定するとともに、第２監視装置２９０の信号の値が判定基準値を上回っているか否かを判定する。その結果、両方がそれぞれ判定基準値以上の場合には、ステップＳ３１１にて割込み許可を設定し、通常処理に移行する。いずれか一方でも判定基準値よりも小さい場合には、電源遮断中において前扉枠１４又は遊技機主部１２が開放されたことを意味するため、ステップＳ３１７に進む。
【０５３４】
ステップＳ３１７では、復電時用報知処理を実行する。復電時用報知処理では、音声ランプ制御装置１４３に復電時報知用コマンドを出力する。これにより、スピーカ部２６からの報知音の出力、エラー表示ランプ部２４の点灯、及び図柄表示装置９１での報知表示が行われる。但し、これらの報知態様は通常時報知用コマンドに基づく報知の態様とは異なっている。また、音声ランプ制御装置１４３では、遊技機主部１２や前扉枠１４が開閉されるといった報知解除操作が行われるまで各種報知を継続させる。つまり、通常時と復電時とでは、報知の態様だけでなく、報知解除の態様も異なっている。なお、これに限定されることはなく、報知の態様や報知解除の態様が通常時と復電時とで同一であってもよい。
【０５３５】
また、復電時用報知処理では、遊技ホールに設けられたホールコンピュータに外部端子板２１３を介して復電時報知用信号を出力する。この場合、ホールコンピュータでは復電時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０５３６】
上記復電時用報知処理が実行されることにより、電源遮断中に前扉枠１４又は遊技機主部１２が開放操作されていた場合には、それを遊技ホールの管理者等に報知することができ、仮にそれが不正開放である場合にはそれに対処させることができる。
【０５３７】
なお、復電時用報知処理において前扉枠１４が開放操作されていた場合と遊技機主部１２が開放操作されていた場合とで、電断時報知用コマンド又は電断時開放検知信号の情報形態を異ならせてもよい。この場合、前扉枠１４が電源遮断中に開放された場合と遊技機主部１２が電源遮断中に開放された場合とで、パチンコ機１０自身又はホールコンピュータにおいて報知の態様を異ならせることができ、遊技ホールの管理者等に対して適切に対処させることが可能となる。また、復電時用報知処理は、上記のものに限定されることはなく、復電時報知用コマンド又は復電時報知用信号のいずれか一方のみを出力する構成としてもよい。また、復電時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０５３８】
ステップＳ３１７にて復電時用報知処理を実行した後は、ステップＳ３１１にて割込み許可を設定し、通常処理に移行する。
【０５３９】
以上詳述した本実施の形態によれば、以下の優れた効果を奏する。
【０５４０】
前扉枠１４の開放状態を監視する第１監視装置２５０を設けた。この第１監視装置２５０によって、前扉枠１４が開放されていることを検知し、エラー表示ランプ部２４等を用いて報知することができる。これにより、遊技盤８１（遊技領域）に対して行なわれる不正を抑制することができる。
【０５４１】
第１監視装置２５０によって電力供給時の前扉枠１４の開放検知と、電力供給遮断時の前扉枠１４の開放検知とを実現している。これにより、構成の煩雑化を抑えつつ、不正抑制効を向上することが可能となっている。
【０５４２】
本実施の形態においては特に、構造的側面から前扉枠１４の不正開放が行なわれた事実を保存する構成とした。電気的側面から前扉枠１４の開放履歴を保存する構成と比較すれば、電力供給が遮断された状態で電気機器を動かすための電源（例えばバッテリ等）を必要としない。故に、省エネに貢献しつつ不正抑制効を高めることができる。
【０５４３】
遮蔽部２７７ｂの第１位置及び第２位置の両位置間での移動に、遮蔽部２７７ｂの自重とソレノイド２７６の磁力とを利用している。このように遮蔽部２７７ｂの自重落下を利用することで、付勢部材等を用いることなく、遮蔽部２７７ｂの両位置間での移動を実現している。これにより、遮蔽部２７７ｂを往復運動させるための構成の簡略化に貢献している。
【０５４４】
発光素子２６６及び受光素子２６７を本体枠１３側に集約し、前扉枠１４に光反射部材２７４を配置することで、発光素子２６６からの光を受光素子２６７へ届ける構成とした。このように電気的な接続を必要とする各素子２６６，２６７を本体枠１３側に集約することで、ハーネス等の取り回しの簡略化を実現している。また、前扉枠１３の開放検知に必要な構成（第１監視装置２５０等）を主として本体枠１３側にまとめて配置することで、前扉枠１３の重量の増加を抑えている。これにより、前扉枠１３の開閉時の作業性を担保している。
【０５４５】
また、光反射部材２７４を用いることで、光の通過経路を長く設定することができる。発光素子２６６からの光が光反射部材２７４によって反射され、受光素子２６７に到達する構成において、光反射部材２７４からの反射光が到達する位置は、光反射部材２７４への入射角と光の通過経路の長さとによって変化する。前扉枠１４の開放角度が小さい場合、すなわち光反射部材２７４への入射角の変化が小さい場合であっても、光の通過経路を長く設定することで、反射光の到達位置の変化を大きくすることができる。これにより、受光素子２６７への反射光の到達を抑え、前扉枠１４の開放検知の精度を向上することができる。すなわち、前扉枠１４の開放角度が小さい場合でも、開放状態を好適に検知することが可能となっている。例えば、前扉枠１４を少しだけ開いた状態で行なわれる不正行為の抑制に貢献することができる。
【０５４６】
光反射部材２７４としてプリズムを用い、発光素子２６６と受光素子２６７との中心軸線の方向を前後方向に設定した。前扉枠１４が回動する際に、その回動量が微小な状態では、その回動先端部分の初期位置からの変位成分は左右方向よりも前後方向で大きくなりやすい。すなわち、前扉枠１４が閉じた状態においては、光反射部材２７４と各素子２６６，２６７との位置関係は左右方向では変わりにくくなっている。このため、仮に、閉状態での前扉枠１４の位置が回動方向に若干ばらついた場合であっても、発光素子２６６から光反射部材２７４を経由し受光素子２６７に到達する光の経路が担保されやすくなっている。換言すれば、前扉枠１４の位置ばらつきに伴う開放検知精度の低下が抑制されている。
【０５４７】
以上のように、光反射部材２７４と各素子２６６，２６７を設けることで、パチンコ機１０の前後方向への相対位置の変位を許容しつつ、左右方向への相対位置の変位を精度よく検知することができる。故に、前扉枠１４が閉じている状態での開放検知の誤作動を抑制しつつ、前扉枠１４が開放された際の検知精度を向上することが可能となっている。
【０５４８】
本実施の形態においては、本体枠１３と前扉枠１４との相対位置の変位を利用することで、遮蔽部２７７ｂの位置の切り替えを規制又は許容する構成とした。具体的には、前扉枠１４の突起１４ｂが遮蔽部２７７ｂの軌道上から離れることで、遮蔽部２７７ｂの第１位置及び第２位置の両位置間での移動が可能となる構成とした。前扉枠１４の開放角度が同一の場合、回動先端側における変位量は回動基端側における変位量よりも大きくなりやすい。第１監視装置２５０を、前扉枠１４の回動先端側に配置することで、前扉枠１４が小さく開放された場合でも、突起１４ｂの移動量を確保しやすくなる。これにより、前扉枠１４の開放度合いの大小によらず、第１監視装置２５０の開放検知機能を担保しやすくできる。
【０５４９】
遮蔽部２７７ｂによって受光素子２６７のみを覆う構成とした。両素子２６６，２６７を覆う構成とした場合を想定すれば、遮蔽部２７７ｂの位置がばらつくことで発光素子２６６からの光が遮蔽部２７７ｂによって反射され受光素子２６７に届くと可能性がある。かかる場合、前扉枠１４や遊技機主部１２が電力遮断時の開放事実を検知できないといった不都合が生じ得る。しかしながら、上述の如く受光素子２６７のみを覆うことで、遮蔽部２７７ｂにおける光の反射を抑制し、誤検知の回避に貢献することができる。
【０５５０】
電力遮断時における遊技機主部１２又は前扉枠１４の開放を検知した状態において、開放が検知された対象の開閉によって検知状態がリセットされる構成とした。遊技機主部１２及び前扉枠１４は所定のキー操作によって開放可能となっている。このため、検知状態が不正にリセットされるといった不都合を回避可能となっている。
【０５５１】
前扉枠１４を開放する際に、前扉枠１４の回転角度が所定の角度に達するまでは、本体枠１３の開口フランジ１３ａによって、前扉枠１４の前面が視認しにくくなっている。突起１４ｂによる遮蔽部２７７ｂの移動規制が解除されるタイミングは、第１監視装置２５０が視認可能となるタイミングよりも早く設定されている。このため、本体枠１３と前扉枠１４との境界部位から不正具を挿入し、その不正具によって遮蔽部２７７ｂの移動を妨げようとしても、不正具が挿入容易となった状態では、遮蔽部２７７ｂの移動が行なわれた後になる。このため、遮蔽部２７７ｂの移動を故意に妨げるといった不正行為を困難なものとすることができる。
【０５５２】
以下に、本実施の形態の開示範囲において抽出可能な技術的思想を記載する。
【０５５３】
（Ａ１）．支持対象（外枠１１や本体枠１３）に対して開閉可能に支持された開閉体（遊技機主部１２や前扉枠１４）と、
当該開閉体の背面側又は後方に設けられ、外部電源から供給される電力に基づいて動作する電気機器（主制御装置１６２や払出制御装置２４２等）と、
前記外部電源からの電力供給が行われている状況では第１位置に移動し、電力供給が遮断されている状況では第２位置に移動する移動体（動作軸２７７の遮蔽部２７７ｂ）と、
前記開閉体が開放された状態では、前記移動体における第１位置及び第２位置の両位置間での移動を許容し、前記開閉体が閉じた状態では、前記移動体における両位置間での移動を規制する規制部（突起１４ｂや突起２９６）と、
少なくとも前記外部電源から電力供給が開始された場合に、前記移動体の位置を検知する検知手段（検知装置２６５）と
を備えていることを特徴とする遊技機。
【０５５４】
（Ａ１）の遊技機では、少なくとも電力の供給が開始された際に移動体の位置が検知される。その検知結果に基づいて、電力の供給が停止されている間に開閉体が開閉されたかどうかを確認することができる。
【０５５５】
電力供給状態で開閉体を閉じている場合、移動体は第１位置に存在している。開閉体が閉じられた状態のまま電力の供給が停止されると、移動体は第２位置へ移動しようとする。しかしながら、その移動体の移動は規制部によって規制される（妨げられる）。以下この状態を待機状態という。この待機状態で電力の供給が再開されると、検知手段によって移動体が第１位置に存在していると検知される。
【０５５６】
一方、待機状態において開閉体が開放された場合には、移動体の移動が許容される。このため、移動体は第２位置へと移動する。再び開閉体が閉じられることで、規制部は移動体の移動を規制する状態へと移行される。すなわち、移動体の第２位置から第１位置への移動が規制された状態となる。この状態で電力の供給が再開されると、移動体は第１位置へ移動しようとする。しかしながら、規制部によってその移動が妨げられるため、第２位置に留まった状態となる。このため、検知手段によって第２位置に存在していると検知される。
【０５５７】
上述の如く、電力の供給が停止した状態で、開閉体の位置が切り替わることで、開閉体の開放が行なわれたことに起因する構造的な変化を生じさせることができる。そして、開閉体が閉じられることで、この変化を構造的に保存することができる。これにより、電力の供給が開始された際に、待機状態にて開閉体の開放が行なわれた事実を確認することができる。このように構造的側面から開閉体の開閉事実を保存することができる構成とすることで、夜間等に電力の供給を継続して行うことことを回避しつつ、すなわちエネルギの節約（省エネ）に貢献しつつ、遊技機に対して行なわれる不正行為を抑制することができる。
【０５５８】
なお、（Ａ１）に示す「第１位置」及び「第２位置」は所定の場所を示し、移動体が移動可能な所定の範囲を有していてもよい。
【０５５９】
また、「少なくとも前記外部電源から電力供給が開始された場合」とは、電力の供給が開始されたその時点や、電力の供給が開始された後を示すものである。
【０５６０】
（Ａ２）．前記検知手段によって、前記第１位置及び前記第２位置のいずれか一方の位置における前記移動体の有無が判定されることを特徴とする（Ａ１）に記載の遊技機。
【０５６１】
移動体の位置を検出するには、各位置に個々に対応する検知手段を設定することが考えられる。このように移動体の存在を全ての位置にて検知する構成とすると、移動体の位置を確実に把握することができる反面、検知手段の構成が煩雑化する可能性が生じる。
【０５６２】
（Ａ２）に示すように、第１位置及び前記第２位置のいずれか一方の位置における移動体の有無の判定を行う構成とすることで、移動体の位置検知機能を担保しつつ、検知手段の構成の簡略化に貢献できる。例えば、移動体が第１位置及び第２位置の両位置間でのみ切り替え可能である場合、第１位置及び前記第２位置のいずれか一方の位置における移動体の有無の判定を行う構成とすることで、移動体がいずれの位置にあるかを直接的又は間接的に把握できる。これにより、移動体の位置の検知を確実なものとしつつ、検知手段の構成の簡略化に貢献することができる。
【０５６３】
（Ａ３）．前記移動体を前記第２位置に向かって常時付勢する第２位置付勢手段（動作軸２７７の自重）と、
前記外部電源からの電力が供給されている状況にて、前記移動体を前記第１位置に向かって付勢する第１位置付勢手段（動作機構２７５のソレノイド２７６）と
を備え、
前記第１位置付勢手段の付勢力が前記第２位置付勢手段の付勢力よりも大きく設定されていることを特徴とする（Ａ１）又は（Ａ２）に記載の遊技機。
【０５６４】
移動体を第１位置及び第２位置の両位置にて移動可能とするには、（Ａ３）に示すように、２つの付勢手段を設けるとよい。電力が供給されている状態においては、第１位置付勢手段の付勢力が第２位置付勢手段の付勢力に勝り、移動体は第１位置に移動可能となる。一方、電力の供給が停止している状態においては、第２位置付勢手段の付勢力によって、移動体が第２位置に移動可能となる。これにより、実用上好ましい構成を実現することができる。例えば、第２位置付勢手段としてバネ等の弾性部材を用いるとともに、第１位置付勢手段としてソレノイドアクチュエータ等の電気式アクチュエータを用いるとよい。
【０５６５】
（Ａ４）．前記第２位置は、前記第１位置よりも下方に設定されていることを特徴とする（Ａ１）乃至（Ａ３）のいずれか１つに記載の遊技機。
【０５６６】
（Ａ４）によれば、第２位置が第１位置よりも下方に設定されているため、移動体の移動方向成分には上下方向成分が含まれる。これにより、移動体の自重落下を利用した第１位置から第２位置への移動を可能とし、移動体を移動させるための構成を簡略化できる。
【０５６７】
特に（Ａ２）との組み合せに（第１位置付勢手段及び第２位置付勢手段を有する構成）においては、第２位置付勢手段として移動体の自重を利用すればよい。
【０５６８】
（Ａ５）．前記規制部は、前記移動体の両位置間での移動を規制する規制状態と、前記移動体の移動を許容する許容状態とに、前記開閉体の開閉に伴って切り替え可能に設けられていることを特徴とする（Ａ１）乃至（Ａ４）のいずれか１つに記載の遊技機。
【０５６９】
（Ａ５）によれば、規制部を開閉体の開閉に伴って切り替え可能とすることで、規制部の状態切り替えのための動力を別途設ける必要がない。すなわち、電力の供給が停止した状態においても、規制部の切り替えを機械的側面から実現することができる。例えば、規制部が開閉体の開閉運動に追従して移動する構成とすればよい。
【０５７０】
（Ａ６）．前記規制部は、前記移動体の移動経路上の位置と、移動経路から離れた位置とで切り替え可能に設定され、
前記支持対象及び前記開閉体のうちいずれか一方が前記移動体を備え、他方が前記規制部を備えていることを特徴とする（Ａ１）乃至（Ａ５）のいずれか１つに記載の遊技機。
【０５７１】
（Ａ６）によれば、規制部が、移動体の移動経路上に位置することで移動体の移動を規制し、移動体の移動経路から離間することで移動体の移動を許容する構成とすることができる。それら規制部及び移動体が開閉体と支持対象とに別々に設けられていることで、開閉体の開閉動作に伴って両者の位置関係を容易に変化させることができる。すなわち、規制部の移動体に対する相対位置を容易に切り替えることができる。これにより簡易な構成の実現に貢献できる。例えば、両者の相対位置の変位方向を開閉体の開閉方向と同一とすることで、開閉体の開閉による相対位置の変位を積極的に利用することができる。これにより、規制部と移動体（詳しくはその移動経路）と相対位置の変位量を担保しやすい構成とすることができ、より確実な切り替えの実現に貢献することができる。
【０５７２】
（Ａ７）．前記開閉体は、前記支持対象に対して回動可能に取り付けられており、少なくともと前記移動体及び前記規制部は前記開閉体の回動先端側に配置されていることを特徴とする（Ａ６）に記載の遊技機。
【０５７３】
（Ａ７）によれば、少なくとも移動体及び規制部は開閉体の回動先端側に配置されている。このため、両者が回動基端側に配置されている場合と比較して、開閉体の開放角度に対する相対位置の変位量を担保しやすくすることができる。すなわち、開閉体の開放角度が小さい場合であっても、移動体の移動が許容されている状態へ移行されやすい。故に、開閉体の開放度による不正検知機能への影響を受けにくい。例えば、開閉体を少しだけ開けて不正を行うことで、規制部による規制状態の解除が行われにくくするといった不都合を好適に抑制することができる。特に、遊技球が流下する遊技領域を有するパチンコ機等の遊技機においては、開閉体を少しだけ開いた状態での不正が生じ得る。しかしながら上述した構成の適用により、このような不正行為に対する抑制効果を担保することができる。
【０５７４】
（Ａ８）．前記検知手段は、外部電源からの電力供給が行われている状況において信号を発する送信部（発光素子２６６）と、前記開閉体が閉じた状態で前記信号を受信可能な受信部（受光素子２６７）とを少なくとも備え、
前記移動体が第２位置にある状態では、当該移動体によって、前記送信部から発せられた信号が前記受信部に到達する前に遮蔽されることを特徴とする（Ａ７）に記載の遊技機。
【０５７５】
（Ａ８）によれば、発信部から発せられた信号が受信部に到達する前に、移動体に遮られることで、移動体が第２位置に存在していることを検知することができる。かかる場合、電力の供給が停止している間に開閉体の開放が行なわれた可能性があることを把握することができる。
【０５７６】
また、電力が供給されている状態において送信部から発せられた信号は、開閉体が閉じた状態でのみ受信部に到達する。これにより、開閉体が閉じた状態であることを検知することができる。一方、開閉体が開放された状態では、信号の受信が行なわれない。これにより、開閉体が開放された状態であることを検知することができる。つまり、検知手段は、外部電源からの電力供給が遮断されている状況及び電力供給が行われている状況のいずれにおいても、開閉体の開放を監視する機能を有することとなり、それぞれの機能を別々の構成にて具現化する場合と比べて、遊技機の部品点数の増加を抑えることができる。
【０５７７】
例えば、発信部を光を発する発光部とし、受信部を光を受ける受光部とするとよい。
【０５７８】
（Ａ９）．前記発信部から発せられた信号が前記開閉体の閉状態でのみ通過可能な信号通過経路を備え、前記信号通過経路は少なくとも前記開閉体と前記支持対象との境界領域に設定されていることを特徴とする（Ａ８）に記載の遊技機。
【０５７９】
開閉体が閉状態でのみ、信号の送受信が可能な構成とするには、（Ａ９）に示すように、信号通過経路を少なくとも開閉体と支持対象との境界領域に設定するとよい。これにより、開閉体の開閉検知を簡易な構成で実現することができる。
【０５８０】
（Ａ１０）．前記検知手段は、
前記開閉体及び前記支持対象のうち少なくともいずれか一方に配置され、他方に向かって光を発する発光部（発光部２６６）及びその光を受ける受光部（受光部２６７）と、
他方に設けられ、前記開閉体が前記支持対象に対して閉じた状態において、前記発光部からの光を前記受光部に向けて反射する反射部（光反射部材２７４の反射面２７４ｂ，２７４ｃ）と
を有し、
前記移動体は光を遮蔽する遮蔽部（遮蔽部２７７ｂ）を備え、
前記遮蔽部は、前記移動体が第２位置にある状態において、前記発光部及び前記受光部の少なくともいずれかと前記反射部材との間に位置していることを特徴とする（Ａ７）に記載の遊技機。
【０５８１】
（Ａ１０）によれば、発光部から発せられた光が受光部に到達する前に移動体の遮蔽部によって遮られることで、移動体が第２位置に存在していることを検知することができる。かかる場合、電力の供給が停止している間に開閉体の開放が行なわれた可能性があることを把握することができる。
【０５８２】
また、電力が供給されている状態において発光部から発せられた光は、開閉体が閉じた状態でのみ受光部に到達する。これにより、開閉体が閉じた状態であることを検知することができる。一方、開閉体が開放された状態では、光の受け渡しが行なわれない。これにより、開閉体が開放された状態であることを検知することができる。つまり、検知手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【０５８３】
上述の如く、検知手段を追加することで、構成の煩雑化が生じるおそれがある。特に配線等の取り廻しが煩雑化することで、遊技機の製造工程が複雑化したり、メンテナンス等の際の作業性が悪化したりすると懸念される。（Ａ１０）においては、開閉体又は支持対象に発光部と受光部とをまとめて設けることで、配線の取り廻しの煩雑化を抑制することができる。例えば、支持対象に発光部及び受光部を設け、開閉体に反射部を設けるとよい。これにより、開閉体の重量の増加を抑えることができるため、開閉体の建付け等への影響を抑えつつ、開閉体の開放検知を実現することができる。また、近年では機種交換の際に、開閉体を交換し、支持対象を共通で使用することで遊技機のリユース性の向上が図られている。上述の如く、発光部及び受光部を支持対象にまとめて配することで、構成部品が増加しつつも、それらのリユース性の向上に貢献できる。
【０５８４】
（Ａ１１）．前記検知手段は、前記移動体が前記第１位置及び前記第２位置のいずれか一方にある状態において前記移動体に当接するスイッチ（スイッチ４１０）を有していることを特徴とする（Ａ１）乃至（Ａ７）のいずれか１つに記載の遊技機。
【０５８５】
（Ａ１１）によれば、スイッチと移動体とが当たるか否かによって、移動体が第１位置及び第２位置のいずれかに存在しているかを検知することができる。光センサ等を用いることで移動体の位置を検知する場合と比較して、検知装置を稼動させるのに必要な電力を抑えることが容易である。これにより、省エネへの貢献度向上に寄与できる。
【０５８６】
（Ａ１２）．前記スイッチは、前記移動体から離間している離間位置と、前記移動体に接触する接触位置との両位置間で変位可能に構成され、
前記スイッチの変位方向が前記移動体の移動方向と同一方向に向けて設定されていることを特徴とする（Ａ１１）に記載の遊技機。
【０５８７】
（Ａ１２）によれば、移動体の移動方向とスイッチの変位方向とを同一とした。これにより、移動体とスイッチとの接触方向に所定の負荷を発生させることが容易となる。例えば、遊技機が揺れる等した場合であっても、移動体とスイッチとの接触状態を保持することが容易となる。
【０５８８】
（Ａ３）及び（Ａ４）との組み合わせにおいては特に、移動体が第２位置にある状態にて両者が当接する構成とすればよい。これにより、移動体の自重又は第２位置付勢手段により、移動体とスイッチとの接触状態を一層好適に担保できる。
【０５８９】
（Ａ１３）．前記外部電源に接続され、前記検知手段による検知結果に基づき所定の不正発生及びその可能性を報知する報知手段（エラー表示ランプ部２４やスピーカ部２６や図柄表示装置９１等）を備えていることを特徴とする（Ａ１）乃至（Ａ１２）のいずれか１つに記載の遊技機。
【０５９０】
（Ａ１３）によれば、報知手段を遊技機に設けることで、開閉体の不正開放の検知及びその報知を遊技機にて完結することができる。これにより、ホールの営業形態に左右されず、不正対策機能を有する遊技機の導入を促進することができる。例えば、遊技機が絵柄表示装置（絵柄表示装置９１）やランプ部（エラー表示ランプ部２４）やスピーカ（スピーカ部２６）等を有する構成においては、それら絵柄表示装置等を報知手段として利用すればよい。
【０５９１】
（Ａ１４）．前記支持対象は、少なくとも前記開閉体における回動先端側の外周縁を遊技機側方から覆う遮蔽部（開口フランジ１３ａ）を有し、
前記遮蔽部と前記開閉体との重なりが、前記開閉体の回動が所定の角度に到達するまで維持される遊技機であって、
前記規制部と前記移動体の移動経路との交差状態が維持される前記開閉体の開動角度のが、前記遮蔽部と前記開閉体との重なりが維持される開閉体の回動角度よりも小さく設定されていることを特徴とする（Ａ６）又は（Ａ７）に記載の遊技機。
【０５９２】
（Ａ１４）によれば、待機状態において開閉体が回動された際には、先ず移動体の移動規制が解除され、移動体の第２位置への移動が可能となる。さらに開閉体を回動することで、遮蔽部と開閉体の重なりが解け、開閉体における支持対象と対向する部位が視認可能となる。すなわち、規制部等が視認可能となる。このように、移動体の移動が、開閉体と遮蔽部との重なりによって遮られることで、遊技機外部からの移動体等への不正なアクセスを困難なものとすることができる。故に、開閉体の不正開放検知を一層好適なものとすることができる。
【０５９３】
（Ａ１５）．前記検知手段によって、前記外部電源からの電力供給が行われている状況及び電力供給が遮断されている状況のいずれにおいても前記移動体の位置を検知が検知されることを特徴とする（Ａ１）乃至（Ａ１４）のいずれか１つに記載の遊技機。
【０５９４】
（Ａ１５）によれば、上記（Ａ１）乃至（Ａ１４）に示したように、電力遮断時に開閉体の開放が行われたことを検知することができ、更に同一の構成（詳しくは移動体や規制部等）を用いることで電力供給中における開閉体の開放を検知することもできる。このように、同一の構成を用いることで開閉体の開放を監視することで、それぞれの機能を別で設ける構成に比して、遊技機の部品点数の削減が図られる。開放検知に関する構成が複雑化することを回避することで、開放検知に関する構成自体に不正がなされた場合であってもこれを発見しやすくすることができる。故に、更なる防犯性の向上に貢献することができる。
【０５９５】
以下に本実施の形態における変形例を示す。
【０５９６】
（ａ）本実施の形態では、外枠１１に対する遊技機主部１２の開放を監視する第１監視装置２５０、及び本体枠１３に対する前扉枠１４の開放を監視する第２監視装置２９０を設けたが、必ずしも両者を設ける必要はなく、いずれか一方のみを設ける構成としてもよい。また、本体枠１３に対する裏パックユニット１５の開放を監視する裏パック監視装置を設けることも可能である。
【０５９７】
（ｂ）本実施の形態では、本体枠１３に各監視装置２５０，２９０を配置したが、これを変更し、第１監視装置２５０を前扉枠１４に配置し、第２監視装置を外枠１１に配置することも可能である。また両監視装置２５０，２９０をまとめてユニット化し、本体枠１３に配置することも可能である。これにより、メンテナンス等の際に確認すべき部位を減らし、作業効率の向上に貢献することができる。
【０５９８】
（ｃ）本実施の形態では、光反射部材２７４をプリズムで構成したが、これを変更し、平面鏡等の鏡で構成することも可能である。例えば、平面鏡を１つだけ用いる場合、発光素子２６６及び受光素子２６７の中心軸線が前扉枠１４の背面にて互いに交差する構成とし、その交差する位置に平面鏡を配置するとよい。
【０５９９】
（ｄ）本実施の形態では、本体枠１３に発光素子２６６及び受光素子２６７を設けるとともに、前扉枠１４に光反射部材２７４を設けた。これを以下のように変更してもよい。すなわち、図７２の（ａ）に示すように、本体枠１３及び前扉枠１４のいずれか一方に発光素子４００を設け、他方に受光素子４０１を設ける構成としてもよい。両素子４００，４０１を対向して配置することで、両素子４００，４０１間での光の受け渡しが可能となる。これにより、両素子４００，４０１間での光の拡散を抑制し、受光素子４０１に到達する光の量を担保しやすくできる。
【０６００】
（ｅ）本実施の形態では、ソレノイド２７６の動作軸２７７が通電時には縮み状態となり、電断時には伸び状態となる構成としたが、これを変更し、通電時には伸び状態となり、電断時には縮み状態となる構成とすることも可能である。
【０６０１】
（ｆ）本実施の形態では、ソレノイドの２７６の中心軸線が上下方向を向く構成としたが、これを以下のように変更することも可能である。すなわち、ソレノイド２７６の中心軸線が水平方向を向いてもよい。但し、かかる場合、動作軸２７７の自重を利用した位置の切り替えが困難となる。そこで、ソレノイド２７６の通電時の動作方向と反対の方向に動作軸２７７を付勢する付勢手段を設けるとよい。例えば、コイルバネを用いるとよい。ソレノイド２７６が励磁されることで、コイルバネの付勢力に抗して動作軸２７７が移動可能とすることで、第１位置及び第２位置間での切り替えが担保される。
【０６０２】
（ｇ）本実施の形態では、収容ケース体２５１全体が光透過性を有する構成としたが、必ずしも収容ケース体２５１の全体が光透過性を有する必要はない。少なくとも収容ケース体２５１の前板部２５５における両素子２６６，２６７と対向する範囲が光透過性を有すればよい。
【０６０３】
（ｈ）本実施の形態では、第１監視装置２５０を本体枠１３における、前扉枠１４の回動先端側に設けたが、第１監視装置２５０の位置はこれに限定されるものではない。例えば、本体枠１３の回動基端側に設けてもよい。また、第２監視装置２９０についても同様に、その配置位置は本体枠１３の下部に限定されるものではなく、例えば本体枠１３の上部に設けることも可能である。
【０６０４】
（ｉ）本実施の形態では、各監視装置２５０，２９０を主制御装置１６２に接続する構成としたが、その接続先は主制御装置１６２に限定されるものではない。例えば、音声ランプ制御装置１４３等に接続することも可能である。
【０６０５】
（ｊ）突起１４ｂの位置検出装置を更に備える構成とすることも可能である。位置検出装置により、前扉枠１４が閉じられている状態において突起１４ｂが所定の位置にあるか否かを検知する。これにより、電力遮断時における監視装置２５０の開放事実保持機能を担保することができる。以下、具体的構成について図７２の（ｂ）に基づいて説明する。
【０６０６】
ハウジング２５２の内部には検出スイッチ４３０が設けられている。検出スイッチ４３０は、蓋用ケース体２８０への取り付け対象たる基部４３１と、基部４３１に対して変位可能に設けられた可動部４３２とを備えている。可動部４３２は突起１４ｂの挿入方向と同一の方向に変位可能に設定されている。より詳しくは、可動部４３２は伸び位置と縮み位置の２つの位置に切り替え可能となっている。検出スイッチ４３１は図示せぬ付勢部材（例えばコイルバネ）を備えており、この付勢部材により可動部４３２は伸び位置に向けて付勢されている。可動部４３２の先端には、突起１４ｂの先端部が当たる当接部４３３が設けられている。前扉枠１４が閉じた際には、突起１４ｂの先端部が当接部４３３に当たる。可動部４３２は付勢部材の付勢力に抗して押し込まれることで、伸び位置から縮み位置へ移行される。例えば、可動部４３２が縮み位置に切り替えられることで所定の信号が中継基板２８６に出力される構成とすればよい。信号の出力がなされることで、電力遮断時における前扉枠１４等の不正開放を検知することができる。なお、位置検出装置４３０においては、スイッチに代えて光学センサ等を用いることも可能である。
【０６０７】
（ｋ）本実施の形態では、ソレノイド２７６が励磁されることで、動作軸２７７が上方に引き上げられる構成としたが、これを以下のように変更することも可能である。すなわち、ソレノイド２７６が励磁されることで、動作軸が下方に引き下げられる構成とすることも可能である。例えば、ソレノイド２７６を上下逆となるように配置するとよい。かかる場合非励磁状態にて動作軸２７７を移動させるための手段として、重力に替えバネ等の付勢部材による付勢力を用いるとよい。
【０６０８】
（ｌ）本実施の形態では、動作軸２７７の円柱部２７７ａと遮蔽部２７７ｂとを一体として設けたが、これらを別体とすることも可能である。例えば、回動可能に軸支された棒状の中間体を設け、その軸支された部分を挟んで一方に遮蔽部をもうけるとともに、他方に、動作軸の円柱部と当接可能な当接部を設けるとよい。動作軸が当接部を押すことで中間体が回動し、それに伴って遮蔽部が変位する。これにより、遮蔽部の位置を切り替えることができる。なお、動作軸が当接部から離れる方向に移動した際に、遮蔽部を変位させるには、遮蔽部自身の重み（すなわち重量）を利用したり、バネ等の付勢部材によって付勢したりするとよい。
【０６０９】
（ｍ）本実施の形態では、ソレノイド２７６を励磁することで、ソレノイド２７６に挿通されたプランジャとしての動作軸２７７を変位させる構成としたが、これを以下のように変更することも可能である。すなわち、プランジャを有するソレノイドタイプの電磁石に代えて、プランジャを有さないタイプの電磁石を用いることも可能である。例えば、動作軸２７７に代えて、電磁石とは別個独立して設けられた磁性体からなる鉄球等の遮蔽部材を設け、電磁石を励磁することでこの遮蔽部材そのものが電磁石に引き寄せられる構成とするとよい。より具体的には、電磁石の磁力発生部分の下方に遮蔽部材を配置するとよい。電磁石が励磁されることで、遮蔽部材が持ち上げられ磁力発生部分に引き寄せられる。これにより、遮蔽部材の位置の切り替えを実現することができる。
【０６１０】
（ｎ）上記第７の実施の形態では、本体枠１３や前扉枠１４の開放監視処理を、タイマ割込み処理内及びメイン処理内に組み込む構成としたが、これを変更し、本体枠１３や前扉枠１４の開放監視処理を、通常処理内に組み込むことも可能である。
【０６１１】
（他の実施形態）
なお、上述した各実施形態の記載内容に限定されず、例えば次のように実施してもよい。ちなみに、以下の各構成を相互に適用してもよい。
【０６１２】
（１）上記第１乃至第６の各実施の形態における監視装置の変形例を、図７３を参照して説明する。図７３は別の監視装置４６０の内部構成を説明するための説明図であり、図７３（ａ）は自然状態を示し、図７３（ｂ）は最大押圧状態を示し、図７３（ｃ）は最大押圧状態から自然状態に復帰する途中の状態を示す。
【０６１３】
図７３（ａ）に示すように、監視装置４６０は、四角箱状のハウジング４６１を備えている。ハウジング４６１にはプッシャ４６２が設けられており、プッシャ４６２はその一端側がハウジング４６１外に突出している。プッシャ４６２はバネ４６３によりハウジング４６１の外方に向けて付勢されており、その付勢力に抗する力で押圧されることでハウジング４６１内に向けて移動する。
【０６１４】
ハウジング４６１には、連動ギア４６４が設けられている。連動ギア４６４は、その回転軸方向がプッシャ４６２の移動方向と交差している（具体的には、直交している）。連動ギア４６４は、第１ギア４６５と、当該第１ギア４６５よりも小型の第２ギア４６６とが一体形成されたものであり、これら第１ギア４６５及び第２ギア４６６は各回転軸が同一軸線上に位置するようにして当該軸線方向に並設されている。なお、これら第１ギア４６５と第２ギア４６６とが別体であり、両者を一体化して連動ギア４６４を構成してもよい。連動ギア４６４のうち第１ギア４６５は、その外周に、二等辺三角形の歯が連続して形成されたものであり、第２ギア４６６は、回転方向を一方に制限するためのラチェットとして形成されている。
【０６１５】
連動ギア４６４は、プッシャ４６２が最大押圧位置から自然状態に復帰する際に回転する。当該構成について詳細には、プッシャ４６２にはその側面から突出する爪部材４６７が取り付けられている。爪部材４６７はプッシャ４６２の内部に形成された穴部４６８に一端側が挿入されており、バネ４６９により外方に向けて付勢されている。そして、爪部材４６７に対してバネ４６９の付勢力に抗する力が加えられた場合、爪部材４６７は穴部４６８内方に向けて移動する。
【０６１６】
爪部材４６７は、自然状態において第２ギア４６６の周面と当接している。この場合、第２ギア４６６は、プッシャ４６２が最大押圧位置に向けて移動する場合には爪部材４６７が第２ギア４６６の歯を乗り越え、プッシャ４６２が最大押圧位置から自然状態に復帰する際に爪部材４６７が第２ギア４６６の歯に食い込むようになっている。
【０６１７】
連動ギア４６４は、ハウジング４６１に設置されたストッパ４７０により移動が規制されており、プッシャ４６２が最大押圧位置から自然状態に復帰するタイミング以外において回転しないようになっている。この場合、ストッパ４７０の先端は、第１ギア４６５の歯と噛み合う山形状となっている。また、ストッパ４７０は、金属（又は合成樹脂）により薄板状に形成されており、板バネとして機能する。そして、この板バネの付勢力は、プッシャ４６２を押圧するバネ４６３の付勢力よりも小さくなっている。
【０６１８】
上記構成においては、プッシャ４６２が自然状態から最大押圧位置に移動する場合、爪部材４６７は第２ギア４６６の歯を乗り越えるため、図７３（ｂ）に示すように、連動ギア４６４は回転しない。一方、プッシャ４６２が最大押圧位置から自然状態に復帰する場合、爪部材４６７は第２ギア４６６の歯に食い込む。そして、この食い込みにより、図７３（ｃ）に示すように、連動ギア４６４をストッパ４７０の付勢力に抗して回転させる。その後、図７３（ａ）に示すように、プッシャ４６２が自然状態に復帰することで、連動ギア４６４は第１ギア４６５の歯とストッパ４７０の先端とが噛み合った状態となる。つまり、連動ギア４６４は、プッシャ４６２が最大押圧位置から自然状態に移動する場合に特定方向に回転し、その回転量は第１ギア４６５の１つの歯分となっている。さらに言うと、連動ギア４６４は、複数（具体的には、第１ギア４６５の歯の数分）の待機位置を有しており、プッシャ４６２が最大押圧位置から自然状態に移動する場合に一の待機位置から次の待機位置に回転する。
【０６１９】
上記連動ギア４６４を備えた構成において、監視装置４６０には上記第１の実施形態と同様の検知装置が内蔵されている。また、連動ギア４６４の第１ギア４６５における第２ギア４６６側とは反対側の面には被検知部が設けられている。そして、これら検知装置及び被検知部により、連動ギア４６４の待機位置が検知され、遊技機の電源投入中においてその検知結果が制御装置に出力される。
【０６２０】
以上説明した監視装置４６０によれば、プッシャ４６２の移動に連動した連動ギア４６４の回転が確実に行われるように、プッシャ４６２を押圧するバネ４６３の付勢力とストッパ４７０の付勢力とを正確に調整する必要がある点で上記第１の実施形態の監視装置２５０よりも設計が難化するものの、開閉体の不正開放が行われた場合には検知状態が変更されるため、当該不正開放に対処することができる。また、開閉体が閉鎖操作された場合には検知状態が変更することなく、開閉体が開放操作された場合に検知状態が変更するようにすることができる。
【０６２１】
（２）上記第１乃至第６の各実施の形態における監視装置２５０，４２０の構成を、複数段階の検知状態の１つを初期検知状態として設定するとともに、監視装置２５０，４２０に電動アクチュエータを設け、外部電源からの電力供給が遮断される場合には、当該電動アクチュエータを駆動させることで監視装置２５０，４２０の検知状態を初期検知状態に変更させる構成としてもよい。当該構成においては、外部電源からの電力供給が遮断される場合には監視装置２５０，４２０の検知状態は必ず初期検知状態となる。したがって、電力供給が遮断される場合にＲＡＭ３１３，４３３に監視装置２５０，４２０の検知状態を記憶させる必要はない。また、ＲＯＭ３１２，４３２に初期検知状態を記憶させておき、外部電源からの電力供給が開始された場合には、ＲＯＭ３１２，４３２に記憶された初期検知状態と、電力供給の開始後に把握した監視装置２５０，４２０の検知状態とを比較することで、電力供給が遮断されている状況において開閉体の不正な開閉操作が行われたか否かを確認することができる。
【０６２２】
（３）上記第１乃至第６の各実施の形態における監視装置２５０，４２０を、開閉体の開閉操作に連動して電気的に動作することで検知状態（待機状態）が変更される構成としてもよい。但し、本構成においては、監視装置２５０，４２０に対して、遊技機の電源機能とは独立した電源機能を設ける必要がある点で、上記各実施形態よりも遊技ホール等におけるランニングコストの増加を招くこととなるため、この点、上記各実施形態における構成が好ましい。
【０６２３】
（４）検知装置２５８において待機位置を検知するための構成を、上記第１乃至第６の各実施の形態とは異なるものとしてもよい。例えば、上記第１の実施形態において、円盤２６２の裏面に発光素子を複数設けるとともに、それら発光素子を各待機位置に対応させて設置する。また、検知装置２５８には、上記発光素子から照射された光を受光する受光素子を設ける。そして、円盤２６２の待機位置に応じて、光を受光する受光素子の組合せを異ならせる。当該構成によれば、発光素子及び受光素子を設ける必要がある点で上記第１の実施形態よりも構成が複雑化するものの、検知装置２５８において円盤２６２の待機位置を検知することができる。
【０６２４】
（５）上記第１乃至第６の各実施の形態では、連動体として、プッシャ２６６の移動に応じて回転する円盤２６２を設けたが、これを変更してもよい。例えば、連動体として、プッシャ２６６の移動に応じて直線的に移動する直線可動部材を設けてもよい。具体的には、プッシャ２６６の移動方向と同一方向に移動するように直線可動部材を設置する。直線可動部材にはその移動方向に複数の押圧受け部を並設し、プッシャ２６６が押圧位置に移動する度に移動方向奥側の所定位置にある押圧受け部が押されて直線可動部材が移動するようにすることで、プッシャ２６６が押圧される度に直線可動部材が奥側に段階的に移動するようにする。そして、直線可動部材の移動方向の位置を検知する検知装置を設ける。当該構成であっても、監視装置２５０，４２０において待機状態（又は検知状態）が変更されることとなり、開閉体の不正開放を監視することは可能である。但し、本構成では、直線可動部材を初期状態に復帰させる電動アクチュエータを設ける必要が生じる。
【０６２５】
（６）上記第１乃至第６の各実施の形態では、通常時更新処理及び電断時更新処理において、新たに確認した監視装置２５１，２５２の検知状態がＲＡＭ３１３，４３３に記憶されている検知状態と異なっている場合に、ＲＡＭ３１３，４３３における検知状態の情報の更新を行う構成としたが、これに代えて、前者の検知状態と後者の検知状態とが異なっているか否かに関係なく、ＲＡＭ３１３，４３３における検知状態の情報の更新を行うようにしてもよい。当該構成であっても、検知状態が変更された場合にはその検知状態がＲＡＭ３１３，４３３に記憶されることとなる。
【０６２６】
（７）上記第１乃至第６の各実施の形態では、ＲＡＭ３１３，４３３に記憶されている検知状態と、電力供給が開始された後に把握した検知状態とが異なっていると判定した場合には、報知処理に加えて又は代えて、その後の遊技を禁止する遊技禁止処理を実行するようにしてもよい。この場合、電力供給が遮断されている状況において開閉体が不正に開閉操作され、遊技機を構成する構成部品に不正が行われた場合に、その不正が行われた状態で遊技が開始されてしまうことを確実に阻止することができる。
【０６２７】
（８）上記第５の実施形態では、主制御装置１６２のＲＯＭ４３２に、開閉体が開放状態にある場合における監視装置４２０の全検知状態の情報と、開閉体が閉鎖状態にある場合における監視装置４２０の全検知状態の情報とが記憶されている構成としたが、これを変更してもよい。例えば、開閉体が開放状態にある場合における監視装置４２０の全検知状態の情報、又は開閉体が閉鎖状態にある場合における監視装置４２０の全検知状態の情報のいずれかが記憶されている構成としてもよい。例えば、ＲＯＭ４３２に、開閉体が開放状態にある場合における監視装置４２０の全検知状態の情報が記憶されている構成においては、監視装置４２０の検知状態がＲＯＭ４３２に記憶されている検知状態の情報のいずれかと同一である場合には開閉体が開放状態であることを特定でき、監視装置４２０の検知状態がＲＯＭ４３２に記憶されている検知状態の情報のいずれとも同一でない場合には開閉体が閉鎖状態であることを特定できる。よって、当該構成であっても、上記第５の実施形態と同様の効果を得ることができるとともに、開閉体の開放の監視に関してＲＯＭ４３２に必要な記憶容量の削減が図られるというさらなる効果を得ることができる。
【０６２８】
（９）上記第５の実施形態において、開閉体が開放状態にある場合における監視装置４２０の全検知状態に共通の情報を付与するとともに、開閉体が閉鎖状態にある場合における監視装置４２０の全検知状態にも開放状態の場合とは異なる共通の情報を付与する構成としてもよい。具体的には、検知装置２５８の金属端子２９４を上記第５の実施形態よりも多く設ける。そして、開閉体が開放状態にある場合には、円盤２６２がいずれの待機位置であってもベース金属端子と導通が確保される金属端子群の中に第１特定金属端子が含まれる構成とするとともに、開閉体が閉鎖状態にある場合には、円盤２６２がいずれの待機位置であってもベース金属端子と導通が確保される金属端子群の中に第２特定金属端子が含まれる構成とする。
【０６２９】
本構成の場合、開閉体が開放状態にある場合における監視装置４２０の全検知状態の情報と、開閉体が閉鎖状態にある場合における監視装置４２０の全検知状態の情報とを主制御装置１６２のＲＯＭ４３２に記憶させておかなくてもよい。つまり、開放状態における共通の情報と閉鎖状態における共通の情報とをＣＰＵ４３１において特定可能とするとともに、それら共通の情報のみをＲＯＭ４３２に記憶させておくことで、外部電源から電力供給が行われている状況において開閉体が開放されたか否かを特定することができる。本構成によれば、検知装置２５８の構成が上記第５の実施形態よりも複雑化するものの、開閉体の開放の監視に関してＲＯＭ４３２に必要な記憶容量の削減が図られる。
【０６３０】
（１０）上記第１乃至第６の各実施の形態では、メイン処理（図３０、図４５）にて、ＲＡＭ３１３，４３３に記憶されている検知状態と、電力供給が開始された後に把握した検知状態とが異なっていると判定した場合には、ＲＡＭ消去スイッチ２４７が押されていた場合や、電源遮断の発生情報が設定されていない場合や、ＲＡＭ判定値（チェックサム値等）により記憶保持されたデータの異常が確認された場合と同様に、音声ランプ初期化コマンドを出力する構成としてもよい。
【０６３１】
（１１）上記第１乃至第６の各実施の形態では、ＣＰＵ３１１，４３１のタイマ割込み処理において実行する第１開放監視処理や第２開放監視処理を通常処理（図３１）にて実行してもよい。本構成の場合、２ｍｓｅｃ周期という比較的短い周期で起動されるタイマ割込み処理の１回の処理時間を上記各実施形態よりも短くすることが可能となる。
【０６３２】
（１２）監視装置２５１，２５２の設置箇所は上記各実施形態における箇所に限定されることはなく、例えば、上記第１の実施形態において監視装置２５１，２５２を開閉体の開閉先端側に設置する構成としてもよい。
【０６３３】
（１３）上記第５の実施形態では、監視装置４２０のプッシャ２６６は、支持対象に対して開閉体が閉鎖されている場合に押圧力が付与されて最大押圧位置に待機し、支持対象に対して開閉体が開放された場合に押圧力の付与が解除されて自然状態の位置に移動する構成としたが、これを変更してもよい。例えば、支持対象に対して開閉体が開放されている場合に押圧力が付与されて最大押圧位置に待機し、支持対象に対して開閉体が閉鎖されている場合に押圧力の付与が解除されて自然状態の位置に移動する構成としてもよい。
【０６３４】
具体的には、プッシャ２６６と開閉体との間に介在押圧部材を設ける。当該介在押圧部材は、例えば板状であり、その長手方向の途中位置に回動軸を有している。介在押圧部材の長手方向の一端は、開閉体を閉鎖した場合に当該開閉体の一部と当接するとともに、開閉体を開放した場合にその当接状態が解除されるものとする。また、介在押圧部材における上記回動軸を挟んだ長手方向の他端側に監視装置２５０を設け、介在押圧部材の上記一端が開閉体の一部と当接している場合に、介在押圧部材の上記他端が監視装置２５０のプッシャ２６６を押圧せず、介在押圧部材の上記一端が開閉体の一部と当接しない場合に、介在押圧部材の上記他端が監視装置２５０のプッシャ２６６を押圧するようにする。本構成であっても、開閉体の開放を監視することが可能である。
【０６３５】
（１４）上記第１の実施形態等では、前扉枠１４及び遊技機主部１２の両方に対して監視装置２５０を設けたが、いずれか一方に対して監視装置２５０を設けてもよい。
【０６３６】
（１５）上記第１の実施形態等では、各監視装置２５１，２５２を主制御装置１６２と電気的に接続し、当該主制御装置１６２にて開閉体の開放操作の特定や報知処理を行うようにしたが、これを変更してもよい。例えば、音声ランプ制御装置１４３、払出制御装置２４２、電源及び発射制御装置２４３又は表示制御装置３２４等にて開閉体の開放操作の特定や報知処理を行うようにしてもよい。また、監視装置２５１，２５２専用の制御装置を設け、当該専用の制御装置にて開閉体の開放操作の特定や報知処理を行うようにしてもよい。このように主制御装置１６２以外の制御装置において開閉体の特定や報知処理を行う構成においては、その制御装置の基板ボックスには主制御装置１６２と同様に、カシメや封印シールといった開放に際して痕跡を残す痕跡手段を設けることが好ましい。
【０６３７】
（１６）上記第１の実施形態等において、第１監視装置２５１と前扉枠１４との間に押圧片を介在させ、前扉枠１４を本体枠１３に対して閉鎖した場合にはその押圧片により第１監視装置２５１のプッシャ２６６が押圧される構成としてもよい。また、第２監視装置２５２と外枠１１との間に押圧片３００を不具備とし、遊技機主部１２を外枠１２に対して閉鎖した場合には当該外枠１２により第２監視装置２５２のプッシャ２６６が押圧される構成としてもよい。
【０６３８】
（１７）上記第１の実施形態では、一般入賞口８２、可変入賞装置８３、及び作動口８４などの入球部に遊技球が入った場合には、遊技球を払い出す特典を付与する構成としたが、かかる構成に限定されるものではなく、遊技者に何らかの特典が付与される構成であればよい。例えば、入球部に遊技球が入った場合に遊技球以外の賞品を払い出す構成であってもよい。
【０６３９】
（１８）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０６４０】
また、例えば、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０６４１】
以上詳述した各実施の形態や（１）〜（１８）の各別例における構成を任意に組み合わせることも可能である。
【符号の説明】
【０６４２】
１０…遊技機としてのパチンコ機、１１…外枠、１２…遊技機主体としての遊技機主部、１３…本体枠、１４…遊技機前面体としての前扉枠、８３…可変入賞装置、１６２…主制御装置、２２４…払出装置、２４２…払出制御装置、２５０…監視装置、２５６…ケース体としてのハウジング、２５８…検知装置、２６２…連動体及び回転体としての円盤、２６３…第１バネ、２６４…介在体としての回転子、２６６…移動体としてのプッシャ、２６６ｃ…移動体側突起としての突起、２７１…筒状領域、２７７…ケース側リブ、２７８…ケース側カム溝、２８５…介在体側突起としての回転子側リブ、２８９…介在体側カム部としての回転子側カム部、２９０…移動体側カム部としてのプッシャ側カム部、２９４…金属端子、２９８ａ…被検知部、３００…押圧片、３１１…ＣＰＵ、３１３…ＲＡＭ、３２１ｃ…電断時用電源手段としてのデータ記憶保持用コンデンサ、４２０…監視装置、４３１…ＣＰＵ、４３２…ＲＯＭ、４３３…ＲＡＭ。
【図１】
0005516676.tif 000002
【図２】
0005516676.tif 000003
【図３】
0005516676.tif 000004
【図４】
0005516676.tif 000005
【図５】
0005516676.tif 000006
【図６】
0005516676.tif 000007
【図７】
0005516676.tif 000008
【図８】
0005516676.tif 000009
【図９】
0005516676.tif 000010
【図１０】
0005516676.tif 000011
【図１１】
0005516676.tif 000012
【図１２】
0005516676.tif 000013
【図１３】
0005516676.tif 000014
【図１４】
0005516676.tif 000015
【図１５】
0005516676.tif 000016
【図１６】
0005516676.tif 000017
【図１７】
0005516676.tif 000018
【図１８】
0005516676.tif 000019
【図１９】
0005516676.tif 000020
【図２０】
0005516676.tif 000021
【図２１】
0005516676.tif 000022
【図２２】
0005516676.tif 000023
【図２３】
0005516676.tif 000024
【図２４】
0005516676.tif 000025
【図２５】
0005516676.tif 000026
【図２６】
0005516676.tif 000027
【図２７】
0005516676.tif 000028
【図２８】
0005516676.tif 000029
【図２９】
0005516676.tif 000030
【図３０】
0005516676.tif 000031
【図３１】
0005516676.tif 000032
【図３２】
0005516676.tif 000033
【図３３】
0005516676.tif 000034
【図３４】
0005516676.tif 000035
【図３５】
0005516676.tif 000036
【図３６】
0005516676.tif 000037
【図３７】
0005516676.tif 000038
【図３８】
0005516676.tif 000039
【図３９】
0005516676.tif 000040
【図４０】
0005516676.tif 000041
【図４１】
0005516676.tif 000042
【図４２】
0005516676.tif 000043
【図４３】
0005516676.tif 000044
【図４４】
0005516676.tif 000045
【図４５】
0005516676.tif 000046
【図４６】
0005516676.tif 000047
【図４７】
0005516676.tif 000048
【図４８】
0005516676.tif 000049
【図４９】
0005516676.tif 000050
【図５０】
0005516676.tif 000051
【図５１】
0005516676.tif 000052
【図５２】
0005516676.tif 000053
【図５３】
0005516676.tif 000054
【図５４】
0005516676.tif 000055
【図５５】
0005516676.tif 000056
【図５６】
0005516676.tif 000057
【図５７】
0005516676.tif 000058
【図５８】
0005516676.tif 000059
【図５９】
0005516676.tif 000060
【図６０】
0005516676.tif 000061
【図６１】
0005516676.tif 000062
【図６２】
0005516676.tif 000063
【図６３】
0005516676.tif 000064
【図６４】
0005516676.tif 000065
【図６５】
0005516676.tif 000066
【図６６】
0005516676.tif 000067
【図６７】
0005516676.tif 000068
【図６８】
0005516676.tif 000069
【図６９】
0005516676.tif 000070
【図７０】
0005516676.tif 000071
【図７１】
0005516676.tif 000072
【図７２】
0005516676.tif 000073
【図７３】
0005516676.tif 000074